(57)【要約】  本出願は通信方法を提供し、方法は、端末デバイスによって、第1の情報を受信するステップであって、第1の情報は、ランダムアクセスシステムフレーム内の1つ以上の第1の時間単位を示すために使用される、ステップと、端末デバイスによって、第1の情報および構成テーブルに基づいて1つ以上の第1の時間単位を決定するステップであって、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである、ステップと、を含む。本出願の方法および装置によれば、ランダムアクセスシーケンスのオプションの時間領域リソースを決定することができる。
2021520719.tif 000002
【特許請求の範囲】
【請求項１】
第1の情報を受信するステップであって、前記第1の情報とランダムアクセスシステムフレーム内のオプションの時間領域リソースとの間に対応関係がある、ステップと、
前記端末デバイスによって、前記第1の情報および前記対応関係に基づいて前記オプションの時間領域リソースを決定するステップであって、
前記オプションの時間領域リソースは、1つ以上の第1の時間単位で構成される、ステップと、
前記オプションの時間領域リソースに基づいて、ネットワークデバイスと通信するステップと、
を含む、通信方法。
【請求項２】
第1の情報を送信するステップであって、前記第1の情報は、ランダムアクセスシステムフレーム内のオプションの時間領域リソースを示すために使用される、ステップと、
前記オプションの時間領域リソースに基づいて端末デバイスと通信するステップであって、
前記オプションの時間領域リソースは、1つ以上の第1の時間単位で構成される、ステップと、
を含む、通信方法。
【請求項３】
前記方法は、
前記第1の情報を決定するステップ
をさらに含む、請求項2に記載の方法。
【請求項４】
前記第1の情報を決定する前記ステップは、
前記オプションの時間領域リソースと前記第1の情報との間の対応関係に基づいて前記第1の情報を決定するステップ
を含む、請求項3に記載の方法。
【請求項５】
前記対応関係は構成テーブルに含まれる、請求項1から4のいずれか一項に記載の方法。
【請求項６】
前記システムフレーム内の前記オプションの時間領域リソースのスロットインデックスは｛17、19、37、39｝を含む、請求項1から5のいずれか一項に記載の方法。
【請求項７】
アップリンク−ダウンリンク構成周期は2．5ミリ秒または5ミリ秒である、請求項6に記載の方法。
【請求項８】
前記システムフレーム内の前記オプションの時間領域リソースのスロットインデックスは｛13、14、15、29、30、31、37、38、39｝を含む、請求項1から5のいずれか一項に記載の方法。
【請求項９】
前記アップリンク−ダウンリンク構成周期は2ミリ秒である、請求項8に記載の方法。
【請求項１０】
前記オプションの時間領域リソースは第2の時間単位とオーバーラップせず、前記第2の時間単位は同期チャネルブロックのオプションの時間領域リソースである、請求項1から9のいずれか一項に記載の方法。
【請求項１１】
前記第1の情報は、ランダムアクセス構成インデックスを示す、請求項1から10のいずれか一項に記載の方法。
【請求項１２】
前記第1の情報は、プリアンブルシーケンスフォーマット、構成周期パラメータ、システムフレーム番号、開始記号、スロットの数、または1つのスロットに含まれるランダムアクセス機会ROの数の情報のうちの1つ以上に対応する、請求項1から11のいずれか一項に記載の方法。
【請求項１３】
前記オプションの時間領域リソースは、前記アップリンク−ダウンリンク構成周期および前記第2の時間単位に基づいて決定される、請求項1から12のいずれか一項に記載の方法。
【請求項１４】
前記オプションの時間領域リソースが前記アップリンク−ダウンリンク構成周期および前記第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１】
2021520719.tif 000047
個の時間単位と前記第2の時間単位に基づいて、前記オプションの時間領域リソースを決定するステップと、
を含む、請求項13に記載の方法。
【請求項１５】
前記オプションの時間領域リソースは、前記システムフレーム内の奇数スロットインデックスに対応する時間単位に配置される、請求項1から6のいずれか一項に記載の方法。
【請求項１６】
第1の情報を受信するように構成されたトランシーバユニットであって、前記第1の情報とランダムアクセスシステムフレーム内のオプションの時間領域リソースとの間に対応関係がある、トランシーバユニットと、
前記第1の情報および前記対応関係に基づいて前記オプションの時間領域リソースを決定するように構成された処理ユニットであって、前記オプションの時間領域リソースは、1つ以上の第1の時間単位で構成される、処理ユニットと、
を含み、
前記トランシーバユニットは、前記オプションの時間領域リソースに基づいて、ネットワークデバイスと通信するようにさらに構成されている、
通信装置。
【請求項１７】
第1の情報を送信するように構成されたトランシーバユニットであって、前記第1の情報は、ランダムアクセスシステムフレーム内のオプションの時間領域リソースを示すために使用される、トランシーバユニット
を含み、
前記トランシーバユニットは、前記オプションの時間領域リソースに基づいて端末デバイスと通信するようにさらに構成され、
前記オプションの時間領域リソースは、1つ以上の第1の時間単位で構成される、
通信装置。
【請求項１８】
前記装置は、前記第1の情報を決定するように構成された処理ユニットをさらに備える、請求項17に記載の装置。
【請求項１９】
前記処理ユニットは、前記オプションの時間領域リソースと前記第1の情報との間の対応関係に基づいて前記第1の情報を決定するように特に構成される、請求項18に記載の装置。
【請求項２０】
前記対応関係は構成テーブルに含まれる、請求項16から19のいずれか一項に記載の装置。
【請求項２１】
前記システムフレーム内の前記オプションの時間領域リソースのスロットインデックスは｛17、19、37、39｝を含む、請求項16から20のいずれか一項に記載の装置。
【請求項２２】
アップリンク−ダウンリンク構成周期は2．5ミリ秒または5ミリ秒である、請求項21に記載の装置。
【請求項２３】
前記システムフレーム内の前記オプションの時間領域リソースのスロットインデックスは｛13、14、15、29、30、31、37、38、39｝を含む、請求項16から20のいずれか一項に記載の装置。
【請求項２４】
アップリンク−ダウンリンク構成周期は2ミリ秒である、請求項23に記載の装置。
【請求項２５】
前記オプションの時間領域リソースは第2の時間単位とオーバーラップせず、前記第2の時間単位は同期チャネルブロックのオプションの時間領域リソースである、請求項16から24のいずれか一項に記載の装置。
【請求項２６】
前記第1の情報は、ランダムアクセス構成インデックスを示す、請求項16から25のいずれか一項に記載の装置。
【請求項２７】
前記第1の情報は、プリアンブルシーケンスフォーマット、構成周期パラメータ、システムフレーム番号、開始記号、スロットの数、または1つのスロットに含まれるランダムアクセス機会ROの数の情報のうちの1つ以上に対応する、請求項16から26のいずれか一項に記載の装置。
【請求項２８】
前記オプションの時間領域リソースは、前記アップリンク−ダウンリンク構成周期および前記第2の時間単位に基づいて決定される、請求項16から27のいずれか一項に記載の装置。
【請求項２９】
前記オプションの時間領域リソースが前記アップリンク−ダウンリンク構成周期および前記第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数２】
2021520719.tif 000048
個の時間単位と前記第2の時間単位に基づいて、前記オプションの時間領域リソースを決定するステップと、
を含む、請求項28に記載の装置。
【請求項３０】
前記オプションの時間領域リソースは、前記システムフレーム内の奇数スロットインデックスに対応する時間単位に配置される、請求項16から21のいずれか一項に記載の装置。
【請求項３１】
端末デバイスによって、第1の情報を受信するステップであって、前記第1の情報は、ランダムアクセスシステムフレーム内の1つ以上の第1の時間単位を示すために使用される、ステップと、
前記端末デバイスによって、前記第1の情報および構成テーブルに基づいて前記1つ以上の第1の時間単位を決定するステップであって、前記構成テーブル内の1つ以上の時間単位は、アップリンク−ダウンリンク構成周期および第2の時間単位に基づいて決定され、前記1つ以上の第1の時間単位は、ランダムアクセスシーケンスのオプションの時間領域リソースであり、前記第2の時間単位は、同期チャネルブロックのオプションの時間領域リソースである、ステップと、
を含む、通信方法。
【請求項３２】
ネットワークデバイスによって、構成テーブルに基づいて第1の情報を決定するステップであって、
前記第1の情報は、ランダムアクセスシステムフレーム内の1つ以上の第1の時間単位を示すために使用され、前記構成テーブル内の1つ以上の時間単位は、アップリンク−ダウンリンク構成周期および第2の時間単位に基づいて決定され、前記1つ以上の第1の時間単位は、ランダムアクセスシーケンスのオプションの時間領域リソースであり、前記第2の時間単位は、同期チャネルブロックのオプションの時間領域リソースである、ステップと、
前記ネットワークデバイスによって、前記第1の情報を送信するステップと、
を含む、通信方法。
【請求項３３】
前記構成テーブル内の1つ以上の時間単位がアップリンク−ダウンリンク構成周期および第2の時間単位に基づいて決定されることは、具体的には、
前記構成テーブル内の前記1つ以上の時間単位は、前記アップリンク−ダウンリンク構成周期、前記第2の時間単位、および第3の時間単位に基づいて決定されることであり、前記第3の時間単位は、制御チャネルリソースセットのオプションの時間領域リソースである、
請求項31または32に記載の方法。
【請求項３４】
前記構成テーブル内の1つ以上の時間単位がアップリンク−ダウンリンク構成周期および第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数３】
2021520719.tif 000049
個の時間単位と前記第2の時間単位に基づいて、前記構成テーブル内の前記時間単位を決定するステップと、
である、請求項31から33のいずれか一項に記載の方法。
【請求項３５】
各時間領域間隔内の前記最後の
【数４】
2021520719.tif 000050
個の時間単位および前記第2の時間単位に基づいて前記構成テーブル内の前記時間単位を決定する前記ステップは、
各時間領域間隔内の前記最後の
【数５】
2021520719.tif 000051
個の時間単位、前記第2の時間単位、および前記第3の時間単位に基づいて前記構成テーブル内の前記時間単位を決定するステップを含み、
前記第3の時間単位は、制御リソースセットのオプションの時間領域リソースである、
請求項34に記載の方法。
【請求項３６】
前記構成テーブル内の前記時間単位は、前記ランダムアクセスシステムフレーム内の第1の時間領域セットに配置され、前記構成テーブル内の前記時間単位は前記第2の時間単位とオーバーラップせず、
前記第1の時間領域セットは
【数６】
2021520719.tif 000052
であり、T0は前記ランダムアクセスシステムフレームの開始時点を表し、TΔは前記アップリンク−ダウンリンク構成周期を表し、kは0より大きく
【数７】
2021520719.tif 000053
より小さい奇数であり、Tframeは前記ランダムアクセスシステムフレームの持続時間を表す、
請求項31から35のいずれか一項に記載の方法。
【請求項３７】
前記構成テーブルの前記時間単位は、前記第1の時間領域セット内の奇数インデックスに対応する時間単位である、請求項36に記載の方法。
【請求項３８】
前記構成テーブル内の前記1つ以上の時間単位の、前記ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、請求項31から37のいずれか一項に記載の方法。
【請求項３９】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛11、15、19、31、35、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛9、13、19、29、33、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛13、15、29、31、37、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、17、19、29、35、37、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛11、13、15、17、19、31、33、35、37、39｝のうちの1つ以上を含む、
という条件のうちの1つ以上を満たす、請求項31から38のいずれか一項に記載の方法。
【請求項４０】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛9、11、13、15、17、19、29、31、33、35、37、39｝を含み、
前記アップリンク−ダウンリンク構成周期が1ミリ秒である場合、前記構成テーブル内の前記時間単位の、前記ランダムアクセスシステムフレーム内の前記インデックスは、｛10、11、14、15、18、19、30、31、34、35、38、39｝を含み、
前記アップリンク−ダウンリンク構成周期が2ミリ秒である場合、前記構成テーブル内の前記時間単位の、前記ランダムアクセスシステムフレーム内の前記インデックスは、｛13、14、15、29、30、31、37、38、39｝を含み、または
前記アップリンク−ダウンリンク構成周期が2．5ミリ秒または5ミリ秒である場合、前記構成テーブル内の前記時間単位の、前記ランダムアクセスシステムフレーム内の前記インデックスは、｛17、19、37、39｝を含む、
という条件のうちの1つ以上を満たす、請求項31から39のいずれか一項に記載の方法。
【請求項４１】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛15、39｝を含み、
前記アップリンク−ダウンリンク構成周期が1ミリ秒である場合、前記構成テーブル内の前記時間単位の、前記ランダムアクセスシステムフレーム内の前記インデックスは、｛15、31、39｝を含み、
前記アップリンク−ダウンリンク構成周期が1．25ミリ秒である場合、前記構成テーブル内の前記第1の時間単位の、前記ランダムアクセスシステムフレーム内のインデックスは、｛19、39｝を含み、または
前記アップリンク−ダウンリンク構成周期が2．5ミリ秒である場合、前記構成テーブル内の前記時間単位の、前記ランダムアクセスシステムフレーム内の前記インデックスは、｛15、17、19、35、37、39｝を含む、
という条件のうちの1つ以上を満たす、請求項31から40のいずれか一項に記載の方法。
【請求項４２】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛15、39｝と｛9、11、13、17、19、29、31、33、35、37｝のうちの1つ以上とを含み、
前記アップリンク−ダウンリンク構成周期が1ミリ秒である場合、前記構成テーブル内の前記時間単位の、前記ランダムアクセスシステムフレーム内の前記インデックスは、｛15、31、39｝と｛10、11、14、18、19、30、34、35、38｝のうちの1つ以上とを含み、
前記アップリンク−ダウンリンク構成周期が1．25ミリ秒である場合、前記構成テーブル内の前記時間単位の、前記ランダムアクセスシステムフレーム内の前記インデックスは、｛19、39｝と｛4、9、13、14、18、29、33、34、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスは、｛15、17、19、35、37、39｝と｛9、16、18、29、36、38｝のうちの1つ以上とを含む、
という条件のうちの1つ以上を満たす、請求項31から41のいずれか一項に記載の方法。
【請求項４３】
前記構成テーブル内の前記1つ以上の時間単位の、前記ランダムアクセスシステムフレーム内の前記1つ以上のインデックスは、
前記アップリンク−ダウンリンク構成周期が0．5ミリ秒または1ミリ秒である場合、前記構成テーブル内の前記時間単位の、前記ランダムアクセスシステムフレーム内の前記インデックスは、｛11、15、19、31、35、39｝を含み、
前記アップリンク−ダウンリンク構成周期が0．5ミリ秒、2．5ミリ秒、または5ミリ秒である場合、前記構成テーブル内の前記時間単位の、前記ランダムアクセスシステムフレーム内の前記インデックスは、｛15、17、19、35、37、39｝を含み、
前記アップリンク−ダウンリンク構成周期が0．5ミリ秒、1ミリ秒、2ミリ秒、または5ミリ秒である場合、前記構成テーブル内の前記時間単位の、前記ランダムアクセスシステムフレーム内の前記インデックスは、｛15、31、39｝を含み、
前記アップリンク−ダウンリンク構成周期が1．25ミリ秒または2．5ミリ秒である場合、前記構成テーブル内の前記第1の時間単位の、前記ランダムアクセスシステムフレーム内のインデックスは、｛9、19、29、39｝を含み、
前記アップリンク−ダウンリンク構成周期が1．25ミリ秒、2．5ミリ秒、または5ミリ秒である場合、前記構成テーブル内の前記時間単位の、前記ランダムアクセスシステムフレーム内の前記インデックスは、｛19、39｝を含み、または
前記アップリンク−ダウンリンク構成周期が0．5ミリ秒、1ミリ秒、2．5ミリ秒、または5ミリ秒である場合、前記構成テーブル内の前記第1の時間単位の、前記ランダムアクセスシステムフレーム内のインデックスは、｛15、19、35、39｝を含む、
という条件のうちの1つ以上を満たす、請求項31から42のいずれか一項に記載の方法。
【請求項４４】
前記構成テーブル内の前記1つ以上の時間単位の、前記ランダムアクセスシステムフレーム内の前記1つ以上のインデックスは、
前記アップリンク−ダウンリンク構成周期が0．5ミリ秒または1ミリ秒である場合、前記構成テーブル内の前記時間単位の、前記ランダムアクセスシステムフレーム内の前記インデックスは、｛11、15、19、31、35、39｝と｛9、10、13、14、17、18、29、30、33、34、37、38｝のうちの1つ以上とを含み、
前記アップリンク−ダウンリンク構成周期が0．5ミリ秒、2．5ミリ秒、または5ミリ秒である場合、前記構成テーブル内の前記時間単位の、前記ランダムアクセスシステムフレーム内の前記インデックスは、｛15、17、19、35、37、39｝と｛9、10、11、12、13、14、16、18、29、30、31、32、33、34、36、38｝のうちの1つ以上とを含み、
前記アップリンク−ダウンリンク構成周期が0．5ミリ秒、1ミリ秒、2ミリ秒、または5ミリ秒である場合、前記構成テーブル内の前記時間単位の、前記ランダムアクセスシステムフレーム内の前記インデックスは、｛15、31、39｝と｛4、9、10、11、12、13、14、16、17、18、19、29、30、32、33、34、35、36、37、38｝のうちの1つ以上とを含み、
前記アップリンク−ダウンリンク構成周期が1．25ミリ秒または2．5ミリ秒である場合、前記構成テーブル内の前記時間単位の、前記ランダムアクセスシステムフレーム内の前記インデックスは、｛9、19、29、39｝と｛4、13、14、15、16、17、18、33、34、35、36、37、38｝のうちの1つ以上とを含み、
前記アップリンク−ダウンリンク構成周期が1．25ミリ秒、2．5ミリ秒、または5ミリ秒である場合、前記構成テーブル内の前記時間単位の、前記ランダムアクセスシステムフレーム内の前記インデックスは、｛19、39｝と｛4、9、10、11、12、13、14、15、16、17、18、29、30、31、32、33、34、35、36、37、38｝のうちの1つ以上とを含み、または
前記アップリンク−ダウンリンク構成周期が0．5ミリ秒、1ミリ秒、2．5ミリ秒、または5ミリ秒である場合、前記構成テーブル内の前記時間単位の、前記ランダムアクセスシステムフレーム内の前記インデックスは、｛15、19、35、39｝と｛9、10、11、12、13、14、16、17、18、29、30、31、32、33、34、36、37、38｝のうちの1つ以上とを含む、
という条件のうちの1つ以上を満たす、請求項31から43のいずれか一項に記載の方法。
【請求項４５】
端末デバイスによって、第1の情報を受信するステップと、
前記端末デバイスによって、前記第1の情報および構成テーブルに基づいて1つ以上の時間単位を決定するステップであって、前記1つ以上の第1の時間単位は、ランダムアクセスシーケンスのオプションの時間領域リソースである、ステップと、
を含み、
前記構成テーブル内の1つ以上の時間単位の、ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、通信方法。
【請求項４６】
ネットワークデバイスによって、構成テーブルに基づいて第1の情報を決定するステップであって、前記第1の情報は、ランダムアクセスシステムフレーム内の1つ以上の第1の時間単位を示すために使用され、前記1つ以上の第1の時間単位は、ランダムアクセスシーケンスのオプションの時間領域リソースである、ステップと、
前記ネットワークデバイスによって、前記第1の情報を送信するステップと、
を含み、
前記構成テーブル内の1つ以上の時間単位の、前記ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、通信方法。
【請求項４７】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記1つ以上の時間単位の、前記ランダムアクセスシステムフレーム内の前記1つ以上のインデックスが、｛11、15、19、31、35、39｝のうちの1つ以上を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスが、｛9、13、19、29、33、39｝のうちの1つ以上を含むことを含み、
前記アップリンク−ダウンリンク構成周期が2ミリ秒である場合に、前記構成テーブル内の前記1つ以上の時間単位の、前記ランダムアクセスシステムフレーム内の前記1つ以上のインデックスが、｛4、12、13、14、15、29、30、31、36、37、38、39｝のうちの1つ以上を含むことは、
前記アップリンク−ダウンリンク構成周期が2ミリ秒である場合、前記構成テーブル内の前記1つ以上の時間単位の、前記ランダムアクセスシステムフレーム内の前記1つ以上のインデックスが、｛13、15、29、31、37、39｝のうちの1つ以上を含むことを含み、
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスが、｛9、15、17、19、29、35、37、39｝のうちの1つ以上を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記1つ以上の時間単位の、前記ランダムアクセスシステムフレーム内の前記1つ以上のインデックスが、｛11、13、15、17、19、31、33、35、37、39｝のうちの1つ以上を含むことを含む、
請求項45または46に記載の方法。
【請求項４８】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛9、11、13、15、17、19、29、31、33、35、37、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレームの前記インデックスが、｛10、11、14、15、18、19、30、31、34、35、38、39｝を含むことを含み、
前記アップリンク−ダウンリンク構成周期が2ミリ秒である場合に、前記構成テーブル内の前記1つ以上の時間単位の、前記ランダムアクセスシステムフレーム内の前記1つ以上のインデックスが、｛4、12、13、14、15、29、30、31、36、37、38、39｝の1つ以上を含むことは、
前記アップリンク−ダウンリンク構成周期が2ミリ秒である場合、前記構成テーブル内の前記時間単位の、前記ランダムアクセスシステムフレーム内の前記インデックスが、｛13、14、15、29、30、31、37、38、39｝を含むことを含み、
前記アップリンク−ダウンリンク構成周期が2．5ミリ秒である場合に、前記第1のオプションの時間領域リソースに含まれるスロットが、｛9、15、16、17、18、19、29、35、36、37、38、39｝のうちの1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛17、19、37、39｝を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記時間単位の、前記ランダムアクセスシステムフレーム内の前記インデックスが、｛17、19、37、39｝を含むことを含む、
請求項45または46に記載の方法。
【請求項４９】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛15、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレーム内の前記インデックスが、｛15、31、39｝を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記時間単位の、前記ランダムアクセスシステムフレーム内の前記インデックスが、｛19、39｝を含むことを含み、または
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝を含むことを含む、
請求項45から48のいずれか一項に記載の方法。
【請求項５０】
前記アップリンク−ダウンリンク構成周期が0．5ミリ秒である場合に、前記1つ以上の第1の時間単位の、前記ランダムアクセスシステムフレーム内の1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛15、39｝と｛9、11、13、17、19、29、31、33、35、37、｝のうちの1つ以上とを含むことを含み、
前記アップリンク−ダウンリンク構成周期が1ミリ秒である場合に、前記1つ以上の第1の時間単位の、前記ランダムアクセスシステムフレーム内の1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレーム内の前記インデックスが、｛15、31、39｝と｛10、11、14、18、19、30、34、35、38｝のうちの1つ以上とを含むことを含み、
前記アップリンク−ダウンリンク構成周期が1．25ミリ秒である場合に、前記1つ以上の第1の時間単位の、前記ランダムアクセスシステムフレーム内の1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記時間単位の、前記ランダムアクセスシステムフレーム内の前記インデックスが、｛19、39｝と｛4、9、13、14、18、29、33、34、38｝のうちの1つ以上とを含むことを含み、または
前記アップリンク−ダウンリンク構成周期が2．5ミリ秒である場合に、前記第1のオプションの時間領域リソースに含まれるスロットが、｛9、15、16、17、18、19、29、35、36、37、38、39｝のうちの1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝と｛9、16、18、29、36、38｝のうちの1つ以上とを含むことを含む、
請求項45から49のいずれか一項に記載の方法。
【請求項５１】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝の1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛11、15、19、31、35、39｝、｛15、17、19、35、37、39｝、｛15、31、39｝、または｛15、19、35、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレームの前記インデックスが、｛11、15、19、31、35、39｝、｛15、31、39｝、または｛15、19、35、39｝を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスが、｛9、19、29、39｝または｛19、39｝を含むことを含み、
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝、｛9、19、29、39｝、｛19、39｝、または｛15、19、35、39｝を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記時間単位の、前記ランダムアクセスシステムフレーム内の前記インデックスが、｛15、17、19、35、37、39｝、｛15、31、39｝、｛19、39｝、または｛15、19、35、39｝を含むことを含む、請求項45から49のいずれか一項に記載の方法。
【請求項５２】
前記アップリンク−ダウンリンク構成周期が0．5ミリ秒である場合に、前記1つ以上の第1の時間単位の、前記ランダムアクセスシステムフレーム内の前記1つ以上のインデックスが、｛9、11、13、15、17、19、29、31、33、35、37、39｝であることは、
前記アップリンク−ダウンリンク構成周期が0．5ミリ秒である場合、前記構成テーブル内の前記時間単位の、前記ランダムアクセスシステムフレーム内の前記インデックスが、｛11、15、19、31、35、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、17、19、35、37、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、31、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、19、35、39｝と｛9、13、29、33｝のうちの1つ以上とを含むことを含み、
前記アップリンク−ダウンリンク構成周期が1ミリ秒である場合に、前記1つ以上の第1の時間単位の、前記ランダムアクセスシステムフレーム内の前記1つ以上のインデックスが、｛10、11、14、15、18、19、30、31、34、35、38、39｝の1つ以上であることは、
前記アップリンク−ダウンリンク構成周期が1ミリ秒である場合、前記構成テーブル内の前記時間単位の、前記ランダムアクセスシステムフレーム内の前記インデックスが、｛11、15、19、31、35、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛11、15、19、31、35、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛15、31、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛15、19、35、39｝と｛10、14、18、30、34、38｝のうちの1つ以上とを含むことを含み、
前記アップリンク−ダウンリンク構成周期が1．25ミリ秒である場合に、前記1つ以上の第1の時間単位の、前記ランダムアクセスシステムフレーム内の前記1つ以上のインデックスが、｛4、9、13、14、18、19、29、33、34、38、39｝のうちの1つ以上であることは、
前記アップリンク−ダウンリンク構成周期が1．25ミリ秒である場合、前記構成テーブル内の前記時間単位の、前記ランダムアクセスシステムフレーム内の前記インデックスが、｛9、19、29、39｝と｛4、13、14、18、33、34、38｝のうちの1つ以上とを含み、または
前記アップリンク−ダウンリンク構成周期が1．25ミリ秒である場合、前記構成テーブル内の前記時間単位の、前記ランダムアクセスシステムフレーム内の前記インデックスが、｛19、39｝と｛4、13、14、18、33、34、38｝のうちの1つ以上とを含むことを含み、
前記アップリンク−ダウンリンク構成周期が2．5ミリ秒である場合に、前記第1のオプションの時間領域リソースに含まれるスロットが、｛9、15、16、17、18、19、29、35、36、37、38、39｝の1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛9、19、29、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛19、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛15、19、35、39｝と｛16、18、36、38｝のうちの1つ以上とを含むことを含み、または
前記アップリンク−ダウンリンク構成周期が5ミリ秒である場合に、前記1つ以上の第1の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上であることは、
前記アップリンク−ダウンリンク構成周期が5ミリ秒である場合、前記構成テーブル内の前記時間単位の、前記ランダムアクセスシステムフレーム内の前記インデックスが、｛15、17、19、35、37、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛15、31、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛19、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛15、19、35、39｝と｛10、11、12、13、14、16、18、30、32、33、34、36、38｝のうちの1つ以上とを含むことを含む、
請求項45から51のいずれか一項に記載の方法。
【請求項５３】
前記構成テーブル内の前記1つ以上の時間単位は、前記アップリンク−ダウンリンク構成周期および第2の時間単位に基づいて決定され、前記第2の時間単位は、同期チャネルブロックのオプションの時間領域リソースである、請求項31から52のいずれか一項に記載の方法。
【請求項５４】
前記構成テーブル内の前記1つ以上の時間単位が前記アップリンク−ダウンリンク構成周期および第2の時間単位に基づいて決定されることは、具体的には、
前記構成テーブル内の前記1つ以上の時間単位は、前記アップリンク−ダウンリンク構成周期、前記第2の時間単位、および第3の時間単位に基づいて決定されることであり、前記第3の時間単位は、制御チャネルリソースセットのオプションの時間領域リソースである、請求項53に記載の方法。
【請求項５５】
前記構成テーブル内の前記1つ以上の時間単位が前記アップリンク−ダウンリンク構成周期および第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数８】
2021520719.tif 000054
個の時間単位と前記第2の時間単位に基づいて、前記構成テーブル内の前記時間単位を決定するステップと、
である、請求項53または54に記載の方法。
【請求項５６】
各時間領域間隔内の前記最後の
【数９】
2021520719.tif 000055
個の時間単位および前記第2の時間単位に基づいて前記構成テーブル内の前記時間単位を決定する前記ステップは、
各時間領域間隔内の前記最後の
【数１０】
2021520719.tif 000056
個の時間単位、前記第2の時間単位、および前記第3の時間単位に基づいて前記構成テーブル内の前記時間単位を決定するステップを含み、
前記第3の時間単位は、制御リソースセットのオプションの時間領域リソースである、
請求項55に記載の方法。
【請求項５７】
前記構成テーブル内の前記時間単位は、前記ランダムアクセスシステムフレーム内の第1の時間領域セットに配置され、前記構成テーブル内の前記時間単位は前記第2の時間単位とオーバーラップせず、
前記第1の時間領域セットは
【数１１】
2021520719.tif 000057
であり、T0は前記ランダムアクセスシステムフレームの開始時点を表し、TΔは前記アップリンク−ダウンリンク構成周期を表し、kは0より大きく
【数１２】
2021520719.tif 000058
より小さい奇数であり、Tframeは前記ランダムアクセスシステムフレームの持続時間を表す、
請求項45から56のいずれか一項に記載の方法。
【請求項５８】
前記構成テーブルの前記時間単位は、前記第1の時間領域セット内の奇数インデックスに対応する時間単位である、請求項57に記載の方法。
【請求項５９】
第1の情報を受信するように構成されたトランシーバユニットであって、前記第1の情報は、ランダムアクセスシステムフレーム内の1つ以上の第1の時間単位を示すために使用される、トランシーバユニットと、
前記トランシーバユニットによって受信された前記第1の情報および構成テーブルに基づいて前記1つ以上の第1の時間単位を決定するように構成された処理ユニットであって、前記構成テーブル内の1つ以上の時間単位は、アップリンク−ダウンリンク構成周期および第2の時間単位に基づいて決定され、前記1つ以上の第1の時間単位は、ランダムアクセスシーケンスのオプションの時間領域リソースであり、前記第2の時間単位は、同期チャネルブロックのオプションの時間領域リソースである、処理ユニットと、
を含む、通信装置。
【請求項６０】
構成テーブルに基づいて第1の情報を決定するように構成された処理ユニットであって、
前記第1の情報は、ランダムアクセスシステムフレーム内の1つ以上の第1の時間単位を示すために使用され、前記構成テーブル内の1つ以上の時間単位は、アップリンク−ダウンリンク構成周期および第2の時間単位に基づいて決定され、前記1つ以上の第1の時間単位は、ランダムアクセスシーケンスのオプションの時間領域リソースであり、前記第2の時間単位は、同期チャネルブロックのオプションの時間領域リソースである、処理ユニットと、
前記処理ユニットによって決定された前記第1の情報を送信するように構成されたトランシーバユニットと、
を含む、通信装置。
【請求項６１】
前記構成テーブル内の1つ以上の時間単位がアップリンク−ダウンリンク構成周期および第2の時間単位に基づいて決定されることは、具体的には、
前記構成テーブル内の前記1つ以上の時間単位は、前記アップリンク−ダウンリンク構成周期、前記第2の時間単位、および第3の時間単位に基づいて決定されることであり、前記第3の時間単位は、制御チャネルリソースセットのオプションの時間領域リソースである、
請求項59または60に記載の装置。
【請求項６２】
前記構成テーブル内の1つ以上の時間単位がアップリンク−ダウンリンク構成周期および第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１３】
2021520719.tif 000059
個の時間単位と前記第2の時間単位に基づいて、前記構成テーブル内の前記時間単位を決定するステップと、
である、請求項59から61のいずれか一項に記載の装置。
【請求項６３】
各時間領域間隔内の前記最後の
【数１４】
2021520719.tif 000060
個の時間単位および前記第2の時間単位に基づいて前記構成テーブル内の前記時間単位を決定する前記ステップは、
各時間領域間隔内の前記最後の
【数１５】
2021520719.tif 000061
個の時間単位、前記第2の時間単位、および前記第3の時間単位に基づいて前記構成テーブル内の前記時間単位を決定するステップを含み、
前記第3の時間単位は、制御リソースセットのオプションの時間領域リソースである、
請求項62に記載の装置。
【請求項６４】
前記構成テーブル内の前記時間単位は、前記ランダムアクセスシステムフレーム内の第1の時間領域セットに配置され、前記構成テーブル内の前記時間単位は前記第2の時間単位とオーバーラップせず、
前記第1の時間領域セットは
【数１６】
2021520719.tif 000062
であり、T0は前記ランダムアクセスシステムフレームの開始時点を表し、TΔは前記アップリンク−ダウンリンク構成周期を表し、kは0より大きく
【数１７】
2021520719.tif 000063
より小さい奇数であり、Tframeは前記ランダムアクセスシステムフレームの持続時間を表す、
請求項59から63のいずれか一項に記載の装置。
【請求項６５】
前記構成テーブルの前記時間単位は、前記第1の時間領域セット内の奇数インデックスに対応する時間単位である、請求項64に記載の装置。
【請求項６６】
前記構成テーブル内の前記1つ以上の時間単位の、前記ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、請求項59から65のいずれか一項に記載の装置。
【請求項６７】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛11、15、19、31、35、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛9、13、19、29、33、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛13、15、29、31、37、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、17、19、29、35、37、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛11、13、15、17、19、31、33、35、37、39｝のうちの1つ以上を含む、
という条件のうちの1つ以上を満たす、請求項59から66のいずれか一項に記載の装置。
【請求項６８】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛9、11、13、15、17、19、29、31、33、35、37、39｝を含み、
前記アップリンク−ダウンリンク構成周期が1ミリ秒である場合、前記構成テーブル内の前記時間単位の、前記ランダムアクセスシステムフレーム内の前記インデックスは、｛10、11、14、15、18、19、30、31、34、35、38、39｝を含み、
前記アップリンク−ダウンリンク構成周期が2ミリ秒である場合、前記構成テーブル内の前記時間単位の、前記ランダムアクセスシステムフレーム内の前記インデックスは、｛13、14、15、29、30、31、37、38、39｝を含み、または
前記アップリンク−ダウンリンク構成周期が2．5ミリ秒または5ミリ秒である場合、前記構成テーブル内の前記時間単位の、前記ランダムアクセスシステムフレーム内の前記インデックスは、｛17、19、37、39｝を含む、
という条件のうちの1つ以上を満たす、請求項59から67のいずれか一項に記載の装置。
【請求項６９】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛15、39｝を含み、
前記アップリンク−ダウンリンク構成周期が1ミリ秒である場合、前記構成テーブル内の前記時間単位の、前記ランダムアクセスシステムフレーム内の前記インデックスは、｛15、31、39｝を含み、
前記アップリンク−ダウンリンク構成周期が1．25ミリ秒である場合、前記構成テーブル内の前記第1の時間単位の、前記ランダムアクセスシステムフレーム内のインデックスは、｛19、39｝を含み、または
前記アップリンク−ダウンリンク構成周期が2．5ミリ秒である場合、前記構成テーブル内の前記時間単位の、前記ランダムアクセスシステムフレーム内の前記インデックスは、｛15、17、19、35、37、39｝を含む、
という条件のうちの1つ以上を満たす、請求項59から68のいずれか一項に記載の装置。
【請求項７０】
前記構成テーブル内の前記1つ以上の時間単位の、前記ランダムアクセスシステムフレーム内の前記1つ以上のインデックスは、
前記アップリンク−ダウンリンク構成周期が0．5ミリ秒である場合、前記構成テーブル内の前記時間単位の、前記ランダムアクセスシステムフレーム内の前記インデックスは、｛15、39｝と｛9、11、13、17、19、29、31、33、35、37｝のうちの1つ以上とを含み、
前記アップリンク−ダウンリンク構成周期が1ミリ秒である場合、前記構成テーブル内の前記時間単位の、前記ランダムアクセスシステムフレーム内の前記インデックスは、｛15、31、39｝と｛10、11、14、18、19、30、34、35、38｝のうちの1つ以上とを含み、
前記アップリンク−ダウンリンク構成周期が1．25ミリ秒である場合、前記構成テーブル内の前記時間単位の、前記ランダムアクセスシステムフレーム内の前記インデックスは、｛19、39｝と｛4、9、13、14、18、29、33、34、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスは、｛15、17、19、35、37、39｝と｛9、16、18、29、36、38｝のうちの1つ以上とを含む、
という条件のうちの1つ以上を満たす、請求項59から69のいずれか一項に記載の装置。
【請求項７１】
前記構成テーブル内の前記1つ以上の時間単位の、前記ランダムアクセスシステムフレーム内の前記1つ以上のインデックスは、
前記アップリンク−ダウンリンク構成周期が0．5ミリ秒または1ミリ秒である場合、前記構成テーブル内の前記時間単位の、前記ランダムアクセスシステムフレーム内の前記インデックスは、｛11、15、19、31、35、39｝を含み、
前記アップリンク−ダウンリンク構成周期が0．5ミリ秒、2．5ミリ秒、または5ミリ秒である場合、前記構成テーブル内の前記時間単位の、前記ランダムアクセスシステムフレーム内の前記インデックスは、｛15、17、19、35、37、39｝を含み、
前記アップリンク−ダウンリンク構成周期が0．5ミリ秒、1ミリ秒、2ミリ秒、または5ミリ秒である場合、前記構成テーブル内の前記時間単位の、前記ランダムアクセスシステムフレーム内の前記インデックスは、｛15、31、39｝を含み、
前記アップリンク−ダウンリンク構成周期が1．25ミリ秒または2．5ミリ秒である場合、前記構成テーブル内の前記第1の時間単位の、前記ランダムアクセスシステムフレーム内の前記インデックスは、｛9、19、29、39｝を含み、
前記アップリンク−ダウンリンク構成周期が1．25ミリ秒、2．5ミリ秒、または5ミリ秒である場合、前記構成テーブル内の前記時間単位の、前記ランダムアクセスシステムフレーム内の前記インデックスは、｛19、39｝を含み、または
前記アップリンク−ダウンリンク構成周期が0．5ミリ秒、1ミリ秒、2．5ミリ秒、または5ミリ秒である場合、前記構成テーブル内の前記第1の時間単位の、前記ランダムアクセスシステムフレーム内の前記インデックスは、｛15、19、35、39｝を含む、
という条件のうちの1つ以上を満たす、請求項59から70のいずれか一項に記載の装置。
【請求項７２】
前記構成テーブル内の前記1つ以上の時間単位の、前記ランダムアクセスシステムフレーム内の前記1つ以上のインデックスは、
前記アップリンク−ダウンリンク構成周期が0．5ミリ秒または1ミリ秒である場合、前記構成テーブル内の前記時間単位の、前記ランダムアクセスシステムフレーム内の前記インデックスは、｛11、15、19、31、35、39｝と｛9、10、13、14、17、18、29、30、33、34、37、38｝のうちの1つ以上とを含み、
前記アップリンク−ダウンリンク構成周期が0．5ミリ秒、2．5ミリ秒、または5ミリ秒である場合、前記構成テーブル内の前記時間単位の、前記ランダムアクセスシステムフレーム内の前記インデックスは、｛15、17、19、35、37、39｝と｛9、10、11、12、13、14、16、18、29、30、31、32、33、34、36、38｝のうちの1つ以上とを含み、
前記アップリンク−ダウンリンク構成周期が0．5ミリ秒、1ミリ秒、2ミリ秒、または5ミリ秒である場合、前記構成テーブル内の前記時間単位の、前記ランダムアクセスシステムフレーム内の前記インデックスは、｛15、31、39｝と｛4、9、10、11、12、13、14、16、17、18、19、29、30、32、33、34、35、36、37、38｝のうちの1つ以上とを含み、
前記アップリンク−ダウンリンク構成周期が1．25ミリ秒または2．5ミリ秒である場合、前記構成テーブル内の前記時間単位の、前記ランダムアクセスシステムフレーム内の前記インデックスは、｛9、19、29、39｝と｛4、13、14、15、16、17、18、33、34、35、36、37、38｝のうちの1つ以上とを含み、
前記アップリンク−ダウンリンク構成周期が1．25ミリ秒、2．5ミリ秒、または5ミリ秒である場合、前記構成テーブル内の前記時間単位の、前記ランダムアクセスシステムフレーム内の前記インデックスは、｛19、39｝と｛4、9、10、11、12、13、14、15、16、17、18、29、30、31、32、33、34、35、36、37、38｝のうちの1つ以上とを含み、または
前記アップリンク−ダウンリンク構成周期が0．5ミリ秒、1ミリ秒、2．5ミリ秒、または5ミリ秒である場合、前記構成テーブル内の前記時間単位の、前記ランダムアクセスシステムフレーム内の前記インデックスは、｛15、19、35、39｝と｛9、10、11、12、13、14、16、17、18、29、30、31、32、33、34、36、37、38｝のうちの1つ以上とを含む、
という条件のうちの1つ以上を満たす、請求項59から71のいずれか一項に記載の装置。
【請求項７３】
第1の情報を受信するように構成されたトランシーバユニットと、
前記トランシーバユニットによって受信された前記第1の情報および構成テーブルに基づいて1つ以上の時間単位を決定するように構成された処理ユニットであって、前記1つ以上の第1の時間単位は、ランダムアクセスシーケンスのオプションの時間領域リソースである、処理ユニットと、
を含み、
前記構成テーブル内の1つ以上の時間単位の、ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、通信装置。
【請求項７４】
構成テーブルに基づいて第1の情報を決定するように構成された処理ユニットであって、前記第1の情報は、ランダムアクセスシステムフレーム内の1つ以上の第1の時間単位を示すために使用され、前記1つ以上の第1の時間単位は、ランダムアクセスシーケンスのオプションの時間領域リソースである、処理ユニットと、
前記第1の情報を送信するように構成されたトランシーバユニットと、
を含み、
前記構成テーブル内の1つ以上の時間単位の、前記ランダムアクセスシステムフレーム内の1つ以上のインデックスは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスは、｛9、11、13、15、17、19、29、31、33、35、37、39｝のうちの1つ以上を含み、
前記アップリンク−ダウンリンク構成周期が1ミリ秒である場合、前記構成テーブル内の前記1つ以上の時間単位の、前記ランダムアクセスシステムフレーム内の前記1つ以上のインデックスは、｛10、11、14、15、18、19、30、31、34、35、38、39｝のうちの1つ以上を含み、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスは、｛4、9、13、14、18、19、29、33、34、38、39｝のうちの1つ以上を含み、
前記アップリンク−ダウンリンク構成周期が2ミリ秒である場合、前記構成テーブル内の前記1つ以上の時間単位の、前記ランダムアクセスシステムフレーム内の前記1つ以上のインデックスは、｛4、12、13、14、15、29、30、31、36、37、38、39｝のうちの1つ以上を含み、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスは、｛9、15、16、17、18、19、29、35、36、37、38、39｝のうちの1つ以上を含み、または
前記アップリンク−ダウンリンク構成周期が5ミリ秒である場合、前記構成テーブル内の前記1つ以上の時間単位の、前記ランダムアクセスシステムフレーム内の前記1つ以上のインデックスは、｛10、11、12、13、14、15、16、17、18、19、30、31、32、33、34、35、36、37、38、39｝のうちの1つ以上を含む、
という条件のうちの1つ以上を満たす、通信装置。
【請求項７５】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記1つ以上の時間単位の、前記ランダムアクセスシステムフレーム内の前記1つ以上のインデックスが、｛11、15、19、31、35、39｝のうちの1つ以上を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスが、｛9、13、19、29、33、39｝のうちの1つ以上を含むことを含み、
前記アップリンク−ダウンリンク構成周期が2ミリ秒である場合に、前記構成テーブル内の前記1つ以上の時間単位の、前記ランダムアクセスシステムフレーム内の前記1つ以上のインデックスが、｛4、12、13、14、15、29、30、31、36、37、38、39｝のうちの1つ以上を含むことは、
前記アップリンク−ダウンリンク構成周期が2ミリ秒である場合、前記構成テーブル内の前記1つ以上の時間単位の、前記ランダムアクセスシステムフレーム内の前記1つ以上のインデックスが、｛13、15、29、31、37、39｝のうちの1つ以上を含むことを含み、
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記1つ以上の時間単位の、前記ランダムアクセスシステムフレーム内の前記1つ以上のインデックスが、｛9、15、17、19、29、35、37、39｝のうちの1つ以上を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記1つ以上の時間単位の、前記ランダムアクセスシステムフレーム内の前記1つ以上のインデックスが、｛11、13、15、17、19、31、33、35、37、39｝のうちの1つ以上を含むことを含む、
請求項73または74に記載の装置。
【請求項７６】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛9、11、13、15、17、19、29、31、33、35、37、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレームの前記インデックスが、｛10、11、14、15、18、19、30、31、34、35、38、39｝を含むことを含み、
前記アップリンク−ダウンリンク構成周期が2ミリ秒である場合に、前記構成テーブル内の前記1つ以上の時間単位の、前記ランダムアクセスシステムフレーム内の前記1つ以上のインデックスが、｛4、12、13、14、15、29、30、31、36、37、38、39｝の1つ以上を含むことは、
前記アップリンク−ダウンリンク構成周期が2ミリ秒である場合、前記構成テーブル内の前記時間単位の、前記ランダムアクセスシステムフレーム内の前記インデックスが、｛13、14、15、29、30、31、37、38、39｝を含むことを含み、
前記アップリンク−ダウンリンク構成周期が2．5ミリ秒である場合に、前記第1のオプションの時間領域リソースに含まれるスロットが、｛9、15、16、17、18、19、29、35、36、37、38、39｝のうちの1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛17、19、37、39｝を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記時間単位の、前記ランダムアクセスシステムフレーム内の前記インデックスが、｛17、19、37、39｝を含むことを含む、
請求項73または74に記載の装置。
【請求項７７】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛15、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレーム内の前記インデックスが、｛15、31、39｝を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記時間単位の、前記ランダムアクセスシステムフレーム内の前記インデックスが、｛19、39｝を含むことを含み、または
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝を含むことを含む、
請求項73から76のいずれか一項に記載の装置。
【請求項７８】
前記アップリンク−ダウンリンク構成周期が0．5ミリ秒である場合に、前記1つ以上の第1の時間単位の、前記ランダムアクセスシステムフレーム内の1つ以上のインデックスが、｛9、11、13、15、17、19、29、31、33、35、37、39｝のうちの1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛15、39｝と｛9、11、13、17、19、29、31、33、35、37、｝のうちの1つ以上とを含むことを含み、
前記アップリンク−ダウンリンク構成周期が1ミリ秒である場合に、前記1つ以上の第1の時間単位の、前記ランダムアクセスシステムフレーム内の1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレーム内の前記インデックスが、｛15、31、39｝と｛10、11、14、18、19、30、34、35、38｝のうちの1つ以上とを含むことを含み、
前記アップリンク−ダウンリンク構成周期が1．25ミリ秒である場合に、前記1つ以上の第1の時間単位の、前記ランダムアクセスシステムフレーム内の1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記時間単位の、前記ランダムアクセスシステムフレーム内の前記インデックスが、｛19、39｝と｛4、9、13、14、18、29、33、34、38｝のうちの1つ以上とを含むことを含み、または
前記アップリンク−ダウンリンク構成周期が2．5ミリ秒である場合に、前記第1のオプションの時間領域リソースに含まれるスロットが、｛9、15、16、17、18、19、29、35、36、37、38、39｝のうちの1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝と｛9、16、18、29、36、38｝のうちの1つ以上とを含むことを含む、
請求項73から77のいずれか一項に記載の装置。
【請求項７９】
前記アップリンク−ダウンリンク構成周期が0．5ミリ秒である場合に、前記構成テーブル内の前記1つ以上の時間単位の、前記ランダムアクセスシステムフレーム内の前記1つ以上のインデックスが、｛9、11、13、15、17、19、29、31、33、35、37、39｝の1つ以上を含むことは、
前記アップリンク−ダウンリンク構成周期が0．5ミリ秒である場合、前記構成テーブル内の前記時間単位の、前記ランダムアクセスシステムフレーム内の前記インデックスが、｛11、15、19、31、35、39｝、｛15、17、19、35、37、39｝、｛15、31、39｝、または｛15、19、35、39｝を含むことを含み、
前記アップリンク−ダウンリンク構成周期が1ミリ秒である場合に、前記構成テーブル内の前記1つ以上の時間単位の、前記ランダムアクセスシステムフレーム内の前記1つ以上のインデックスが、｛10、11、14、15、18、19、30、31、34、35、38、39｝のうちの1つ以上を含むことは、
前記アップリンク−ダウンリンク構成周期が1ミリ秒である場合、前記構成テーブル内の前記時間単位の、前記ランダムアクセスシステムフレームの前記インデックスが、｛11、15、19、31、35、39｝、｛15、31、39｝、または｛15、19、35、39｝を含むことを含み、
前記アップリンク−ダウンリンク構成周期が1．25ミリ秒である場合に、前記構成テーブル内の前記1つ以上の時間単位の、前記ランダムアクセスシステムフレーム内の前記1つ以上のインデックスが、｛4、9、13、14、18、19、29、33、34、38、39｝のうちの1つ以上を含むことは、
前記アップリンク−ダウンリンク構成周期が1．25ミリ秒である場合、前記構成テーブル内の前記1つ以上の時間単位の、前記ランダムアクセスシステムフレーム内の前記1つ以上のインデックスが、｛9、19、29、39｝または｛19、39｝を含むことを含み、
前記アップリンク−ダウンリンク構成周期が2．5ミリ秒である場合に、前記構成テーブル内の前記1つ以上の時間単位の、前記ランダムアクセスシステムフレーム内の前記1つ以上のインデックスが、｛9、15、16、17、18、19、29、35、36、37、38、39｝のうちの1つ以上を含むことは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝、｛9、19、29、39｝、｛19、39｝、または｛15、19、35、39｝を含むことを含み、または
前記アップリンク−ダウンリンク構成周期が5ミリ秒である場合に、前記構成テーブル内の前記1つ以上の時間単位の、前記ランダムアクセスシステムフレーム内の前記1つ以上のインデックスが、｛10、11、12、13、14、15、16、17、18、19、30、31、32、33、34、35、36、37、38、39｝のうちの1つ以上を含むことは、
前記アップリンク−ダウンリンク構成周期が5ミリ秒である場合、前記構成テーブル内の前記時間単位の、前記ランダムアクセスシステムフレーム内の前記インデックスが、｛15、17、19、35、37、39｝、｛15、31、39｝、｛19、39｝、または｛15、19、35、39｝を含むことを含む、
請求項73から77のいずれか一項に記載の装置。
【請求項８０】
前記アップリンク−ダウンリンク構成周期が0．5ミリ秒である場合に、前記1つ以上の第1の時間単位の、前記ランダムアクセスシステムフレーム内の1つ以上のインデックスが、｛9、11、13、15、17、19、29、31、33、35、37、39｝であることは、
前記アップリンク−ダウンリンク構成周期が0．5ミリ秒である場合、前記構成テーブル内の前記時間単位の、前記ランダムアクセスシステムフレーム内の前記インデックスが、｛11、15、19、31、35、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、17、19、35、37、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、31、39｝と｛9、13、29、33｝のうちの1つ以上とを含み、または
前記アップリンク−ダウンリンク構成周期が0．5ミリ秒である場合、前記構成テーブル内の前記時間単位の、前記ランダムアクセスシステムフレーム内の前記インデックスが、｛15、19、35、39｝と｛9、13、29、33｝のうちの1つ以上とを含むことを含み、
前記アップリンク−ダウンリンク構成周期が1ミリ秒である場合に、前記1つ以上の第1の時間単位の、前記ランダムアクセスシステムフレーム内の1つ以上のインデックスが、｛10、11、14、15、18、19、30、31、34、35、38、39｝の1つ以上であることは、
前記アップリンク−ダウンリンク構成周期が1ミリ秒である場合、前記構成テーブル内の前記時間単位の、前記ランダムアクセスシステムフレーム内の前記インデックスが、｛11、15、19、31、35、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛11、15、19、31、35、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛15、31、39｝と｛10、14、18、30、34、38｝のうちの1つ以上とを含み、または
前記アップリンク−ダウンリンク構成周期が1ミリ秒である場合、前記構成テーブル内の前記時間単位の、前記ランダムアクセスシステムフレーム内の前記インデックスが、｛15、19、35、39｝と｛10、14、18、30、34、38｝のうちの1つ以上とを含むことを含み、
前記アップリンク−ダウンリンク構成周期が1．25ミリ秒である場合に、前記1つ以上の第1の時間単位の、前記ランダムアクセスシステムフレーム内の1つ以上のインデックスが、｛4、9、13、14、18、19、29、33、34、38、39｝のうちの1つ以上であることは、
前記アップリンク−ダウンリンク構成周期が1．25ミリ秒である場合、前記構成テーブル内の前記時間単位の、前記ランダムアクセスシステムフレーム内の前記インデックスが、｛9、19、29、39｝と｛4、13、14、18、33、34、38｝のうちの1つ以上とを含み、または
前記アップリンク−ダウンリンク構成周期が1．25ミリ秒である場合、前記構成テーブル内の前記時間単位の、前記ランダムアクセスシステムフレーム内の前記インデックスが、｛19、39｝と｛4、13、14、18、33、34、38｝のうちの1つ以上とを含むことを含み、
前記アップリンク−ダウンリンク構成周期が2．5ミリ秒である場合に、前記第1のオプションの時間領域リソースに含まれるスロットが、｛9、15、16、17、18、19、29、35、36、37、38、39｝の1つ以上であり得ることは、
前記アップリンク−ダウンリンク構成周期が2．5ミリ秒である場合、前記構成テーブル内の前記時間単位の、前記ランダムアクセスシステムフレーム内の前記インデックスが、｛15、17、19、35、37、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛9、19、29、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛19、39｝と｛16、18、36、38｝のうちの1つ以上とを含み、または
前記アップリンク−ダウンリンク構成周期が2．5ミリ秒である場合、前記構成テーブル内の前記時間単位の、前記ランダムアクセスシステムフレーム内の前記インデックスが、｛15、19、35、39｝と｛16、18、36、38｝のうちの1つ以上とを含むことを含み、または
前記アップリンク−ダウンリンク構成周期が5ミリ秒である場合に、前記1つ以上の第1の時間単位の、前記ランダムアクセスシステムフレーム内の1つ以上のインデックスが、｛10、11、12、13、14、15、16、17、18、19、30、31、32、33、34、35、36、37、38、39｝のうちの1つ以上であることは、
前記アップリンク−ダウンリンク構成周期が5ミリ秒である場合、前記構成テーブル内の前記時間単位の、前記ランダムアクセスシステムフレーム内の前記インデックスが、｛15、17、19、35、37、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛15、31、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛19、39｝と｛10、11、12、13、14、16、18、30、32、33、34、36、38｝のうちの1つ以上とを含み、または
前記アップリンク−ダウンリンク構成周期が5ミリ秒である場合、前記構成テーブル内の前記時間単位の、前記ランダムアクセスシステムフレーム内の前記インデックスが、｛15、19、35、39｝と｛10、11、12、13、14、16、18、30、32、33、34、36、38｝のうちの1つ以上とを含むことを含む、
請求項73から79のいずれか一項に記載の装置。
【請求項８１】
前記構成テーブル内の前記1つ以上の時間単位は、前記アップリンク−ダウンリンク構成周期および第2の時間単位に基づいて決定され、前記第2の時間単位は、同期チャネルブロックのオプションの時間領域リソースである、請求項59から80のいずれか一項に記載の装置。
【請求項８２】
前記構成テーブル内の前記1つ以上の時間単位が前記アップリンク−ダウンリンク構成周期および第2の時間単位に基づいて決定されることは、具体的には、
前記構成テーブル内の前記1つ以上の時間単位は、前記アップリンク−ダウンリンク構成周期、前記第2の時間単位、および第3の時間単位に基づいて決定されることであり、前記第3の時間単位は、制御チャネルリソースセットのオプションの時間領域リソースである、
請求項81に記載の装置。
【請求項８３】
前記構成テーブル内の前記1つ以上の時間単位が前記アップリンク−ダウンリンク構成周期および第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１８】
2021520719.tif 000064
個の時間単位と前記第2の時間単位に基づいて、前記構成テーブル内の前記時間単位を決定するステップと、
である、請求項81または82に記載の装置。
【請求項８４】
各時間領域間隔内の前記最後の
【数１９】
2021520719.tif 000065
個の時間単位および前記第2の時間単位に基づいて前記構成テーブル内の前記時間単位を決定する前記ステップは、
各時間領域間隔内の前記最後の
【数２０】
2021520719.tif 000066
個の時間単位、前記第2の時間単位、および前記第3の時間単位に基づいて前記構成テーブル内の前記時間単位を決定するステップを含み、
前記第3の時間単位は、制御リソースセットのオプションの時間領域リソースである、
請求項83に記載の装置。
【請求項８５】
前記構成テーブル内の前記時間単位は、前記ランダムアクセスシステムフレーム内の第1の時間領域セットに配置され、前記構成テーブル内の前記時間単位は前記第2の時間単位とオーバーラップせず、
前記第1の時間領域セットは
【数２１】
2021520719.tif 000067
であり、T0は前記ランダムアクセスシステムフレームの開始時点を表し、TΔは前記アップリンク−ダウンリンク構成周期を表し、kは0より大きく
【数２２】
2021520719.tif 000068
より小さい奇数であり、Tframeは前記ランダムアクセスシステムフレームの持続時間を表す、
請求項73から84のいずれか一項に記載の装置。
【請求項８６】
前記構成テーブルの前記時間単位は、前記第1の時間領域間隔内の奇数インデックスに対応する時間単位である、請求項85に記載の装置。
【請求項８７】
コンピュータ記憶媒体であって、前記コンピュータ記憶媒体は、プログラムを記憶するように構成され、前記プログラムは請求項1から15または31から58のいずれか一項に記載の方法を実行するように構成される、コンピュータ記憶媒体。
【請求項８８】
請求項1から15または31から58のいずれか一項に記載の方法を実行するように構成される、装置。
【請求項８９】
プロセッサであって、前記プロセッサはメモリに結合される、プロセッサを備える装置であって、
前記メモリは、コンピュータプログラムを記憶するように構成され、
前記プロセッサは、前記装置が請求項1から15または31から58のいずれか一項に記載の方法を実行できるようにするために、前記メモリに記憶された前記コンピュータプログラムを実行するように構成される、
装置。
【請求項９０】
プロセッサ、メモリ、およびトランシーバを備える装置であって、
前記メモリは、コンピュータプログラムを記憶するように構成され、
前記プロセッサは、前記装置が請求項1から15または31から58のいずれか一項に記載の方法を実行できるようにするために、前記メモリに記憶された前記コンピュータプログラムを実行するように構成される、
装置。
【請求項９１】
請求項1から15または31から58のいずれか一項に記載の方法を実行するように構成された、少なくとも1つのタイプの回路を含む、プロセッサ。
【請求項９２】
プログラムまたは命令を含むコンピュータプログラムであって、前記プログラムまたは前記命令がコンピュータ上で実行されるとき、請求項1から15または31から58のいずれか一項に記載の方法が実行される、コンピュータプログラム。
【請求項９３】
請求項16、20から30、59、または61から86のいずれか一項に記載の装置と、請求項17から30または60から86のいずれか一項に記載の装置と、を備える、システム。
【発明の詳細な説明】
【技術分野】
【０００１】
本出願は、通信技術の分野に関し、特に、通信方法および装置に関する。
【背景技術】
【０００２】
現在、ランダムアクセス手順では、端末デバイスは最初にランダムアクセスシーケンスを送信するための時間領域リソースを決定する必要がある。現在、端末デバイスがランダムアクセスシーケンスを送信するための時間領域リソースを決定する方法に関連する解決策はない。
【発明の概要】
【課題を解決するための手段】
【０００３】
本出願は、通信方法および装置を提供し、それにより、端末デバイスがランダムアクセスシーケンスを送信するために使用する時間領域リソースは、本出願の方法および装置を用いることによって決定することができる。
【０００４】
第1の態様によれば、本出願は、端末デバイスによって、第1の情報を受信するステップであって、第1の情報は、ランダムアクセスシステムフレーム内の1つ以上の第1の時間単位を示すために使用される、ステップと、端末デバイスによって、第1の情報および構成テーブルに基づいて1つ以上の第1の時間単位を決定するステップであって、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである、ステップと、を含む、通信方法を提供する。
【０００５】
第2の態様によれば、本出願は、ネットワークデバイスによって、構成テーブルに基づいて第1の情報を決定するステップであって、第1の情報は、ランダムアクセスシステムフレーム内の1つ以上の第1の時間単位を示すために使用され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである、ステップと、ネットワークデバイスによって、第1の情報を送信するステップと、を含む、通信方法を提供する。
【０００６】
可能な設計では、構成テーブル内の1つ以上の時間単位がアップリンク−ダウンリンク構成周期および第2の時間単位に基づいて決定されることは、具体的には、構成テーブル内の1つ以上の時間単位が、アップリンク−ダウンリンク構成周期、第2の時間単位、および第3の時間単位に基づいて決定されることであり、第3の時間単位は、制御チャネルリソースセットのオプションの時間領域リソースである。
【０００７】
可能な設計では、構成テーブル内の1つ以上の時間単位がアップリンク−ダウンリンク構成周期および第2の時間単位に基づいて決定されることは、具体的には、
アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１】
2021520719.tif 000003
個の時間単位と第2の時間単位に基づいて、構成テーブル内の時間単位を決定するステップと、である。
【０００８】
可能な設計では、各時間領域間隔内の最後の
【数２】
2021520719.tif 000004
個の時間単位および第2の時間単位に基づいて構成テーブル内の時間単位を決定するステップは、
各時間領域間隔内の最後の
【数３】
2021520719.tif 000005
個の時間単位、第2の時間単位、および第3の時間単位に基づいて構成テーブル内の時間単位を決定するステップを含み、
第3の時間単位は、制御リソースセットのオプションの時間領域リソースである。
【０００９】
可能な設計では、構成テーブル内の時間単位は、ランダムアクセスシステムフレーム内の第1の時間領域セットに配置され、構成テーブル内の時間単位は第2の時間単位とオーバーラップせず、
第1の時間領域セットは
【数４】
2021520719.tif 000006
であり、T0はランダムアクセスシステムフレームの開始時点を表し、TΔはアップリンク−ダウンリンク構成周期を表し、kは0より大きく
【数５】
2021520719.tif 000007
より小さい奇数であり、Tframeはランダムアクセスシステムフレームの持続時間を表す。
【００１０】
可能な設計では、構成テーブル内の時間単位は、第1の時間領域セット内の奇数インデックスに対応する時間単位である。
【００１１】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００１２】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛11、15、19、31、35、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛9、13、19、29、33、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛13、15、29、31、37、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、17、19、29、35、37、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛11、13、15、17、19、31、33、35、37、39｝のうちの1つ以上を含む、
という条件のうちの1つ以上を満たす。
【００１３】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛9、11、13、15、17、19、29、31、33、35、37、39｝を含み、
アップリンク−ダウンリンク構成周期が1ミリ秒である場合、構成テーブル内の時間単位の、ランダムアクセスシステムフレーム内のインデックスは、｛10、11、14、15、18、19、30、31、34、35、38、39｝を含み、
アップリンク−ダウンリンク構成周期が2ミリ秒である場合、構成テーブル内の時間単位の、ランダムアクセスシステムフレーム内のインデックスは、｛13、14、15、29、30、31、37、38、39｝を含み、または
アップリンク−ダウンリンク構成周期が2．5ミリ秒または5ミリ秒である場合、構成テーブル内の時間単位の、ランダムアクセスシステムフレーム内のインデックスは、｛17、19、37、39｝を含む、
という条件のうちの1つ以上を満たす。
【００１４】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝を含み、
アップリンク−ダウンリンク構成周期が1ミリ秒である場合、構成テーブル内の時間単位の、ランダムアクセスシステムフレーム内のインデックスは、｛15、31、39｝を含み、
アップリンク−ダウンリンク構成周期が1．25ミリ秒である場合、構成テーブル内の第1の時間単位の、ランダムアクセスシステムフレーム内のインデックスは、｛19、39｝を含み、または
アップリンク−ダウンリンク構成周期が2．5ミリ秒である場合、構成テーブル内の時間単位の、ランダムアクセスシステムフレーム内のインデックスは、｛15、17、19、35、37、39｝を含む、
という条件のうちの1つ以上を満たす。
【００１５】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝と｛9、11、13、17、19、29、31、33、35、37｝のうちの1つ以上とを含み、
アップリンク−ダウンリンク構成周期が1ミリ秒である場合、構成テーブル内の時間単位の、ランダムアクセスシステムフレーム内のインデックスは、｛15、31、39｝と｛10、11、14、18、19、30、34、35、38｝のうちの1つ以上とを含み、
アップリンク−ダウンリンク構成周期が1．25ミリ秒である場合、構成テーブル内の時間単位の、ランダムアクセスシステムフレーム内のインデックスは、｛19、39｝と｛4、9、13、14、18、29、33、34、38｝のうちの1つ以上とを含み、または
アップリンク−ダウンリンク構成周期が2．5ミリ秒である場合、構成テーブル内の時間単位の、ランダムアクセスシステムフレーム内のインデックスは、｛15、17、19、35、37、39｝と｛9、16、18、29、36、38｝のうちの1つ以上とを含む、
という条件のうちの1つ以上を満たす。
【００１６】
可能な設計では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝を含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝を含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝を含み、
アップリンク−ダウンリンク構成周期が1．25ミリ秒または2．5ミリ秒である場合、構成テーブル内の第1の時間単位の、ランダムアクセスシステムフレーム内のインデックスは、｛9、19、29、39｝を含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝を含み、または
アップリンク−ダウンリンク構成周期が0．5ミリ秒、1ミリ秒、2．5ミリ秒、または5ミリ秒である場合、構成テーブル内の第1の時間単位の、ランダムアクセスシステムフレーム内のインデックスは、｛15、19、35、39｝を含む、
という条件のうちの1つ以上を満たす。
【００１７】
可能な設計では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝と｛9、10、13、14、17、18、29、30、33、34、37、38｝のうちの1つ以上とを含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝と｛9、10、11、12、13、14、16、18、29、30、31、32、33、34、36、38｝のうちの1つ以上とを含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝と｛4、9、10、11、12、13、14、16、17、18、19、29、30、32、33、34、35、36、37、38｝のうちの1つ以上とを含み、
アップリンク−ダウンリンク構成周期が1．25ミリ秒または2．5ミリ秒である場合、構成テーブル内の時間単位の、ランダムアクセスシステムフレーム内のインデックスは、｛9、19、29、39｝と｛4、13、14、15、16、17、18、33、34、35、36、37、38｝のうちの1つ以上とを含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝と｛4、9、10、11、12、13、14、15、16、17、18、29、30、31、32、33、34、35、36、37、38｝のうちの1つ以上とを含み、または
アップリンク−ダウンリンク構成周期が0．5ミリ秒、1ミリ秒、2．5ミリ秒、または5ミリ秒である場合、構成テーブル内の時間単位の、ランダムアクセスシステムフレーム内のインデックスは、｛15、19、35、39｝と｛9、10、11、12、13、14、16、17、18、29、30、31、32、33、34、36、37、38｝のうちの1つ以上とを含む、
という条件のうちの1つ以上を満たす。
【００１８】
第3の態様によれば、通信方法が提供される。方法は、
端末デバイスによって、第1の情報を受信するステップと、
端末デバイスによって、第1の情報および構成テーブルに基づいて1つ以上の時間単位を決定するステップであって、1つ以上の第1の時間単位は、ランダムアクセスシーケンスのオプションの時間領域リソースである、ステップと、を含み、
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００１９】
第4の態様によれば、通信方法が提供される。通信方法は、
ネットワークデバイスによって、構成テーブルに基づいて第1の情報を決定するステップであって、第1の情報は、ランダムアクセスシステムフレーム内の1つ以上の第1の時間単位を示すために使用され、1つ以上の第1の時間単位は、ランダムアクセスシーケンスのオプションの時間領域リソースである、ステップと、
ネットワークデバイスによって、第1の情報を送信するステップと、を含み、
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００２０】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の1つ以上の時間単位の、ランダムアクセスシステムフレーム内の1つ以上のインデックスが、｛11、15、19、31、35、39｝のうちの1つ以上を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の1つ以上の時間単位の、ランダムアクセスシステムフレーム内の1つ以上のインデックスが、｛9、13、19、29、33、39｝のうちの1つ以上を含むことを含み、
アップリンク−ダウンリンク構成周期が2ミリ秒である場合に、構成テーブル内の1つ以上の時間単位の、ランダムアクセスシステムフレーム内の1つ以上のインデックスが、｛4、12、13、14、15、29、30、31、36、37、38、39｝のうちの1つ以上を含むことは、
アップリンク−ダウンリンク構成周期が2ミリ秒である場合、構成テーブル内の1つ以上の時間単位の、ランダムアクセスシステムフレーム内の1つ以上のインデックスが、｛13、15、29、31、37、39｝のうちの1つ以上を含むことを含み、
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の1つ以上の時間単位の、ランダムアクセスシステムフレーム内の1つ以上のインデックスが、｛9、15、17、19、29、35、37、39｝のうちの1つ以上を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の1つ以上の時間単位の、ランダムアクセスシステムフレーム内の1つ以上のインデックスが、｛11、13、15、17、19、31、33、35、37、39｝のうちの1つ以上を含むことを含む。
【００２１】
可能な設計では、
アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛9、11、13、15、17、19、29、31、33、35、37、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレームのインデックスが、｛10、11、14、15、18、19、30、31、34、35、38、39｝を含むことを含み、
アップリンク−ダウンリンク構成周期が2ミリ秒である場合に、構成テーブル内の1つ以上の時間単位の、ランダムアクセスシステムフレーム内の1つ以上のインデックスが、｛4、12、13、14、15、29、30、31、36、37、38、39｝の1つ以上を含むことは、
アップリンク−ダウンリンク構成周期が2ミリ秒である場合、構成テーブル内の時間単位の、ランダムアクセスシステムフレーム内のインデックスが、｛13、14、15、29、30、31、37、38、39｝を含むことを含み、
アップリンク−ダウンリンク構成周期が2．5ミリ秒である場合に、第1のオプションの時間領域リソースに含まれるスロットが、｛9、15、16、17、18、19、29、35、36、37、38、39｝のうちの1つ以上であり得ることは、
アップリンク−ダウンリンク構成周期が2．5ミリ秒である場合、構成テーブル内の時間単位の、ランダムアクセスシステムフレーム内のインデックスが、｛17、19、37、39｝を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の時間単位の、ランダムアクセスシステムフレーム内のインデックスが、｛17、19、37、39｝を含むことを含む。
【００２２】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛15、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレーム内のインデックスが、｛15、31、39｝を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の時間単位の、ランダムアクセスシステムフレーム内のインデックスが｛19、39｝を含むことを含み、または
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の時間単位の、ランダムアクセスシステムフレーム内のインデックスが、｛15、17、19、35、37、39｝を含むことを含む。
【００２３】
可能な設計では、
アップリンク−ダウンリンク構成周期が0．5ミリ秒である場合に、1つ以上の第1の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛15、39｝と｛9、11、13、17、19、29、31、33、35、37、｝のうちの1つ以上とを含むことを含み、
アップリンク−ダウンリンク構成周期が1ミリ秒である場合に、1つ以上の第1の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレーム内のインデックスが、｛15、31、39｝と｛10、11、14、18、19、30、34、35、38｝のうちの1つ以上とを含むことを含み、
アップリンク−ダウンリンク構成周期が1．25ミリ秒である場合に、1つ以上の第1の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の時間単位の、ランダムアクセスシステムフレーム内のインデックスが、｛19、39｝と｛4、9、13、14、18、29、33、34、38｝のうちの1つ以上とを含むことを含み、または
アップリンク−ダウンリンク構成周期が2．5ミリ秒である場合に、第1のオプションの時間領域リソースに含まれるスロットが、｛9、15、16、17、18、19、29、35、36、37、38、39｝のうちの1つ以上であり得ることは、
アップリンク−ダウンリンク構成周期が2．5ミリ秒である場合、構成テーブル内の時間単位の、ランダムアクセスシステムフレーム内のインデックスが、｛15、17、19、35、37、39｝と｛9、16、18、29、36、38｝のうちの1つ以上とを含むことを含む。
【００２４】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝の1つ以上を含むことは、
アップリンク−ダウンリンク構成周期が0．5ミリ秒である場合、構成テーブル内の時間単位の、ランダムアクセスシステムフレーム内のインデックスが、｛11、15、19、31、35、39｝、｛15、17、19、35、37、39｝、｛15、31、39｝、または｛15、19、35、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレームのインデックスが、｛11、15、19、31、35、39｝、｛15、31、39｝、または｛15、19、35、39｝を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の1つ以上の時間単位の、ランダムアクセスシステムフレーム内の1つ以上のインデックスが、｛9、19、29、39｝または｛19、39｝を含むことを含み、
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の時間単位の、ランダムアクセスシステムフレーム内のインデックスが、｛15、17、19、35、37、39｝、｛9、19、29、39｝、｛19、39｝、または｛15、19、35、39｝を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の時間単位の、ランダムアクセスシステムフレーム内のインデックスが、｛15、17、19、35、37、39｝、｛15、31、39｝、｛19、39｝、または｛15、19、35、39｝を含むことを含む。
【００２５】
可能な設計では、アップリンク−ダウンリンク構成周期が0．5ミリ秒である場合に、1つ以上の第1の時間単位の、ランダムアクセスシステムフレーム内の1つ以上のインデックスが、｛9、11、13、15、17、19、29、31、33、35、37、39｝であることは、
アップリンク−ダウンリンク構成周期が0．5ミリ秒である場合、構成テーブル内の時間単位の、ランダムアクセスシステムフレーム内のインデックスが、｛11、15、19、31、35、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、17、19、35、37、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、31、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、19、35、39｝と｛9、13、29、33｝のうちの1つ以上とを含むことを含み、
アップリンク−ダウンリンク構成周期が1ミリ秒である場合に、1つ以上の第1の時間単位の、ランダムアクセスシステムフレーム内の1つ以上のインデックスが、｛10、11、14、15、18、19、30、31、34、35、38、39｝の1つ以上であることは、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛15、31、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛15、19、35、39｝と｛10、14、18、30、34、38｝のうちの1つ以上とを含むことを含み、
アップリンク−ダウンリンク構成周期が1．25ミリ秒である場合に、1つ以上の第1の時間単位の、ランダムアクセスシステムフレーム内の1つ以上のインデックスが、｛4、9、13、14、18、19、29、33、34、38、39｝のうちの1つ以上であることは、
アップリンク−ダウンリンク構成周期が1．25ミリ秒である場合、構成テーブル内の時間単位の、ランダムアクセスシステムフレーム内のインデックスが、｛9、19、29、39｝と｛4、13、14、18、33、34、38｝のうちの1つ以上とを含み、または
アップリンク−ダウンリンク構成周期が1．25ミリ秒である場合、構成テーブル内の時間単位の、ランダムアクセスシステムフレーム内のインデックスが、｛19、39｝と｛4、13、14、18、33、34、38｝のうちの1つ以上とを含むことを含み、
アップリンク−ダウンリンク構成周期が2．5ミリ秒である場合に、第1のオプションの時間領域リソースに含まれるスロットが、｛9、15、16、17、18、19、29、35、36、37、38、39｝の1つ以上であり得ることは、
アップリンク−ダウンリンク構成周期が2．5ミリ秒である場合、構成テーブル内の時間単位の、ランダムアクセスシステムフレーム内のインデックスが、｛15、17、19、35、37、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛9、19、29、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛19、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛15、19、35、39｝と｛16、18、36、38｝のうちの1つ以上とを含むことを含み、または
アップリンク−ダウンリンク構成周期が5ミリ秒である場合に、1つ以上の第1の時間単位の、ランダムアクセスシステムフレーム内の1つ以上のインデックスが、｛10、11、12、13、14、15、16、17、18、19、30、31、32、33、34、35、36、37、38、39｝のうちの1つ以上であることは、
アップリンク−ダウンリンク構成周期が5ミリ秒である場合、構成テーブル内の時間単位の、ランダムアクセスシステムフレーム内のインデックスが、｛15、17、19、35、37、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、31、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛19、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、19、35、39｝と｛10、11、12、13、14、16、18、30、32、33、34、36、38｝のうちの1つ以上とを含むことを含む。
【００２６】
可能な設計では、構成テーブル内の1つ以上の時間単位は、アップリンク−ダウンリンク構成周期および第2の時間単位に基づいて決定され、第2の時間単位は、同期チャネルブロックのオプションの時間領域リソースである。
【００２７】
可能な設計では、構成テーブル内の1つ以上の時間単位がアップリンク−ダウンリンク構成周期および第2の時間単位に基づいて決定されることは、具体的には、
構成テーブル内の1つ以上の時間単位は、アップリンク−ダウンリンク構成周期、第2の時間単位、および第3の時間単位に基づいて決定されることであり、第3の時間単位は、制御チャネルリソースセットのオプションの時間領域リソースである。
【００２８】
可能な設計では、構成テーブル内の1つ以上の時間単位がアップリンク−ダウンリンク構成周期および第2の時間単位に基づいて決定されることは、具体的には、
アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数６】
2021520719.tif 000008
個の時間単位と第2の時間単位に基づいて、構成テーブル内の時間単位を決定するステップと、である。
【００２９】
可能な設計では、各時間領域間隔内の最後の
【数７】
2021520719.tif 000009
個の時間単位および第2の時間単位に基づいて構成テーブル内の時間単位を決定するステップは、
各時間領域間隔内の最後の
【数８】
2021520719.tif 000010
個の時間単位、第2の時間単位、および第3の時間単位に基づいて構成テーブル内の時間単位を決定するステップを含み、
第3の時間単位は、制御リソースセットのオプションの時間領域リソースである。
【００３０】
可能な設計では、構成テーブル内の時間単位は、ランダムアクセスシステムフレーム内の第1の時間領域セットに配置され、構成テーブル内の時間単位は第2の時間単位とオーバーラップせず、
第1の時間領域セットは
【数９】
2021520719.tif 000011
であり、T0はランダムアクセスシステムフレームの開始時点を表し、TΔはアップリンク−ダウンリンク構成周期を表し、kは0より大きく
【数１０】
2021520719.tif 000012
より小さい奇数であり、Tframeはランダムアクセスシステムフレームの持続時間を表す。
【００３１】
可能な設計では、構成テーブル内の時間単位は、第1の時間領域セット内の奇数インデックスに対応する時間単位である。
【００３２】
第5の態様によれば、本出願の実施形態は、前述の方法のいずれか1つを実行することができる通信装置を提供する。
【００３３】
可能な設計では、装置は、1つ以上の処理ユニットおよび通信ユニットを含む。1つ以上の処理ユニットは、前述の方法で端末デバイスまたはネットワークデバイスの対応する機能を実行する際に装置をサポートするように構成されている。通信ユニットは、例えば、第1のメッセージを受信するといった、受信および／または送信機能を実装するために、他のデバイスと通信する際に装置をサポートするように構成されている。
【００３４】
装置は、端末デバイス、ネットワークデバイスなどであってもよく、通信ユニットは、通信インタフェースであってもよい。任意選択で、通信インタフェースは、代替的に、入力／出力回路またはインタフェースであってもよい。
【００３５】
あるいは、装置は通信チップであってもよい。通信ユニットは、通信チップの入力／出力回路またはインタフェースであってもよい。
【００３６】
他の可能な設計では、装置は、通信インタフェースおよびプロセッサを含む。プロセッサは、信号を送受信するための通信インタフェースを制御するように構成されている。プロセッサは、コンピュータプログラムを実行するように構成され、その結果、装置は、第1の態様から第5の態様のいずれか1つまたはその可能な実装による通信方法を実行する。
【００３７】
任意選択で、装置は、メモリをさらに含んでもよく、メモリは、コンピュータプログラムを記憶するように構成され、プロセッサは、メモリ内のコンピュータプログラムを実行するように特に構成されてもよく、その結果、装置は、第1の態様から第6の態様のいずれか1つまたはその可能な実装による通信方法を実行する。
【００３８】
第8の態様によれば、本出願の実施形態は、読み取り可能な記憶媒体をさらに提供する。読み取り可能な記憶媒体は、プログラムまたは命令を記憶し、プログラムまたは命令がコンピュータ上で実行されるとき、上記の態様による通信方法が実行される。
【００３９】
第9の態様によれば、本出願の実施形態は、命令を含むコンピュータプログラム製品をさらに提供する。コンピュータプログラム製品がコンピュータ上で実行されるとき、コンピュータは、上記の態様での通信方法を実行できるようになる。
【００４０】
第20の態様によれば、信号検出方法が提供される。方法は、ユーザ機器によって、指示情報を受信するステップであって、指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである、ステップと、ユーザ機器によって、指示情報に基づいて制御リソースセットの構成情報を決定するステップであって、制御リソースセットおよび共通信号ブロックは、周波数分割多重され、制御リソースセットのサブキャリア間隔は120kHzである、ステップと、を含む。
【００４１】
第21の態様によれば、信号検出方法が提供される。方法は、ネットワークデバイスによって、指示情報を生成するステップであって、指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである、ステップと、ネットワークデバイスによって、指示情報を送信するステップであって、制御リソースセットおよび共通信号ブロックは、周波数分割多重され、制御リソースセットのサブキャリア間隔は120kHzである、ステップと、を含む。
【００４２】
第22の態様によれば、ユーザ機器が提供される。ユーザ機器は、受信ユニットおよび処理ユニットを含む。受信ユニットは、指示情報を受信するように構成されている。指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである。処理ユニットは、指示情報に基づいて制御リソースセットの構成情報を決定するように構成されている。制御リソースセットおよび共通信号ブロックは周波数分割多重されており、制御リソースセットのサブキャリア間隔は120kHzである。
【００４３】
第23の態様によれば、ネットワークデバイスが提供される。ネットワークデバイスは、処理ユニットおよび送信ユニットを含む。処理ユニットは、指示情報を生成するように構成されている。指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである。送信ユニットは、指示情報を送信するように構成されている。制御リソースセットおよび共通信号ブロックは周波数分割多重されており、制御リソースセットのサブキャリア間隔は120kHzである。
【００４４】
第24の態様によれば、通信デバイスが提供される。通信デバイスは、プロセッサ、トランシーバ、およびメモリを含む。メモリは命令を記憶し、命令がプロセッサによって実行されるとき、通信デバイスは、第20の態様または第21の態様による方法を実行するように構成されている。
【００４５】
第25の態様によれば、読み取り可能な記憶媒体が提供される。読み取り可能な記憶媒体は命令を含み、命令が実行されるとき、命令は、第20の態様または第21の態様による方法を実行するために使用される。
【００４６】
第25の態様によれば、チップが提供される。命令が実行されるとき、命令は、第20の態様または第21の態様による方法を実行するために使用され得る。
【００４７】
第20の態様、第21の態様、第22の態様、第23の態様、第24の態様、または第25の態様のいずれかの可能な実装では、時間領域リソースサイズは2つのOFDMシンボルである。
【００４８】
第20の態様、第21の態様、第22の態様、第23の態様、第24の態様、または第25の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、−20リソースブロックまたは−21リソースブロックの周波数領域差分である。
【００４９】
第20の態様、第21の態様、第22の態様、第23の態様、第24の態様、または第25の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、96リソースブロックの周波数領域差分である。
【００５０】
第20の態様、第21の態様、第22の態様、第23の態様、第24の態様、または第25の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、192リソースブロックの周波数領域差分である。
【００５１】
第26の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５２】
【表１】
2021520719.tif 000013
【００５３】
第27の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５４】
【表２】
2021520719.tif 000014
【００５５】
第28の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５６】
【表３】
2021520719.tif 000015
【００５７】
第26の態様、第27の態様、および第28の態様は、代替的に、ユーザ機器、読み取り可能な記憶媒体、またはチップであり得る。
【図面の簡単な説明】
【００５８】
【図１】本出願の実施形態による通信システムの概略構造図である。
【図２】本出願の実施形態による通信方法の概略フローチャートである。
【図３】本出願の実施形態による第1の時間領域セットの概略フローチャートである。
【図４】本出願の実施形態による通信方法の概略フローチャートである。
【図５】本出願の実施形態による通信装置の概略構造図である。
【図６】本出願の実施形態による端末デバイスの概略構造図である。
【図７】本出願の実施形態による通信装置の概略構造図である。
【図８】本出願の実施形態によるネットワークデバイスの概略構造図である。
【図９】本出願の実施形態による制御リソースセット多重化パターンの概略図である。
【発明を実施するための形態】
【００５９】
理解を容易にするために、本出願に関連する概念の説明は、以下に示す例を使用して参照用に提供されている。
【００６０】
（1）ネットワークデバイス：ネットワークデバイスは、ネットワーク内にあり、端末デバイスをワイヤレスネットワークに接続するデバイスである。ネットワークデバイスは、無線アクセスネットワーク内のノードであり、基地局または無線アクセスネットワーク（radio access network、RAN）ノード（またはデバイス）と呼ばれることもある。現在、いくつかのネットワークデバイスは、例えば、gNB、送信受信ポイント（transmission reception point、TRP）、進化型ノードB（evolved Node B、eNB）、無線ネットワークコントローラ（radio network controller、RNC）、ノードB（Node B、NB）、基地局コントローラ（base station controller、BSC）、基地トランシーバ局（base transceiver station、BTS）、ホーム基地局（例えば、home evolved NodeBまたはhome NodeB、HNB）、ベースバンドユニット（base band unit、BBU）、およびワイヤレスフィデリティ（wireless fidelity、Wifi）アクセスポイント（access point、AP）である。さらに、ネットワーク構造では、ネットワークデバイスは、集中型ユニット（centralized unit、CU）ノードおよび分散型ユニット（distributed unit、DU）ノードを含み得る。この構造では、長期進化（long term evolution、LTE）システムのeNBのプロトコル層が分割され、プロトコル層の一部の機能はCUによって集中方式で制御され、プロトコル層の残りの機能またはすべての機能はDUに分散され、CUはDUを集中方式で制御する。
【００６１】
（2）端末デバイス：端末デバイスは、ユーザ機器（user equipment、UE）、移動局（mobile station、MS）、移動端末（mobile terminal、MT）等とも呼ばれ、ユーザに音声および／またはデータ接続を提供するデバイス、例えば、ハンドヘルドデバイスまたは無線接続機能を有する車載デバイスである。現在、一部の端末は、例えば、携帯電話（mobile phone）、タブレットコンピュータ、ノートブックコンピュータ、パームトップコンピュータ、モバイルインターネットデバイス（mobile internet device、MID）、ウェアラブル端末、仮想現実（virtual reality、VR）デバイス、拡張現実（augmented reality、AR）デバイス、産業用制御（industrial control）の無線端末、自走（self driving）の無線端末、遠隔手術（remote medical surgery）の無線端末、スマートグリッド（smart grid）の無線端末、輸送安全（transportation safety）の無線端末、スマートシティ（smart city）の無線端末、およびスマートホーム（smart home）の無線端末である。
【００６２】
（3）通信システム：通信システムは、さまざまな無線アクセス技術（radio access technology、RAT）システム、例えば、コード分割多元アクセス（code division multiple access、CDMA）システム、時分割多元アクセス（time division multiple access、TDMA）システム、周波数分割多元接続（frequency division multiple access、FDMA）システム、直交周波数分割多元アクセス（orthogonal frequency−division multiple access、OFDMA）システム、シングルキャリア周波数分割多元アクセス（single carrier FDMA、SC−FDMA）システム、および他のシステムである。「システム」および「ネットワーク」という用語は交換できる。CDMAシステムは、ユニバーサル地上無線アクセス（universal terrestrial radio access、UTRA）およびCDMA2000などの無線技術を実装することができる。UTRAは、広帯域CDMA（wideband CDMA、WCDMA（登録商標））技術およびCDMAの他の変形技術を含み得る。CDMA2000は、暫定規格（interim standard、IS）2000（IS−2000）、IS−95、およびIS−856規格をカバーし得る。TDMAシステムは、移動体通信のためのグローバルシステム（global system for mobile communication、GSM）などの無線技術を実装することができる。OFDMAシステムは、進化型ユニバーサル地上無線アクセス（evolved UTRA、E−UTRA）、ウルトラモバイルブロードバンド（ultra mobile broadband、UMB）、IEEE 802．11（Wi−Fi）、IEEE 802．16（WiMAX）、IEEE802．20およびフラッシュOFDMAなどの無線技術を実装できる。UTRAおよびE−UTRAはUMTSであり、UMTSの進化バージョンである。E−UTRAを使用するUMTSの新しいバージョンは、3GPP長期進化（long term evolution、LTE）で使用され、さまざまなバージョンがLTEに基づいて進化した。さらに、通信システムは、未来志向の通信技術にさらに適用され得る。新しい通信技術を使用する通信システムがベアラ確立を含むという条件で、本出願の実施形態で提供される技術的解決策は、通信システムに適用可能である。本出願の実施形態で説明されるシステムアーキテクチャおよびサービスシナリオは、本出願の実施形態の技術的解決策をより明確に説明することを意図しており、本出願の実施形態で提供される技術的解決策に対する制限を構成しない。当業者は、ネットワークアーキテクチャの進化および新しいサービスシナリオの出現により、本出願の実施形態で提供される技術的解決策が同様の技術的問題にも適用可能であることを知ることができる。
【００６３】
（4）同期信号ブロック（synchronous signal block、SSB）：SSBは4つの連続する直交周波数分割多重シンボルを占有し、SSBはNR−PSS、NR−SSS、およびNR−PBCHを含みうる。
【００６４】
（5）制御リソースセット（control resource set、CORESET）：CORESETの機能は、LTEのダウンリンク制御エリアの機能と同様である。CORESETは、周波数領域に複数の物理リソースブロックを含み、時間領域に複数の直交周波数分割多重シンボルを含む。
【００６５】
（6）時間単位：時間単位は本質的に時間領域リソースであり、これらに限定されないが、スロット、サブフレーム、シンボル、フレーム、送信時間間隔（transmission time interval、TTI）などと呼ばれうる。
【００６６】
また、本出願の説明において、「第1」、「第2」などの単語は、単に区他の説明のために使用されており、相対的な重要性を示すものまたは暗に意味するもの、あるいは順番を示すものまたは暗に意味するものとして理解することはできないことを理解されたい。
【００６７】
図1は、本出願の実施形態による通信システム100を示している。通信システム100は、主に無線通信シナリオに適用され、ネットワークデバイス101および端末デバイス102を含み得る。
【００６８】
本出願のこの実施形態では、端末デバイス102がネットワークデバイス101にアクセスするプロセスは、以下であり得る：最初に、端末デバイス102は、セルを検索して、セルのシステム情報を取得し、端末デバイス102は、セルのシステム情報を使用することによってセルとのダウンリンク同期を実現することができる。次に、端末デバイス102は、セルへの接続を確立し、ランダムアクセス手順（random access procedure、RAP）を使用することによってアップリンク同期を実現することができる。
【００６９】
本出願の例では、端末デバイス102のランダムアクセス手順は、以下であり得る：端末デバイス102は、ランダムアクセスシーケンスをネットワークデバイス101に送信し、ランダムアクセスシーケンスは、preambleシーケンスと呼ばれることもある。ランダムアクセスシーケンスを受信した後、ネットワークデバイス101は、ランダムアクセス応答（random access response、RAP）を端末デバイス102に送信することができ、端末デバイス102は、対応するRAPを受信するためにRAP時間ウィンドウで物理ダウンリンク制御チャネルを監視する。RAPを検出した後、端末デバイス102は、第3のメッセージをネットワークデバイス101に送信しうる。ネットワークデバイス101は、競合解決（contention resolution）解決策を端末デバイス102に送信する。本出願のこの実施形態では、前述のランダムアクセス手順は、本出願の単なる例であり、本出願のアプリケーションシナリオに対する制限を構成するものではない。
【００７０】
前述のシナリオでは、本出願は通信方法の手順を提供する。手順において、ネットワークデバイスは、図1のネットワークデバイス101に対応するものであってもよく、端末デバイスは、図1の端末デバイス102に対応するものであってもよい。図2に示されるように、手順は具体的には以下のとおりである。
【００７１】
ステップS201：ネットワークデバイスは、構成テーブルに基づいて第1の情報を決定する。
【００７２】
第1の情報は、X個のランダムアクセスシステムフレーム内の1つ以上の第1の時間単位を示すために使用され、1つ以上の第1の時間単位は、ランダムアクセスシーケンスのオプションの時間領域リソースであり、Xは1以上の整数である。
【００７３】
ステップS202：ネットワークデバイスは、第1の情報を端末デバイスに送信する。
【００７４】
本出願のこの実施形態では、構成テーブルは、複数のPRACH構成オプションを含んでもよく、第1の情報は、具体的には、PRACH構成オプションのインデックスであり得る。例えば、次の表1では、256個のPRACH構成オプションを構成テーブル全体で構成できる。第1の情報は、前述の256個のPRACH構成オプションのうちの1つ以上を具体的に示し得る。より具体的には、表1に示される以下の実施形態では、各PRACH構成オプションは、PRACH構成インデックスを含み、第1の情報は、PARCH構成インデックスを示すために特に使用され得る。
【００７５】
ステップS203：端末デバイスは、第1の情報および構成テーブルに基づいて、1つ以上の時間単位を決定する。
【００７６】
本出願は、構成テーブル内の1つ以上の時間単位を決定する次の2つの方法を提供する。
【００７７】
第１の方式：構成テーブル内の1つ以上の時間単位は、アップリンク−ダウンリンク構成周期および第2の時間単位に基づいて決定され、第2の時間単位は、同期チャネルブロック（synchronous signal block、SSB）のオプションの時間領域リソースである。
【００７８】
前述の第１の方式のために、本出願は、具体的な実装を提供し、具体的には、複数の時間領域間隔は、アップリンク−ダウンリンク構成周期に基づいて決定され得る。各時間領域間隔は、N個の時間単位を含むように設定され、Nは1以上の整数である。次に、第1の時間単位は、各時間領域間隔内の最後の
【数１１】
2021520719.tif 000016
個の時間単位および第2の時間単位に基づいて決定され得る。
【００７９】
具体的には、本出願のこの実施形態では、ランダムアクセスシステムフレームは、アップリンク−ダウンリンク構成周期に基づいて、複数の時間領域単位に分割され得る。各時間領域単位は、N個の時間単位を含むように設定されている。この場合、各時間領域単位内の最後の
【数１２】
2021520719.tif 000017
個の時間単位が、第1の時間領域セットを形成するために選択されてもよく、次に第2の時間単位が第1の時間領域セットから削除され、第1の時間単位が決定されうる。
【００８０】
本出願のこの実施形態では、例えば、図3に示されるように、ランダムアクセスシステムフレームの長さが10ミリ秒であり、アップリンク−ダウンリンク構成周期が2ミリ秒である場合、ランダムアクセスシステムフレームは5つの時間領域間隔に分割することができ、5つの時間領域間隔は、それぞれ、第1の時間領域間隔、第2の時間領域間隔、第3の時間領域間隔、第4の時間領域間隔、および第5の時間領域間隔である。RACHサブキャリア間隔が60kHzの場合、5つの時間領域間隔のそれぞれは、8個の時間単位を含む。図3から、第1の時間領域間隔に含まれる時間単位のインデックスは｛0、1、2、3、4、5、6、7｝であり、第2の時間領域間隔に含まれる時間単位のインデックスは｛8、9、10、11、12、13、14、15｝であり、第3の時間領域間隔に含まれる時間単位のインデックスは｛16、17、18、19、20、21、22、23｝であり、第4の時間領域間隔に含まれる時間単位のインデックスは｛24、25、26、27、28、29、30、31｝であり、第5の時間領域間隔に含まれる時間単位のインデックスは｛32、33、34、35、36、37、38、39｝であることが分かる。
【００８１】
本出願のこの実施形態では、第1の時間領域間隔の後半（すなわち、インデックスが4、5、6、および7である時間単位）、第2の時間領域間隔の後半（すなわち、インデックスが12、13、14、および15である時間単位）、第3の時間領域間隔の後半（すなわち、インデックスが20、21、22、および23である時間単位）、第4の時間領域間隔の後半（すなわち、インデックスが28、29、30、および31である時間単位）、および第5の時間領域間隔の後半（すなわち、インデックスが36、37、38、および39である時間単位）は、第1の時間領域セットを形成し得る。具体的には、第1の時間領域セットに含まれる時間単位のインデックスは、｛4、5、6、7、12、13、14、15、20、21、22、23、28、29、30、31、36、37、38、39｝である。次に、第2の時間単位（すなわち、SSBのオプションの時間領域リソース）が第1の時間領域セットから削除され、構成テーブルの時間単位を取得できるようになる。例えば、前述の例は引き続き使用される。第1の時間領域セットに含まれる時間単位のインデックスは、｛4、5、6、7、12、13、14、15、20、21、22、23、28、29、30、31、36、37、38、39｝であり、第2の時間単位のインデックスは｛5、6、7、20、21、22、23、28｝である。この場合、構成テーブルの時間単位のインデックスは｛4、12、13、14、15、29、30、31、36、37、38、39｝であり得る。構成テーブルは、具体的には1つの時間単位を含み得るか、または複数の時間単位を含み得る。これは本出願では限定されない。
【００８２】
前述の第１の方式は、代替的に、以下の方法で表現され得る。構成テーブル内の時間単位は、ランダムアクセスシステムフレーム内の第1の時間領域セットに配置され、第1の時間単位は第2の時間単位とオーバーラップせず、
第1の時間領域セットは具体的には
【数１３】
2021520719.tif 000018
であってもよく、T0はランダムアクセスシステムフレームの開始時点を表し、TΔはアップリンク−ダウンリンク構成周期を表し、kは0より大きく
【数１４】
2021520719.tif 000019
より小さい奇数であり、Tframeはランダムアクセスシステムフレームの持続時間を表す。
【００８３】
本出願のこの実施形態では、ランダムアクセスシステムフレームの開始時点がT0＝0ミリ秒であるとき、ランダムアクセスシステムフレームの持続時間はTframe＝10ミリ秒であり、アップリンク−ダウンリンク構成周期はTΔ＝2ミリ秒であり、kの値は1、3、5、7、または9である。同様に、第1の時間領域セットに含まれる時間領域間隔は、1ミリ秒から2ミリ秒、3ミリ秒から4ミリ秒、5ミリ秒から6ミリ秒、7ミリ秒から8ミリ秒、および9ミリ秒から10ミリ秒である。第1の時間領域セットに含まれる時間単位のインデックスは、｛4、5、6、7、12、13、14、15、20、21、22、23、28、29、30、31、36、37、38、39｝である。
【００８４】
本出願のこの実施形態では、前述の第１の方式で、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上であり、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上であり、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上であり、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上であり、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上であり、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上である、という条件のうちの1つ以上を満たす。
【００８５】
前述の第１の方式において、ランダムアクセスシーケンスのオプションの時間領域リソース（すなわち、第1の時間単位）は、アップリンク−ダウンリンク構成周期全体の後半の時間単位に位置し、SSBのオプションの時間領域リソースと衝突しないと決定されうる。
【００８６】
第２の方式：構成テーブルの時間単位は、アップリンク−ダウンリンク構成周期、第2の時間単位、および第3の時間単位に基づいて生成され、第2の時間単位は、SSBのオプションの時間領域リソースであり、第3の時間単位は、制御リソースセット（control resource set、CORESET）のオプションの時間領域リソースである。
【００８７】
前述の第２の方式のために、本出願は、特定の実装を提供する：複数の時間領域間隔は、アップリンク−ダウンリンク構成周期に基づいて決定され得る。各時間領域間隔は、N個の時間単位を含むように設定され、Nは1以上の整数である。次に、構成テーブル内の時間単位は、各時間領域間隔内の最後の
【数１５】
2021520719.tif 000020
個の時間単位、第2の時間単位、および第3の時間単位に基づいて決定され得る。
【００８８】
具体的には、本出願のこの実施形態では、ランダムアクセスシステムフレームは、アップリンク−ダウンリンク構成周期に基づいて、複数の時間領域単位に分割され得る。各時間領域単位は、N個の時間単位を含むように設定されている。この場合、各時間領域単位内の最後の
【数１６】
2021520719.tif 000021
個の時間単位が、第1の時間領域セットを形成するために選択されてもよく、次に奇数インデックスに対応する時間単位が第1の時間領域セットから選択され、最後に第2の時間単位が奇数インデックスを有する時間単位から削除されて、第1の時間単位が決定されうる。
【００８９】
前述の例は引き続き使用される。図3に示されるように、第1の時間領域セットが最初に決定される。どのように第1の領域セットを決定するかについては、第１の方式での説明を参照されたく、詳細は本明細書では再び説明しない。次に、奇数インデックスに対応する時間単位が、第1の時間領域セットで決定される。最後に、第2の時間単位（すなわち、SSBのオプションの時間領域リソース）が奇数インデックスの時間単位から削除され、構成テーブルの時間単位を決定されうる。奇数インデックスを有する時間単位は、第1の時間領域セットから選択されるため、ランダムアクセスシーケンスのオプションの時間領域リソースとCORESETのオプションの時間領域リソースとの間の衝突の可能性を減らすことができる。
【００９０】
例えば、前述の例は引き続き使用される。第1の時間領域セットに含まれる時間単位のインデックスは、｛4、5、6、7、12、13、14、15、20、21、22、23、28、29、30、31、36、37、38、39｝である。この場合、前述のインデックスでは、奇数インデックスは｛5、7、13、15、21、23、29、31、37、39｝であり得る。さらに、第2の時間単位のインデックス（すなわち、SSBのオプションの時間領域リソース）が｛2、3｝に設定されるため、構成テーブルで取得される時間単位のインデックスは、第2の時間単位のインデックス｛5、7、21、23｝が奇数インデックス｛5、7、13、15、21、23、29、31、37、39｝から削除された後、具体的には｛13、15、29、31、37、39｝であり得る。
【００９１】
本出願のこの実施形態では、第２の方式が使用される場合、構成テーブル内の1つ以上の時間単位の、ランダムアクセスシステムフレーム内の1つ以上のインデックスは、
アップリンク−ダウンリンク構成周期が0．5ミリ秒である場合、1つ以上の第1の時間単位の、ランダムアクセスシステムフレーム内の1つ以上のインデックスは、｛9、11、13、15、17、19、29、31、33、35、37、39｝のうちの1つ以上であり、
アップリンク−ダウンリンク構成周期が1ミリ秒である場合、1つ以上の第1の時間単位の、ランダムアクセスシステムフレーム内の1つ以上のインデックスは、｛11、15、19、31、35、39｝のうちの1つ以上であり、
アップリンク−ダウンリンク構成周期が1．25ミリ秒である場合、1つ以上の第1の時間単位の、ランダムアクセスシステムフレーム内の1つ以上のインデックスは、｛9、13、19、29、33、39｝のうちの1つ以上であり、
アップリンク−ダウンリンク構成周期が2ミリ秒である場合、の1つ以上の第1の時間単位の、ランダムアクセスシステムフレーム内の1つ以上のインデックスは、｛13、15、29、31、37、39｝のうちの1つ以上であり、
アップリンク−ダウンリンク構成周期が2．5ミリ秒である場合、1つ以上の第1の時間単位の、ランダムアクセスシステムフレーム内の1つ以上のインデックスは、｛9、15、17、19、29、35、37、39｝のうちの1つ以上であり、または
アップリンク−ダウンリンク構成周期が5ミリ秒である場合、1つ以上の第1の時間単位の、ランダムアクセスシステムフレーム内の1つ以上のインデックスは、｛11、13、15、17、19、31、33、35、37、39｝のうちの1つ以上である、
という条件のうちの1つ以上を満たす。
【００９２】
前述の第１の方式において、ランダムアクセスシーケンスのオプションの時間領域リソース（すなわち、第1の時間単位）は、アップリンク−ダウンリンク構成周期全体の後半の時間単位に位置し、SSBのオプションの時間領域リソースと衝突せず、制御リソースセットのオプションの時間領域リソースと衝突する可能性が比較的低いことを保証することができる。
【００９３】
本出願の他の例では、構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛9、11、13、15、17、19、29、31、33、35、37、39｝を含み、
アップリンク−ダウンリンク構成周期が1ミリ秒である場合、構成テーブル内の時間単位の、ランダムアクセスシステムフレーム内のインデックスは、｛10、11、14、15、18、19、30、31、34、35、38、39｝を含み、
アップリンク−ダウンリンク構成周期が2ミリ秒である場合、構成テーブル内の時間単位の、ランダムアクセスシステムフレーム内のインデックスは、｛13、14、15、29、30、31、37、38、39｝を含み、または
アップリンク−ダウンリンク構成周期が2．5ミリ秒または5ミリ秒である場合、構成テーブル内の時間単位の、ランダムアクセスシステムフレーム内のインデックスは、｛17、19、37、39｝を含む、
という条件のうちの1つ以上を満たすことができる。
【００９４】
本出願の他の例では、構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝を含み、
アップリンク−ダウンリンク構成周期が1ミリ秒である場合、構成テーブル内の時間単位の、ランダムアクセスシステムフレーム内のインデックスは、｛15、31、39｝を含み、
アップリンク−ダウンリンク構成周期が1．25ミリ秒である場合、構成テーブル内の第1の時間単位の、ランダムアクセスシステムフレーム内のインデックスは、｛19、39｝を含み、または
アップリンク−ダウンリンク構成周期が2．5ミリ秒である場合、構成テーブル内の時間単位の、ランダムアクセスシステムフレーム内のインデックスは、｛15、17、19、35、37、39｝を含む、
という条件のうちの1つ以上を満たすことができる。
【００９５】
本出願の他の例では、ランダムアクセスシステムフレーム内の構成テーブル内の1つ以上の時間単位の解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝と｛9、11、13、17、19、29、31、33、35、37｝のうちの1つ以上とを含み、
アップリンク−ダウンリンク構成周期が1ミリ秒である場合、構成テーブル内の時間単位の、ランダムアクセスシステムフレーム内のインデックスは、｛15、31、39｝と｛10、11、14、18、19、30、34、35、38｝のうちの1つ以上とを含み、
アップリンク−ダウンリンク構成周期が1．25ミリ秒である場合、構成テーブル内の時間単位の、ランダムアクセスシステムフレーム内のインデックスは、｛19、39｝と｛4、9、13、14、18、29、33、34、38｝のうちの1つ以上とを含み、または
アップリンク−ダウンリンク構成周期が2．5ミリ秒である場合、構成テーブル内の時間単位の、ランダムアクセスシステムフレーム内のインデックスは、｛15、17、19、35、37、39｝と｛9、16、18、29、36、38｝のうちの1つ以上とを含む、
という条件のうちの1つ以上を満たすことができる。
【００９６】
本出願の他の例では、ランダムアクセスシステムフレーム内の構成テーブル内の1つ以上の時間単位の解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝を含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝を含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝を含み、
アップリンク−ダウンリンク構成周期が1．25ミリ秒または2．5ミリ秒である場合、構成テーブル内の第1の時間単位の、ランダムアクセスシステムフレーム内のインデックスは、｛9、19、29、39｝を含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝を含み、または
アップリンク−ダウンリンク構成周期が0．5ミリ秒、1ミリ秒、2．5ミリ秒、または5ミリ秒である場合、構成テーブル内の第1の時間単位の、ランダムアクセスシステムフレーム内のインデックスは、｛15、19、35、39｝を含む、
という条件のうちの1つ以上を満たすことができる。
【００９７】
本出願の他の例では、ランダムアクセスシステムフレーム内の構成テーブル内の1つ以上の時間単位の解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝と｛9、10、13、14、17、18、29、30、33、34、37、38｝のうちの1つ以上とを含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝と｛9、10、11、12、13、14、16、18、29、30、31、32、33、34、36、38｝のうちの1つ以上とを含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝と｛4、9、10、11、12、13、14、16、17、18、19、29、30、32、33、34、35、36、37、38｝のうちの1つ以上とを含み、
アップリンク−ダウンリンク構成周期が1．25ミリ秒または2．5ミリ秒である場合、構成テーブル内の時間単位の、ランダムアクセスシステムフレーム内のインデックスは、｛9、19、29、39｝と｛4、13、14、15、16、17、18、33、34、35、36、37、38｝のうちの1つ以上とを含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝と｛4、9、10、11、12、13、14、15、16、17、18、29、30、31、32、33、34、35、36、37、38｝のうちの1つ以上とを含み、または
アップリンク−ダウンリンク構成周期が0．5ミリ秒、1ミリ秒、2．5ミリ秒、または5ミリ秒である場合、構成テーブル内の時間単位の、ランダムアクセスシステムフレーム内のインデックスは、｛15、19、35、39｝と｛9、10、11、12、13、14、16、17、18、29、30、31、32、33、34、36、37、38｝のうちの1つ以上とを含む、
という条件のうちの1つ以上を満たすことができる。
【００９８】
本出願の他の例では、ランダムアクセスシステムフレーム内の構成テーブル内の1つ以上の時間単位の解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスが、｛11、15、19、31、35、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、17、19、35、37、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、31、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、19、35、39｝と｛9、13、29、33｝のうちの1つ以上とを含むことを含み、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛15、31、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛15、19、35、39｝と｛10、14、18、30、34、38｝のうちの1つ以上とを含むことを含み、
アップリンク−ダウンリンク構成周期が1．25ミリ秒である場合、構成テーブル内の時間単位の、ランダムアクセスシステムフレーム内のインデックスが、｛9、19、29、39｝と｛4、13、14、18、33、34、38｝のうちの1つ以上とを含み、
アップリンク−ダウンリンク構成周期が1．25ミリ秒である場合、構成テーブル内の時間単位の、ランダムアクセスシステムフレーム内のインデックスが、｛19、39｝と｛4、13、14、18、33、34、38｝のうちの1つ以上とを含むことを含み、
アップリンク−ダウンリンク構成周期が2．5ミリ秒である場合、構成テーブル内の時間単位の、ランダムアクセスシステムフレーム内のインデックスが、｛15、17、19、35、37、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛9、19、29、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛19、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛15、19、35、39｝と｛16、18、36、38｝のうちの1つ以上とを含むことを含み、
アップリンク−ダウンリンク構成周期が5ミリ秒である場合、構成テーブル内の時間単位の、ランダムアクセスシステムフレーム内のインデックスが、｛15、17、19、35、37、39｝と｛10、11、12、13、14、16、18、30、32、33、34、36、38｝のうちの1つ以上とを含み、
アップリンク−ダウンリンク構成周期が5ミリ秒である場合、構成テーブル内の時間単位の、ランダムアクセスシステムフレーム内のインデックスが、｛15、31、39｝と｛10、11、12、13、14、16、18、30、32、33、34、36、38｝のうちの1つ以上とを含み、
アップリンク−ダウンリンク構成周期が5ミリ秒である場合、構成テーブル内の時間単位の、ランダムアクセスシステムフレーム内のインデックスが、｛19、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、19、35、39｝と｛10、11、12、13、14、16、18、30、32、33、34、36、38｝のうちの1つ以上とを含むことを含む、
という条件のうちの1つ以上を満たすことができる。
【００９９】
構成テーブル内の1つ以上の時間単位の、ランダムアクセスシステムフレーム内の1つ以上のインデックスは、さらに次の条件を満たす。
【０１００】
時間単位の、ランダムアクセスシステムフレーム内の、インデックスは、少なくとも2つのインデックスサブセットに分割され、各インデックスサブセットは、第1の間隔を満たす少なくとも2つのインデックスを含み、さらに、2つのインデックスサブセットの対応する位置の要素は、第2の間隔を満たす2つのインデックスを含む。第2の間隔は、インデックスサブセットに含まれるインデックスの数と第1の間隔との積と等しくない。
【０１０１】
任意選択で、各インデックスサブセットに含まれるインデックスの数が3以上になりうる場合、構成テーブル内の1つ以上の時間単位の、ランダムアクセスシステムフレーム内の、1つ以上のインデックスは、時間単位の少なくとも4つのインデックスがあり、3つの隣接するインデックスの2つごとに一定の間隔があり、残りのインデックスと3つの隣接するインデックスの第1のインデックスまたは最後のインデックスの差が、均一な間隔と等しくないという条件を満たす。
【０１０２】
任意選択で、構成テーブル内の時間単位の、ランダムアクセスシステムフレーム内の、インデックスは、少なくとも2つのインデックスサブセットを含み、各インデックスサブセットは、第1の間隔を満たす少なくとも2つのインデックスを含む。例えば、｛15、17、19、35、37、39｝は、2つのインデックスサブセット｛15、17、19｝と｛35、37、39｝に分割でき、ここで、｛15、17、19｝内の第1の間隔は両方とも2であり、｛35、37、39｝内の第1の間隔はいずれも2である。さらに、任意選択で、2つのインデックスサブセットの対応する位置のインデックスは、第2の間隔を満たすインデックスを含む。第2の間隔は、インデックスサブセットに含まれるインデックスの数と第1の間隔との積と等しくない。例えば、｛15、17、19、35、37、39｝は、2つのインデックスサブセット｛15、17、19｝と｛35、37、39｝に分割でき、ここで、15と35との間の第2の間隔は20であり、17と37との間の第2の間隔は20であり、19と39との間の第2の間隔は20である。
【０１０３】
任意選択で、構成テーブル内の時間単位の、ランダムアクセスシステムフレーム内の、インデックスは、少なくとも2つのインデックスサブセットを含み、また、1つのインデックスサブセットでは、少なくとも3つの隣接するインデックスの2つごとに一定の間隔があり、残りのインデックスと3つの隣接するインデックスのいずれかとの間隔は、均一な間隔と等しくない。例えば、｛9、15、16、17、18、19、29、35、36、37、38、39｝には、2つのインデックスサブセット｛9、15、16、17、18、19｝と｛29、35、36、37、38、39｝がある。｛9、15、16、17、18、19｝では、15、16、17、18、および19のうちの2つごとの均一な間隔は1であり（15と16との間の間隔は1であり、16と17との間の間隔は1であり、17と18との間の間隔は1であり、18と19との間の間隔は1である）9と15、16、17、18、および19のいずれかとの間の間隔は1に等しくなく、具体的には、均一な間隔と等しくない。さらに、任意選択で、2つのインデックスサブセットの対応する位置のインデックスは、第2の間隔を満たすインデックスを含む。例えば、2つのインデックスサブセット｛9、15、16、17、18、19｝と｛29、35、36、37、38、39｝とでは、9と29の間の第2の間隔は20、15と35の間の第2の間隔は20であり、16と36の間の第2の間隔は20であり、17と37の間の第2の間隔は20であり、18と38の間の第2の間隔は20であり、19と39の間の第2の間隔は20である。
【０１０４】
図4に示されるように、本出願は、通信手順を提供する。図4に示す通信手順では、具体的に説明するために時間単位がスロット（slot）である例を使用する。図4に示す手順の物理ランダムアクセスチャネル（physical random access channel、PRACH）構成テーブルは、図2に示される手順の構成テーブルに対応することができ、図4に示す手順のインデックス指示情報は、図2に示される手順の第1のメッセージに対応することができ、図4に示される手順のRACH機会（RACH occasion、RO）は、図2に示される手順のランダムアクセスコードのオプションの時間領域リソースに対応することができる。図4に示されるように、手順は具体的には以下のとおりである。
【０１０５】
ステップS401：ネットワークデバイスは、PRACH構成テーブルに基づいてインデックス指示情報を決定する。
【０１０６】
インデックス指示情報は、少なくとも、RACH機会がシステムフレーム内に配置される可能性のあるスロットのインデックスを示すために使用される。PRACH機会が配置される可能性のあるスロットは、PARCHスロットと呼ばれる場合がある。PRACH構成テーブルにおいて、PRACHは、以下の特性を満たすように構成され得る：（1）PRACH機会は、アップリンク−ダウンリンク構成周期の後半に含まれるスロットに配置される。（2）PRACH機会は、SSBのオプションスロット以外のスロットに配置される。（3）CORESETのすべてのオプション構成において、PRACH機会は、CORESETのオプションの時間領域位置との衝突確率が最小である。
【０１０７】
ステップS402：ネットワークデバイスは、インデックス指示情報を端末デバイスに送信する。
【０１０８】
ステップS403：端末デバイスは、インデックス指示情報に基づいてRO機会を決定する。
【０１０９】
本出願のこの実施形態では、PRACH構成テーブルが提供される。PRACH構成テーブルは、以下のパラメータの1つ以上を含めることができる。
（1）PRACH構成シーケンス番号であって、オプションの値は0〜255である。
（2）ランダムアクセスプリアンブルシーケンスフォーマットであって、
本出願のこの実施形態では、ランダムアクセスシーケンスは、ロングシーケンスフォーマットおよびショートシーケンスフォーマットを含んでもよく、ロングシーケンスフォーマットは、具体的には0から3であってもよく、ショートシーケンスフォーマットは、具体的にはA1、A2、A3、B1，B4、A1／B1、A2／B2、A3／B3、C0、またはC2であってもよい。
（3）PRACH構成周期パラメータであって、オプションの値は｛1、2、4、8、16｝であり
本出願のこの実施形態では、PRACH構成周期は、10ミリ秒、20ミリ秒、40ミリ秒、80ミリ秒、または160ミリ秒であり得る。
（4）RACHシステムフレーム番号（system frame number、SNF）。
（5）RACHスロットの数であって、ここで
本出願のこの実施形態では、6GHz未満の通信周波数帯域の場合、RACHスロットの数は、具体的には、1ミリ秒の持続時間粒度に含まれるRACHスロットの数であり、6GHzを超える周波数帯域の場合、RACHスロットの数は、具体的には0．25ミリ秒の持続時間粒度に含まれるRACHスロットの数である。
（6）RACHスロット（slot）シーケンス番号。
（7）RACH開始記号、そして
（8）各RACHスロットに含まれるRACH機会（RACH occasion、RO）の数。
【０１１０】
前述の説明に基づいて、表1に示されるように、本出願はPRACH構成テーブルを提供する。PRACH構成テーブルは、256個のPRACH構成オプションを含んでもよく、各PRACH構成オプションは、5つのパラメータを含んでもよく、これらは、それぞれ、PRACH構成インデックス、プリアンブルシーケンスフォーマット、RACHシステムフレーム番号（SFN mod x＝y、ここで、SNFはシステムフレーム番号であり、xはPRACH構成周期パラメータである）、スロットインデックス、開始記号、60kHzのサブキャリア間隔に対応するスロットに含まれるPRACHスロットの数、およびRACHスロットに含まれる時間領域のランダムアクセス機会の数である。本出願の例では、表1に示されるように、PRACH構成テーブルが具体的に提供されている。
【０１１１】
【表４Ａ】
2021520719.tif 000022
【表４Ｂ】
2021520719.tif 000023
【表４Ｃ】
2021520719.tif 000024
【表４Ｄ】
2021520719.tif 000025
【表４Ｅ】
2021520719.tif 000026
【表４Ｆ】
2021520719.tif 000027
【表４Ｇ】
2021520719.tif 000028
【表４Ｈ】
2021520719.tif 000029
【表４Ｉ】
2021520719.tif 000030
【表４Ｊ】
2021520719.tif 000031
【表４Ｋ】
2021520719.tif 000032
【表４Ｌ】
2021520719.tif 000033
【表４Ｍ】
2021520719.tif 000034
【表４Ｎ】
2021520719.tif 000035
【表４Ｏ】
2021520719.tif 000036
【表４Ｐ】
2021520719.tif 000037
【表４Ｑ】
2021520719.tif 000038
【表４Ｒ】
2021520719.tif 000039
【０１１２】
本出願のこの実施形態では、表1の以下の項目（1）から（49）のいずれかにおけるスロットインデックスは、3つの要因を考慮して構成される。第1に、スロットインデックスによって識別されるスロットは、アップリンク−ダウンリンク構成周期の後半にある。次に、スロットインデックスで識別されるスロットは、SSBのオプションスロット以外のスロットである。第3に、CORESETのすべてのオプション構成において、スロットインデックスによって識別されるスロットは、CORESETのオプションの時間領域位置との衝突確率が最小のスロットである。以下の項目（1）〜（49）のスロットインデックスは次のとおりである。
（1）PRACH構成インデックス4のスロットインデックス｛17、19、37、39｝。
（2）PRACH構成インデックス5のスロットインデックス｛17、19、37、39｝。
（3）PRACH構成インデックス23のスロットインデックス｛13、15、21、23、29、31、37、39｝。
（4）PRACH構成インデックス25のスロットインデックス｛9、11、13、15、17、19、29、31、33、35、37、39｝。
（5）PRACH構成インデックス25のスロットインデックス｛10、11、14、15、18、19、30、31、34、35、38、39｝。
（6）PRACH構成インデックス26のスロットインデックス｛10、11、14、15、18、19、30、31、34、35、38、39｝。
（7）PRACH構成インデックス27のスロットインデックス｛13、14、15、29、30、31、37、38、39｝。
（8）PRACH構成インデックス32のスロットインデックス｛17、19、37、39｝。
（9）PRACH構成インデックス33のスロットインデックス｛17、19、37、39｝。
（10）PRACH構成インデックス51のスロットインデックス｛13、15、21、23、29、31、37、39｝。
（11）PRACH構成インデックス53のスロットインデックス｛9、11、13、15、17、19、29、31、33、35、37、39｝。
（12）PRACH構成インデックス54のスロットインデックス｛10、11、14、15、18、19、30、31、34、35、38、39｝。
（13）PRACH構成インデックス55のスロットインデックス｛13、14、15、29、30、31、37、38、39｝。
（14）PRACH構成インデックス60のスロットインデックス｛17、19、37、39｝。
（15）PRACH構成インデックス61のスロットインデックス｛17、19、37、39｝。
（16）PRACH構成インデックス79のスロットインデックス｛13、15、21、23、29、31、37、39｝。
（17）PRACH構成インデックス81のスロットインデックス｛9、11、13、15、17、19、29、31、33、35、37、39｝。
（18）PRACH構成インデックス82のスロットインデックス｛10、11、14、15、18、19、30、31、34、35、38、39｝。
（19）PRACH構成インデックス83のスロットインデックス｛13、14、15、29、30、31、37、38、39｝。
（20）PRACH構成インデックス88のスロットインデックス｛17、19、37、39｝。
（21）PRACH構成インデックス89のスロットインデックス｛17、19、37、39｝。
（22）PRACH構成インデックス107のスロットインデックス｛13、15、21、23、29、31、37、39｝。
（23）PRACH構成インデックス109のスロットインデックス｛9、11、13、15、17、19、29、31、33、35、37、39｝。
（24）PRACH構成インデックス110のスロットインデックス｛10、11、14、15、18、19、30、31、34、35、38、39｝。
（25）PRACH構成インデックス111のスロットインデックス｛13、14、15、29、30、31、37、38、39｝。
（26）PRACH構成インデックス116のスロットインデックス｛17、19、37、39｝。
（27）PRACH構成インデックス117のスロットインデックス｛17、19、37、39｝。
（28）PRACH構成インデックス135のスロットインデックス｛13、15、21、23、29、31、37、39｝。
（29）PRACH構成インデックス137のスロットインデックス｛9、11、13、15、17、19、29、31、33、35、37、39｝。
（30）PRACH構成インデックス138のスロットインデックス｛10、11、14、15、18、19、30、31、34、35、38、39｝。
（31）PRACH構成インデックス139のスロットインデックス｛13、14、15、29、30、31、37、38、39｝。
（32）PRACH構成インデックス144のスロットインデックス｛17、19、37、39｝。
（33）PRACH構成インデックス145のスロットインデックス｛17、19、37、39｝。
（34）PRACH構成インデックス164のスロットインデックス｛17、19、37、39｝。
（35）PRACH構成インデックス165のスロットインデックス｛17、19、37、39｝。
（36）PRACH構成インデックス184のスロットインデックス｛17、19、37、39｝。
（37）PRACH構成インデックス185のスロットインデックス｛17、19、37、39｝。
（38）PRACH構成インデックス204のスロットインデックス｛17、19、37、39｝。
（39）PRACH構成インデックス205のスロットインデックス｛17、19、37、39｝。
（40）PRACH構成インデックス223のスロットインデックス｛13、15、21、23、29、31、37、39｝。
（41）PRACH構成インデックス225のスロットインデックス｛9、11、13、15、17、19、29、31、33、35、37、39｝。
（42）PRACH構成インデックス226のスロットインデックス｛10、11、14、15、18、19、30、31、34、35、38、39｝。
（43）PRACH構成インデックス227のスロットインデックス｛13、14、15、29、30、31、37、38、39｝。
（44）PRACH構成インデックス232のスロットインデックス｛17、19、37、39｝。
（45）PRACH構成インデックス233のスロットインデックス｛17、19、37、39｝。
（46）PRACH構成インデックス251のスロットインデックス｛13、15、21、23、29、31、37、39｝。
（47）PRACH構成インデックス253のスロットインデックス｛9、11、13、15、17、19、29、31、33、35、37、39｝。
（48）PRACH構成インデックス254のスロットインデックス｛10、11、14、15、18、19、30、31、34、35、38、39｝。そして
（49）PRACH構成インデックス255のスロットインデックス｛13、14、15、29、30、31、37、38、39｝。
【０１１３】
表1では、PRACH構成インデックスとスロットインデックスとの間の対応は限定されないことに留意されたい。1つのPRACH構成インデックスは、表1の任意の行のスロットインデックスに対応しうる。例えば、表1のPRACH構成インデックス1は、表1の1行目のスロットインデックスに対応する場合もあれば、表1の2行目のスロットインデックスに対応する場合もあれば、表1の256行目のスロットインデックスに対応する場合すらある。
【０１１４】
さらに、構成テーブルは、主に6GHzを超える通信周波数帯域の使用に使用されるが、6GHz未満の通信周波数帯域の使用に限定されないことに留意されたい。本出願のこの実施形態では、6GHz未満の通信周波数帯域の場合、PRACHメッセージのサブキャリア間隔は、15kHzまたは30kHzであり得る。6GHzを超える通信周波数帯域の場合、PRACHメッセージのサブキャリア間隔は、60kHzまたは120kHzであり得る。
【０１１５】
本発明の解決策によれば、RACHの任意の時間領域位置と、優先度の高いSSBまたはRSMIなどのダウンリンクリソースの時間領域位置との間の競合を最大限に回避することができ、RACH構成周期の有効なROの数が増加し、UEによるRACHリソースの迅速な送信の成功率が向上し、ランダムアクセス効率が効果的に向上する。これにより、ROとSSBなどのダウンリンク信号間で特定の送信間隔を確保できるため、RACHのパフォーマンスが向上する。
【０１１６】
以下では、最初に、図9を参照して、現在のNRプロトコルに基づいてNRで定義された3つのSSBおよび制御チャネル制御リソースセット（例えば、RMSI CORESET）多重化パターン（pattern）について説明する。
【０１１７】
図9に示される3つのパターン（Pattern）が例として使用される。パターン1：SSBと制御チャネル制御リソースセット（例えば、RMSI CORESET）は異なる時点に配置され、SSBの送信帯域幅と制御チャネル制御リソースセット（例えば、RMSI CORESET）を含む送信帯域幅はオーバーラップする。パターン2：SSBと制御チャネル制御リソースセット（例えば、RMSI CORESET）は異なる時点に配置され、SSBの送信帯域幅と制御チャネル制御リソースセット（例えば、RMSI CORESET）を含む送信帯域幅はオーバーラップしない。パターン3：SSBと制御チャネル制御リソースセット（例えば、RMSI CORESET）は同じ時点に配置され、SSBの送信帯域幅と制御チャネル制御リソースセット（例えば、RMSI CORESET）を含む送信帯域幅はオーバーラップしない。
【０１１８】
現在のNRでは、6GHz未満の通信周波数帯域の場合、SSBおよび制御チャネル制御リソースセットに対応するサブキャリア間隔は、15kHzまたは30kHzである。6GHzを超える通信周波数帯域の場合、SSBに対応するサブキャリア間隔は、120kHzまたは240kHzであり、制御チャネル制御リソースセットに対応するサブキャリア間隔は、60kHzまたは120kHzである。
【０１１９】
SSBと制御チャネル制御リソースセットのものであり、NRによってサポートされるサブキャリア間隔（subcarrier spacing、SCS）の組み合わせは、次のものを含む。｛SSB SCS、CORESET SCS｝＝｛15、15｝、｛15、30｝、｛30、15｝、｛30、30｝、｛120、60｝、｛120、120｝、｛240、60｝、｛240、120｝kHz。
【０１２０】
従来技術で提供される制御チャネル制御リソースセットの構成テーブルは、システム情報データチャネル（例えば、RMSI PDSCH）の送信ブロックサイズの要件を満たすことができない。したがって、構成テーブルは再設計されなければならない。
【０１２１】
以下、添付の図面を参照して、本出願の技術的解決策を説明する。
【０１２２】
本出願では、チャネルと信号は、互いに交換可能に用いられることがあるが、チャネルと信号の意味は当業者には理解されうることを理解されたい。
【０１２３】
本出願に示されている表は、構成情報を示す方式にすぎず、表の各行は独立して存在する場合もあれば、任意の1つ以上の行と組み合わせられる場合もあり、本出願におけるインデックスと次の4つの列の対応は、変更される場合がある。例えば、構成テーブルは次のように示される。
【０１２４】
【表５】
2021520719.tif 000040
【０１２５】
または、
【０１２６】
【表６】
2021520719.tif 000041
【０１２７】
または、
【０１２８】
【表７】
2021520719.tif 000042
【０１２９】
本出願のネットワークデバイスは、端末デバイスと通信するように構成されたデバイスであってもよい。ネットワークデバイスは、モバイル通信のためのグローバルシステム（Global System of Mobile communication、GSM）またはコード分割多重アクセス（Code Division Multiple Access、CDMA）における基地トランシーバ局（Base Transceiver Station、BTS）であってもよく、または広帯域コード分割多重アクセス（Wideband Code Division Multiple Access、WCDMA（登録商標））システムにおけるノードB（NodeB、NB）であってもよく、またはLTEシステムにおける進化型ノードB（Evolutional NodeB、eNBまたはeNodeB）であってもよく、またはクラウド無線アクセスネットワーク（Cloud Radio Access Network、CRAN）シナリオにおける無線コントローラであってもよい。あるいは、ネットワークデバイスは、リレーノード、アクセスポイント、車載デバイス、ウェアラブルデバイス、将来の5Gネットワークにおけるネットワークデバイス、将来の進化型PLMNネットワークにおけるネットワークデバイスなどであってもよい。これは、本出願の実施形態では限定されない。
【０１３０】
本出願の通信デバイスは、UEおよび／またはネットワークデバイスを含み得る。
【０１３１】
本出願における共通信号は、同期信号および／またはブロードキャストチャネルを含むことができ、共通信号は、SSB、すなわち、同期信号／ブロードキャストチャネルブロック（SS／BCHブロック）として設計され得る。さらに、同期信号は、一次同期信号および二次同期信号を含む。共通信号はさらに他の信号を含み得ることを理解されたい。本出願では、詳細はここでは説明しない。
【０１３２】
本出願の多重化パターンは、時間領域次元および／または周波数領域次元における少なくとも2つの信号の放出パターンであり、例えば、制御チャネル制御リソースセットおよび共通信号多重化パターンを含み得る、または、制御チャネル制御リソースセット、制御チャネルに対応するサービスチャネル、および共通信号を多重化するパターンを含み得る。本明細書において、制御チャネルに対応するブロードキャストサービスチャネルは、システム情報を伝送するサービスチャネル、ページング情報を伝送するサービスチャネル、およびランダムアクセス応答を伝送するサービスチャネルのうちの少なくとも1つであり得る。
【０１３３】
本出願の制御チャネルは、ネットワークデバイスとUEとの間で制御情報を送信するためのチャネルである。通常、ネットワークデバイスによって制御情報をUEに送信するためのチャネルは、ダウンリンク制御チャネルまたは物理ダウンリンク制御チャネルと呼ばれる。本出願の制御チャネルは、次の制御チャネル、すなわち、システム情報（送信）用の制御チャネル、ページング（送信）用の制御チャネル、およびランダムアクセス応答／要求（送信）用の制御チャネルのうちの1つ以上を含みうる。本出願は、他の制御チャネルをさらに含む場合があることを理解されたい。詳細はここでは説明しない。
【０１３４】
本出願で設定される制御リソースセットは、制御チャネルの時間周波数リソースセットであってもよく、制御チャネルでブラインド検出を実行するためにUEによって使用される時間周波数リソース範囲である。本明細書で設定される制御リソースセットは、RMSI CORESET、OSI CORESET、ページング（paging）CORESETなどを含み得る。
【０１３５】
本出願の時間領域リソースサイズは、信号またはチャネルが実際に送信されるときに占有される時間領域リソースであり、例えば、1つ以上のOFDMシンボルまたは1つ以上のスロットである。
【０１３６】
本出願の周波数領域リソースサイズは、信号またはチャネルが実際に送信されるときに占有される周波数領域リソースであり、例えば、1つ以上のRE（resource element）または1つ以上のリソースブロック（resource block、RB）である。RBは周波数領域の長さであり、12個のサブキャリアまたは12個の（物理）リソース要素（RE）を含む。
【０１３７】
本出願のリソース位置は、信号またはチャネルの実際の送信中の周波数領域の最小リソースブロックインデックスであり、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される周波数領域オフセットを使用して表される。
【０１３８】
本出願の送信ブロック（Transmission Block、TB）は、データチャネル（例えば、RMSI PDSCH）で伝送できる情報ビットの数である。
【０１３９】
本出願では、システム情報データチャネルでサポートする必要のある最大送信ブロックサイズは1700ビットである。SSBと制御チャネル制御リソースセットのパターン3の場合、SSBによって占有される時間領域の長さは、制御チャネル制御リソースセットによって占有される時間領域の長さ、データチャネルが占める時間領域の長さ、およびSSBによって占有される時間領域の長さの合計に等しくなり、合計は両方の4つのOFDMシンボルである。制御チャネル制御リソースセットの現在の構成テーブル（表1に示さす）に基づくと、パターン3の場合、制御チャネル制御リソースセットの時間領域リソースは2つのOFDMシンボルであり、最大周波数領域リソースは48（物理）リソースブロック（resource block、RB）である。DMRSによって占有されている288（物理）リソース要素（resource element、RE）が削除された後、データチャネルを伝送できる。例えば、物理ダウンリンク共有チャネルPDSCHの時間周波数リソースには、48×2×12−288＝1152−288＝864（物理）リソース要素（RE）しかない。直交位相偏移変調（Quadrature Phase Shift Keying、QPSK）変調が制御チャネルに使用される場合、サポートできる最大スペクトル効率は1．3262であり、対応するデータチャネルでサポートできる送信ブロックサイズ（例えば、PDSCH）はわずか1146ビットである。したがって、制御チャネル制御リソースセットの現在の構成テーブルは、制御チャネルの送信ブロックサイズの要件を満たすことができない。
【０１４０】
【表８】
2021520719.tif 000043
【０１４１】
SSBのサブキャリア間隔と制御リソースセットのサブキャリア間隔は120kHzであり、SS／PBCH block and control resource set multiplexing patternは、SSBおよび制御リソースセットの多重化パターンを示し、Number of RBsは、周波数領域のリソースサイズ、すなわち（物理）リソースブロックの数を示し、Number of Symbolsは、時間領域リソースサイズ、すなわちシンボル（例えば、OFDMシンボル）の数を示し、offsetは、周波数領域リソース位置、すなわち、制御リソースセットの最小リソースブロックインデックスと共通信号ブロックの第1のリソースブロックとオーバーラップする最小共通リソースブロックインデックスとの間の、制御リソースセットのサブキャリア間隔を使用して定義される周波数領域オフセットを示す。（The offset is defined with respect to the subcarrier spacing of the control resource set from the smallest RB index of the control resource set for Type0−PDCCH common search space to the smallest RB index of the common RB overlapping the first RB of the SS／PBCH block．）
【０１４２】
例1
実施例2を参照して、本出願は、信号検出方法を提供する。この方法は、次の手順を含む。
【０１４３】
S101．ユーザ機器は、ネットワークデバイスから送信された指示情報を受信する。指示情報は、制御チャネル制御リソースセットの構成情報を示すために使用される。ネットワークデバイスは、指示情報を共通信号に追加し、共通信号をユーザ機器に送信することができる。例えば、ネットワークデバイスは、SSB RMSI−PDCCH−ConFigの最も重要な4ビットに指示情報を追加する。指示情報は、表1および／または以下の表のいずれか1つのインデックス（index）であり得る。
【０１４４】
S102．ユーザ機器は、指示情報に基づいて、制御リソースセットの時間領域リソースサイズ、周波数領域リソースサイズ、およびリソース位置を決定する。周波数領域のリソースサイズは96リソースブロックおよび／または192リソースブロックであり、制御リソースセットと共通信号ブロックは周波数分割多重化されており、制御チャネルのサブキャリア間隔は120kHzである。
【０１４５】
表1から表4のいずれか1つを参照すると、表4を例として使用すると、指示情報が9の場合、制御チャネル制御リソースセットの構成情報は次のものを含む。SSBおよび制御リソースセットの多重化パターンは3、周波数領域のリソースサイズ（すなわち、リソースブロックの数）は96、時間領域リソースサイズ（すなわち、OFDMシンボルの数）は2、リソース位置（すなわち、周波数領域のオフセット）は96である。
【０１４６】
任意選択で、時間領域リソースサイズは2つのOFDMシンボルである。
【０１４７】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、−20リソースブロックまたは−21リソースブロックの周波数領域差分である。
【０１４８】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、96リソースブロックの周波数領域差分である。
【０１４９】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、192リソースブロックの周波数領域差分である。
【０１５０】
本出願は、信号検出方法を提供する。この方法は、次の手順を含む。
【０１５１】
S201．ユーザ機器は、ネットワークデバイスによって送信された指示情報を受信し、指示情報は、制御チャネル制御リソースセットの構成情報を示すために使用される。
【０１５２】
S202．ユーザ機器は、構成テーブルおよび指示情報に基づいて、制御リソースセットの構成情報を決定する。
【０１５３】
任意選択で、構成テーブルでは、表1の周波数領域リソースが24RBおよび／または48RBである構成は、例えば、表2に示すように、周波数領域リソースが96RBおよび／または192RBである構成に置き換えられる。
【０１５４】
【表９】
2021520719.tif 000044
【０１５５】
任意選択で、構成テーブルでは、例えば表3に示すように、周波数領域リソースが96RBである構成が表1に追加される。
【０１５６】
【表１０】
2021520719.tif 000045
【０１５７】
任意選択で、構成テーブルでは、例えば表4に示すように、周波数領域リソースが96RBである構成と、周波数領域リソースが192RBである構成が表1に追加される。
【０１５８】
【表１１】
2021520719.tif 000046
【０１５９】
条件Aはパラメータk0＝0を示し、条件Bはパラメータk0＞0を示す。パラメータk0の定義については、TS 38．211の第4章を参照されたい。k0＝0は、同期信号ラスター（Synchronization raster）がチャネルラスター（channel raster）と位置合わせされているケースを示す。k0＞0は、同期信号ラスター（Synchronization raster）がチャネルラスター（channel raster）と位置合わせされていないケースを示す。
【０１６０】
本出願の方法によれば、システム情報データチャネル（例えば、RMSI PDSCH）の送信ブロックサイズの要件が満たされている。具体的には、周波数領域リソースは96RBであり、時間領域リソースは2つのOFDMシンボルであり、DMRSによって占有されていた576の物理リソース要素（RE）が削除された後、データチャネルを伝送できる時間周波数リソースは96×2×12−576＝2304−576＝1728の物理リソース要素（RE）になり、QPSK変調が制御チャネルに使用される場合、サポートできる最大スペクトル効率は1．3262であり、対応するデータチャネル（例えば、RMSI CORESET）でサポートできる最大送信ブロックサイズは最大2292ビットであり、または
周波数領域リソースは192RBであり、時間領域リソースは2つのOFDMシンボルであり、DMRSによって占有されていた1152の物理リソース要素（RE）が削除された後、データチャネルを伝送できる時間周波数リソースは192×2×12−1152＝4608−1152＝3456の物理リソース要素（RE）であり、QPSK変調が制御チャネルに使用される場合、サポートできる最大スペクトル効率は1．3262であり、対応するデータチャネル（例えば、RMSI CORESET）でサポートできる最大送信ブロックサイズは最大4583ビットである。
【０１６１】
図5に示されるのと同じ本発明の概念に基づいて、本出願の実施形態は、通信装置500をさらに提供する。通信装置500は、端末デバイスに適用することができる。装置500は、端末デバイス内のプロセッサ、チップ、チップシステム、機能モジュールなどであり得る。装置500は、トランシーバユニット501および処理ユニット502を含み得る。処理ユニット502は、装置500の動作を制御および管理するように構成される。
【０１６２】
本出願の例では、トランシーバユニット501は、第1の情報を受信するように構成され得る。第1の情報は、ランダムアクセスシステムフレーム内の1つ以上の第1の時間単位を示すために使用され、1つ以上の第1の時間単位は、構成テーブル内の1つ以上の時間単位に基づいて決定され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである。処理ユニット502は、第1の情報に基づいて、ランダムアクセスシーケンスを送信するための時間領域リソースを決定するように構成され得る。
【０１６３】
本出願の他の例では、トランシーバユニット501は、第1の情報を受信するように構成され得る。処理ユニット502は、第1の情報に基づいて、ランダムアクセスシーケンスを送信するための時間領域リソースを決定するように構成され得る。
【０１６４】
第1の情報は、ランダムアクセスシステムフレーム内の1つ以上の第1の時間単位を示すために使用され、1つ以上の第1の時間単位は、構成テーブル内の1つ以上の時間単位に基づいて決定され、1つ以上の第1の時間単位は、ランダムアクセスシーケンスのオプションの時間領域リソースである。
【０１６５】
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【０１６６】
本出願の実施形態は、端末デバイスの構造をさらに提供する。図6に示されるように、端末デバイス600は、通信インタフェース601およびプロセッサ602を含み得る。任意選択で、端末デバイス600は、メモリ603をさらに含み得る。メモリ603は、端末デバイスの内部に配置されてもよく、または端末デバイスの外部に配置されてもよい。図5に示されるように、処理ユニット502は、プロセッサ602を使用することによって実装され得る。トランシーバユニット501は、通信インタフェース601を使用することによって実施され得る。プロセッサ602は、通信インタフェース601を使用することによって情報またはメッセージを受信し、図2および図4に示される端末デバイスによって実行される方法を実施するように構成される。実装手順では、処理手順のステップは、プロセッサ602内のハードウェアの統合論理回路またはソフトウェアの形態の命令を使用することによって実装され、図2および図4の端末デバイスによって実行される方法を実装することができる。
【０１６７】
本出願のこの実施形態における通信インタフェース601は、回路、バス、トランシーバ、または情報を交換するために使用することができる任意の他の装置であり得る。
【０１６８】
本出願のこの実施形態では、通信インタフェース601、プロセッサ602、およびメモリ603の間の特定の接続媒体は限定されないことに留意されたい。本出願のこの実施形態では、図6では、メモリ603、プロセッサ602、および通信インタフェース601は、バスを使用することによって接続されている。バスは、図6の太い線を使用して表され、他の構成要素間の接続方法は、単に概略的な説明のために使用され、それに限定されない。バスは、アドレスバス、データバス、制御バスなどに分類されることができる。表現を簡単にするために、図6ではバスを表すために太い線が1本しか使用されていないが、これはバスが1つしかない、または1種類のバスしかないことを意味しない。
【０１６９】
図7に示されるのと同じ本発明の概念に基づいて、本出願の実施形態は、通信装置をさらに提供する。通信装置700は、ネットワークデバイスに適用される。装置700は、具体的には、ネットワークデバイス内のプロセッサ、チップ、チップシステム、機能モジュールなどであり得る。装置700は、処理ユニット701およびトランシーバユニット702を含み得る。処理ユニット701は、装置700の動作を制御および管理するように構成される。
【０１７０】
本出願の例では、処理ユニット701は、第1の情報を決定するように構成され、トランシーバユニット702は、第1の情報を送信するように構成される。第1の情報は、ランダムアクセスシステムフレーム内の1つ以上の第1の時間単位を示すために使用され、1つ以上の第1の時間単位は、構成テーブル内の1つ以上の時間単位に基づいてネットワークデバイスによって決定され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである。
【０１７１】
本出願の他の例では、処理ユニット701は、第1の情報を決定するように構成され得る。第1の情報は、ランダムアクセスシステムフレーム内の1つ以上の第1の時間単位を示すために使用され、1つ以上の第1の時間単位は、構成テーブル内の1つ以上の時間単位に基づいて決定され、1つ以上の第1の時間単位は、ランダムアクセスシーケンスのオプションの時間領域リソースである。トランシーバユニット702は、第1の情報を送信するように構成され得る。
【０１７２】
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【０１７３】
本出願の実施形態は、ネットワークデバイスの構造をさらに提供する。図8に示されるように、ネットワークデバイス800は、通信インタフェース801およびプロセッサ802を含み得る。任意選択で、ネットワークデバイス800は、メモリ803をさらに含み得る。メモリ803は、ネットワークデバイスの内部に配置されてもよく、またはネットワークデバイスの外部に配置されてもよい。図7に示されるように、処理ユニット701は、プロセッサ802を使用することによって実装され得る。トランシーバユニット702は、通信インタフェース801を使用することによって実施され得る。プロセッサ802は、通信インタフェース801を使用することによって情報またはメッセージを受信し、図2および図4に示されるネットワークデバイスによって実行される方法を実施するように構成される。実装手順では、処理プロセスのステップは、プロセッサ802内のハードウェアの統合論理回路またはソフトウェアの形態の命令を使用することによって実装され、図2および図4のネットワークデバイスによって実行される方法を実装することができる。
【０１７４】
本出願のこの実施形態における通信インタフェース801は、回路、バス、トランシーバ、または情報を交換するために使用することができる任意の他の装置であり得る。
【０１７５】
本出願のこの実施形態では、通信インタフェース801、プロセッサ802、およびメモリ803の間の特定の接続媒体は限定されないことに留意されたい。本出願のこの実施形態では、図8では、メモリ803、プロセッサ802、および通信インタフェース801は、バスを使用することによって接続されている。バスは、図8の太い線を使用して表され、他の構成要素間の接続方法は、制限ではなく単なる概略図である。バスは、アドレスバス、データバス、制御バスなどに分類されることができる。表現を簡単にするために、図8ではバスを表すために太い線が1本しか使用されていないが、これはバスが1つしかない、または1種類のバスしかないことを意味しない。
【０１７６】
前述の実施形態に基づいて、本出願の一実施形態は、コンピュータ記憶媒体をさらに提供する。記憶媒体は、ソフトウェアプログラムを格納し、ソフトウェアプログラムが1つ以上のプロセッサによって読み取られて実行されるとき、前述の実施形態のいずれか1つ以上による方法が実施され得る。コンピュータ記憶媒体は、リムーバブルハードディスク、読み取り専用メモリ、ランダムアクセスメモリ、磁気ディスク、または光ディスクなどのプログラムコードを格納できる任意の媒体を含み得る。
【０１７７】
前述の実施形態に基づいて、本出願の実施形態は、チップをさらに提供し、チップは、前述の実施形態のいずれか1つ以上の機能を実施するように構成されたプロセッサを含み、例えば、前述の方法で情報またはメッセージを取得または処理する。任意選択で、チップはさらにメモリを含み、メモリは、プロセッサによって実行されるために必要なプログラム命令およびデータを格納するように構成される。チップシステムは、チップを含んでもよく、チップと他の別個のデバイスを含んでもよい。
【０１７８】
前述の実施形態のすべてまたは一部は、ソフトウェア、ハードウェア、ファームウェア、またはそれらの任意の組み合わせを使用することによって実装されてもよい。実施形態を実装するためにソフトウェアが使用される場合、実施形態は、コンピュータプログラム製品の形で完全にまたは部分的に実装することができる。コンピュータプログラム製品は、1つ以上のコンピュータ命令を含む。コンピュータプログラム命令がコンピュータにロードされ実行されると、本出願による手順または機能がすべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよいし、コンピュータ可読記憶媒体から他のコンピュータ可読記憶媒体に送信されてもよい。例えば、コンピュータ命令は、有線（例えば、同軸ケーブル、光ファイバ、またはデジタル加入者回線）または無線（例えば、赤外線、無線、またはマイクロ波）方式で、1つのウェブサイト、コンピュータ、サーバ、またはデータセンタから他のウェブサイト、コンピュータ、サーバ、またはデータセンタに送信されてもよい。コンピュータ可読記憶媒体は、コンピュータによってアクセス可能な任意の使用可能な媒体、または1つ以上の使用可能な媒体を統合するサーバまたはデータセンタなどのデータ記憶デバイスであってもよい。使用可能な媒体は、磁気媒体（例えば、フロッピーディスク、ハードディスク、または磁気テープ）、光学媒体（例えば、DVD）、半導体媒体（例えば、ソリッドステートドライブSolid State Disk）などであってもよい。
【０１７９】
前述の実施形態のすべてまたは一部は、ソフトウェア、ハードウェア、ファームウェア、またはそれらの任意の組み合わせを使用することによって実装されてもよい。実施形態を実装するためにソフトウェアが使用される場合、実施形態は、コンピュータプログラム製品の形で完全にまたは部分的に実装することができる。コンピュータプログラム製品は、1つ以上のコンピュータ命令を含む。コンピュータプログラム命令がコンピュータにロードされ実行されると、本出願による手順または機能がすべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよいし、1つのコンピュータ可読記憶媒体から他のコンピュータ可読記憶媒体に送信されてもよい。例えば、コンピュータ命令は、有線（例えば、同軸ケーブル、光ファイバ、またはデジタル加入者回線）または無線（例えば、赤外線、無線、またはマイクロ波）方式で、1つのウェブサイト、コンピュータ、サーバ、またはデータセンタから他のウェブサイト、コンピュータ、サーバ、またはデータセンタに送信されてもよい。コンピュータ可読記憶媒体は、コンピュータによってアクセス可能な任意の使用可能な媒体、または1つ以上の使用可能な媒体を統合するサーバまたはデータセンタなどのデータ記憶デバイスであってもよい。使用可能な媒体は、磁気媒体（例えば、フロッピーディスク、ハードディスク、または磁気テープ）、光学媒体（例えば、DVD）、半導体媒体（例えば、ソリッドステートドライブSolid State Disk）などであってもよい。
【符号の説明】
【０１８０】
100  通信システム
101  ネットワークデバイス
102  端末デバイス
500  装置、通信装置
501  トランシーバユニット
502  処理ユニット
600  端末デバイス
601  通信インタフェース
602  プロセッサ
603  メモリ
700  装置、通信装置
701  処理ユニット
702  トランシーバユニット
800  ネットワークデバイス
801  通信インタフェース
802  プロセッサ
803  メモリ
【図１】
2021520719.tif 000069
【図２】
2021520719.tif 000070
【図３】
2021520719.tif 000071
【図４】
2021520719.tif 000072
【図５】
2021520719.tif 000073
【図６】
2021520719.tif 000074
【図７】
2021520719.tif 000075
【図８】
2021520719.tif 000076
【図９】
2021520719.tif 000077
【手続補正書】
【提出日】令和2年12月2日(2020.12.2)
【手続補正１】
【補正対象書類名】明細書
【補正対象項目名】全文
【補正方法】変更
【補正の内容】
【発明の詳細な説明】
【技術分野】
【０００１】
本出願は、通信技術の分野に関し、特に、通信方法および装置に関する。
【背景技術】
【０００２】
現在、ランダムアクセス手順では、端末デバイスは最初にランダムアクセスシーケンスを送信するための時間領域リソースを決定する必要がある。現在、端末デバイスがランダムアクセスシーケンスを送信するための時間領域リソースを決定する方法に関連する解決策はない。
【発明の概要】
【課題を解決するための手段】
【０００３】
本出願は、通信方法および装置を提供し、それにより、端末デバイスがランダムアクセスシーケンスを送信するために使用する時間領域リソースは、本出願の方法および装置を用いることによって決定することができる。
【０００４】
第1の態様によれば、本出願は、端末デバイスによって、第1の情報を受信するステップであって、第1の情報は、ランダムアクセスシステムフレーム内の1つ以上の第1の時間単位を示すために使用される、ステップと、端末デバイスによって、第1の情報および構成テーブルに基づいて1つ以上の第1の時間単位を決定するステップであって、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである、ステップと、を含む、通信方法を提供する。
【０００５】
第2の態様によれば、本出願は、ネットワークデバイスによって、構成テーブルに基づいて第1の情報を決定するステップであって、第1の情報は、ランダムアクセスシステムフレーム内の1つ以上の第1の時間単位を示すために使用され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである、ステップと、ネットワークデバイスによって、第1の情報を送信するステップと、を含む、通信方法を提供する。
【０００６】
可能な設計では、構成テーブル内の1つ以上の時間単位がアップリンク−ダウンリンク構成周期および第2の時間単位に基づいて決定されることは、具体的には、構成テーブル内の1つ以上の時間単位が、アップリンク−ダウンリンク構成周期、第2の時間単位、および第3の時間単位に基づいて決定されることであり、第3の時間単位は、制御リソースセットのオプションの時間領域リソースである。
【０００７】
可能な設計では、構成テーブル内の1つ以上の時間単位がアップリンク−ダウンリンク構成周期および第2の時間単位に基づいて決定されることは、具体的には、
アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１】
2021520719.tif 000078
個の時間単位と第2の時間単位に基づいて、構成テーブル内の時間単位を決定するステップと、である。
【０００８】
可能な設計では、各時間領域間隔内の最後の
【数２】
2021520719.tif 000079
個の時間単位および第2の時間単位に基づいて構成テーブル内の時間単位を決定するステップは、
各時間領域間隔内の最後の
【数３】
2021520719.tif 000080
個の時間単位、第2の時間単位、および第3の時間単位に基づいて構成テーブル内の時間単位を決定するステップを含み、
第3の時間単位は、制御リソースセットのオプションの時間領域リソースである。
【０００９】
可能な設計では、構成テーブル内の時間単位は、ランダムアクセスシステムフレーム内の第1の時間領域セットに配置され、構成テーブル内の時間単位は第2の時間単位とオーバーラップせず、
第1の時間領域セットは
【数４】
2021520719.tif 000081
であり、T0はランダムアクセスシステムフレームの開始時点を表し、TΔはアップリンク−ダウンリンク構成周期を表し、kは0より大きく
【数５】
2021520719.tif 000082
より小さい奇数であり、Tframeはランダムアクセスシステムフレームの持続時間を表す。
【００１０】
可能な設計では、構成テーブル内の時間単位は、第1の時間領域セット内の奇数インデックスに対応する時間単位である。
【００１１】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００１２】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛11、15、19、31、35、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛9、13、19、29、33、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛13、15、29、31、37、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、17、19、29、35、37、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛11、13、15、17、19、31、33、35、37、39｝のうちの1つ以上を含む、
という条件のうちの1つ以上を満たす。
【００１３】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛9、11、13、15、17、19、29、31、33、35、37、39｝を含み、
アップリンク−ダウンリンク構成周期が1ミリ秒である場合、構成テーブル内の時間単位の、ランダムアクセスシステムフレーム内のインデックスは、｛10、11、14、15、18、19、30、31、34、35、38、39｝を含み、
アップリンク−ダウンリンク構成周期が2ミリ秒である場合、構成テーブル内の時間単位の、ランダムアクセスシステムフレーム内のインデックスは、｛13、14、15、29、30、31、37、38、39｝を含み、または
アップリンク−ダウンリンク構成周期が2．5ミリ秒または5ミリ秒である場合、構成テーブル内の時間単位の、ランダムアクセスシステムフレーム内のインデックスは、｛17、19、37、39｝を含む、
という条件のうちの1つ以上を満たす。
【００１４】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝を含み、
アップリンク−ダウンリンク構成周期が1ミリ秒である場合、構成テーブル内の時間単位の、ランダムアクセスシステムフレーム内のインデックスは、｛15、31、39｝を含み、
アップリンク−ダウンリンク構成周期が1．25ミリ秒である場合、構成テーブル内の第1の時間単位の、ランダムアクセスシステムフレーム内のインデックスは、｛19、39｝を含み、または
アップリンク−ダウンリンク構成周期が2．5ミリ秒である場合、構成テーブル内の時間単位の、ランダムアクセスシステムフレーム内のインデックスは、｛15、17、19、35、37、39｝を含む、
という条件のうちの1つ以上を満たす。
【００１５】
可能な設計では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝と｛9、11、13、17、19、29、31、33、35、37｝のうちの1つ以上とを含み、
アップリンク−ダウンリンク構成周期が1ミリ秒である場合、構成テーブル内の時間単位の、ランダムアクセスシステムフレーム内のインデックスは、｛15、31、39｝と｛10、11、14、18、19、30、34、35、38｝のうちの1つ以上とを含み、
アップリンク−ダウンリンク構成周期が1．25ミリ秒である場合、構成テーブル内の時間単位の、ランダムアクセスシステムフレーム内のインデックスは、｛19、39｝と｛4、9、13、14、18、29、33、34、38｝のうちの1つ以上とを含み、または
アップリンク−ダウンリンク構成周期が2．5ミリ秒である場合、構成テーブル内の時間単位の、ランダムアクセスシステムフレーム内のインデックスは、｛15、17、19、35、37、39｝と｛9、16、18、29、36、38｝のうちの1つ以上とを含む、
という条件のうちの1つ以上を満たす。
【００１６】
可能な設計では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝を含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝を含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝を含み、
アップリンク−ダウンリンク構成周期が1．25ミリ秒または2．5ミリ秒である場合、構成テーブル内の第1の時間単位の、ランダムアクセスシステムフレーム内のインデックスは、｛9、19、29、39｝を含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝を含み、または
アップリンク−ダウンリンク構成周期が0．5ミリ秒、1ミリ秒、2．5ミリ秒、または5ミリ秒である場合、構成テーブル内の第1の時間単位の、ランダムアクセスシステムフレーム内のインデックスは、｛15、19、35、39｝を含む、
という条件のうちの1つ以上を満たす。
【００１７】
可能な設計では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝と｛9、10、13、14、17、18、29、30、33、34、37、38｝のうちの1つ以上とを含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝と｛9、10、11、12、13、14、16、18、29、30、31、32、33、34、36、38｝のうちの1つ以上とを含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝と｛4、9、10、11、12、13、14、16、17、18、19、29、30、32、33、34、35、36、37、38｝のうちの1つ以上とを含み、
アップリンク−ダウンリンク構成周期が1．25ミリ秒または2．5ミリ秒である場合、構成テーブル内の時間単位の、ランダムアクセスシステムフレーム内のインデックスは、｛9、19、29、39｝と｛4、13、14、15、16、17、18、33、34、35、36、37、38｝のうちの1つ以上とを含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝と｛4、9、10、11、12、13、14、15、16、17、18、29、30、31、32、33、34、35、36、37、38｝のうちの1つ以上とを含み、または
アップリンク−ダウンリンク構成周期が0．5ミリ秒、1ミリ秒、2．5ミリ秒、または5ミリ秒である場合、構成テーブル内の時間単位の、ランダムアクセスシステムフレーム内のインデックスは、｛15、19、35、39｝と｛9、10、11、12、13、14、16、17、18、29、30、31、32、33、34、36、37、38｝のうちの1つ以上とを含む、
という条件のうちの1つ以上を満たす。
【００１８】
第3の態様によれば、通信方法が提供される。方法は、
端末デバイスによって、第1の情報を受信するステップと、
端末デバイスによって、第1の情報および構成テーブルに基づいて1つ以上の第1の時間単位を決定するステップであって、1つ以上の第1の時間単位は、ランダムアクセスシーケンスのオプションの時間領域リソースである、ステップと、を含み、
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００１９】
第4の態様によれば、通信方法が提供される。通信方法は、
ネットワークデバイスによって、構成テーブルに基づいて第1の情報を決定するステップであって、第1の情報は、ランダムアクセスシステムフレーム内の1つ以上の第1の時間単位を示すために使用され、1つ以上の第1の時間単位は、ランダムアクセスシーケンスのオプションの時間領域リソースである、ステップと、
ネットワークデバイスによって、第1の情報を送信するステップと、を含み、
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【００２０】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の1つ以上の時間単位の、ランダムアクセスシステムフレーム内の1つ以上のインデックスが、｛11、15、19、31、35、39｝のうちの1つ以上を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の1つ以上の時間単位の、ランダムアクセスシステムフレーム内の1つ以上のインデックスが、｛9、13、19、29、33、39｝のうちの1つ以上を含むことを含み、
アップリンク−ダウンリンク構成周期が2ミリ秒である場合に、構成テーブル内の1つ以上の時間単位の、ランダムアクセスシステムフレーム内の1つ以上のインデックスが、｛4、12、13、14、15、29、30、31、36、37、38、39｝のうちの1つ以上を含むことは、
アップリンク−ダウンリンク構成周期が2ミリ秒である場合、構成テーブル内の1つ以上の時間単位の、ランダムアクセスシステムフレーム内の1つ以上のインデックスが、｛13、15、29、31、37、39｝のうちの1つ以上を含むことを含み、
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の1つ以上の時間単位の、ランダムアクセスシステムフレーム内の1つ以上のインデックスが、｛9、15、17、19、29、35、37、39｝のうちの1つ以上を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の1つ以上の時間単位の、ランダムアクセスシステムフレーム内の1つ以上のインデックスが、｛11、13、15、17、19、31、33、35、37、39｝のうちの1つ以上を含むことを含む。
【００２１】
可能な設計では、
アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛9、11、13、15、17、19、29、31、33、35、37、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレームのインデックスが、｛10、11、14、15、18、19、30、31、34、35、38、39｝を含むことを含み、
アップリンク−ダウンリンク構成周期が2ミリ秒である場合に、構成テーブル内の1つ以上の時間単位の、ランダムアクセスシステムフレーム内の1つ以上のインデックスが、｛4、12、13、14、15、29、30、31、36、37、38、39｝の1つ以上を含むことは、
アップリンク−ダウンリンク構成周期が2ミリ秒である場合、構成テーブル内の時間単位の、ランダムアクセスシステムフレーム内のインデックスが、｛13、14、15、29、30、31、37、38、39｝を含むことを含み、
アップリンク−ダウンリンク構成周期が2．5ミリ秒である場合に、第1のオプションの時間領域リソースに含まれるスロットが、｛9、15、16、17、18、19、29、35、36、37、38、39｝のうちの1つ以上であり得ることは、
アップリンク−ダウンリンク構成周期が2．5ミリ秒である場合、構成テーブル内の時間単位の、ランダムアクセスシステムフレーム内のインデックスが、｛17、19、37、39｝を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の時間単位の、ランダムアクセスシステムフレーム内のインデックスが、｛17、19、37、39｝を含むことを含む。
【００２２】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛15、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレーム内のインデックスが、｛15、31、39｝を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の時間単位の、ランダムアクセスシステムフレーム内のインデックスが｛19、39｝を含むことを含み、または
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の時間単位の、ランダムアクセスシステムフレーム内のインデックスが、｛15、17、19、35、37、39｝を含むことを含む。
【００２３】
可能な設計では、
アップリンク−ダウンリンク構成周期が0．5ミリ秒である場合に、1つ以上の第1の時間単位の、ランダムアクセスシステムフレーム内の1つ以上のインデックスが、｛9、11、13、15、17、19、29、31、33、35、37、39｝のうちの1つ以上を含むことは、
アップリンク−ダウンリンク構成周期が0．5ミリ秒である場合、構成テーブル内の時間単位の、ランダムアクセスシステムフレーム内のインデックスが、｛15、39｝と｛9、11、13、17、19、29、31、33、35、37、｝のうちの1つ以上とを含むことを含み、
アップリンク−ダウンリンク構成周期が1ミリ秒である場合に、1つ以上の第1の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレーム内のインデックスが、｛15、31、39｝と｛10、11、14、18、19、30、34、35、38｝のうちの1つ以上とを含むことを含み、
アップリンク−ダウンリンク構成周期が1．25ミリ秒である場合に、1つ以上の第1の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の時間単位の、ランダムアクセスシステムフレーム内のインデックスが、｛19、39｝と｛4、9、13、14、18、29、33、34、38｝のうちの1つ以上とを含むことを含み、または
アップリンク−ダウンリンク構成周期が2．5ミリ秒である場合に、第1のオプションの時間領域リソースに含まれるスロットが、｛9、15、16、17、18、19、29、35、36、37、38、39｝のうちの1つ以上であり得ることは、
アップリンク−ダウンリンク構成周期が2．5ミリ秒である場合、構成テーブル内の時間単位の、ランダムアクセスシステムフレーム内のインデックスが、｛15、17、19、35、37、39｝と｛9、16、18、29、36、38｝のうちの1つ以上とを含むことを含む。
【００２４】
可能な設計では、アップリンク−ダウンリンク構成周期が0．5ミリ秒である場合に、構成テーブル内の1つ以上の時間単位の、ランダムアクセスシステムフレーム内の1つ以上のインデックスが、｛9、11、13、15、17、19、29、31、33、35、37、39｝の1つ以上を含むことは、
アップリンク−ダウンリンク構成周期が0．5ミリ秒である場合、構成テーブル内の時間単位の、ランダムアクセスシステムフレーム内のインデックスが、｛11、15、19、31、35、39｝、｛15、17、19、35、37、39｝、｛15、31、39｝、または｛15、19、35、39｝を含むことを含み、
アップリンク−ダウンリンク構成周期が1ミリ秒である場合に、構成テーブル内の1つ以上の時間単位の、ランダムアクセスシステムフレーム内の1つ以上のインデックスが、｛10、11、14、15、18、19、30、31、34、35、38、39｝のうちの1つ以上を含むことは、
アップリンク−ダウンリンク構成周期が1ミリ秒である場合、構成テーブル内の時間単位の、ランダムアクセスシステムフレームのインデックスが、｛11、15、19、31、35、39｝、｛15、31、39｝、または｛15、19、35、39｝を含むことを含み、
アップリンク−ダウンリンク構成周期が1．25ミリ秒である場合に、構成テーブル内の1つ以上の時間単位の、ランダムアクセスシステムフレーム内の1つ以上のインデックスが、｛4、9、13、14、18、19、29、33、34、38、39｝のうちの1つ以上を含むことは、
アップリンク−ダウンリンク構成周期が1．25ミリ秒である場合、構成テーブル内の1つ以上の時間単位の、ランダムアクセスシステムフレーム内の1つ以上のインデックスが、｛9、19、29、39｝または｛19、39｝を含むことを含み、
アップリンク−ダウンリンク構成周期が2．5ミリ秒である場合に、構成テーブル内の1つ以上の時間単位の、ランダムアクセスシステムフレーム内の1つ以上のインデックスが、｛9、15、16、17、18、19、29、35、36、37、38、39｝のうちの1つ以上を含むことは、
アップリンク−ダウンリンク構成周期が2．5ミリ秒である場合、構成テーブル内の時間単位の、ランダムアクセスシステムフレーム内のインデックスが、｛15、17、19、35、37、39｝、｛9、19、29、39｝、｛19、39｝、または｛15、19、35、39｝を含むことを含み、または
アップリンク−ダウンリンク構成周期が5ミリ秒である場合に、構成テーブル内の1つ以上の時間単位の、ランダムアクセスシステムフレーム内の1つ以上のインデックスが、｛10、11、12、13、14、15、16、17、18、19、30、31、32、33、34、35、36、37、38、39｝のうちの1つ以上を含むことは、
アップリンク−ダウンリンク構成周期が5ミリ秒である場合、構成テーブル内の時間単位の、ランダムアクセスシステムフレーム内のインデックスが、｛15、17、19、35、37、39｝、｛15、31、39｝、｛19、39｝、または｛15、19、35、39｝を含むことを含む。
【００２５】
可能な設計では、アップリンク−ダウンリンク構成周期が0．5ミリ秒である場合に、1つ以上の第1の時間単位の、ランダムアクセスシステムフレーム内の1つ以上のインデックスが、｛9、11、13、15、17、19、29、31、33、35、37、39｝であることは、
アップリンク−ダウンリンク構成周期が0．5ミリ秒である場合、構成テーブル内の時間単位の、ランダムアクセスシステムフレーム内のインデックスが、｛11、15、19、31、35、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、17、19、35、37、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、31、39｝と｛9、13、29、33｝のうちの1つ以上とを含み、または
アップリンク−ダウンリンク構成周期が0．5ミリ秒である場合、構成テーブル内の時間単位の、ランダムアクセスシステムフレーム内のインデックスが、｛15、19、35、39｝と｛9、13、29、33｝のうちの1つ以上とを含むことを含み、
アップリンク−ダウンリンク構成周期が1ミリ秒である場合に、1つ以上の第1の時間単位の、ランダムアクセスシステムフレーム内の1つ以上のインデックスが、｛10、11、14、15、18、19、30、31、34、35、38、39｝の1つ以上であることは、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛15、31、39｝と｛10、14、18、30、34、38｝のうちの1つ以上とを含み、または
アップリンク−ダウンリンク構成周期が1ミリ秒である場合、構成テーブル内の時間単位の、ランダムアクセスシステムフレーム内のインデックスが、｛15、19、35、39｝と｛10、14、18、30、34、38｝のうちの1つ以上とを含むことを含み、
アップリンク−ダウンリンク構成周期が1．25ミリ秒である場合に、1つ以上の第1の時間単位の、ランダムアクセスシステムフレーム内の1つ以上のインデックスが、｛4、9、13、14、18、19、29、33、34、38、39｝のうちの1つ以上であることは、
アップリンク−ダウンリンク構成周期が1．25ミリ秒である場合、構成テーブル内の時間単位の、ランダムアクセスシステムフレーム内のインデックスが、｛9、19、29、39｝と｛4、13、14、18、33、34、38｝のうちの1つ以上とを含み、または
アップリンク−ダウンリンク構成周期が1．25ミリ秒である場合、構成テーブル内の時間単位の、ランダムアクセスシステムフレーム内のインデックスが、｛19、39｝と｛4、13、14、18、33、34、38｝のうちの1つ以上とを含むことを含み、
アップリンク−ダウンリンク構成周期が2．5ミリ秒である場合に、第1のオプションの時間領域リソースに含まれるスロットが、｛9、15、16、17、18、19、29、35、36、37、38、39｝の1つ以上であり得ることは、
アップリンク−ダウンリンク構成周期が2．5ミリ秒である場合、構成テーブル内の時間単位の、ランダムアクセスシステムフレーム内のインデックスが、｛15、17、19、35、37、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛9、19、29、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛19、39｝と｛16、18、36、38｝のうちの1つ以上とを含み、または
アップリンク−ダウンリンク構成周期が2．5ミリ秒である場合、構成テーブル内の時間単位の、ランダムアクセスシステムフレーム内のインデックスが、｛15、19、35、39｝と｛16、18、36、38｝のうちの1つ以上とを含むことを含み、または
アップリンク−ダウンリンク構成周期が5ミリ秒である場合に、1つ以上の第1の時間単位の、ランダムアクセスシステムフレーム内の1つ以上のインデックスが、｛10、11、12、13、14、15、16、17、18、19、30、31、32、33、34、35、36、37、38、39｝のうちの1つ以上であることは、
アップリンク−ダウンリンク構成周期が5ミリ秒である場合、構成テーブル内の時間単位の、ランダムアクセスシステムフレーム内のインデックスが、｛15、17、19、35、37、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、31、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛19、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、19、35、39｝と｛10、11、12、13、14、16、18、30、32、33、34、36、38｝のうちの1つ以上とを含むことを含む。
【００２６】
可能な設計では、構成テーブル内の1つ以上の時間単位は、アップリンク−ダウンリンク構成周期および第2の時間単位に基づいて決定され、第2の時間単位は、同期チャネルブロックのオプションの時間領域リソースである。
【００２７】
可能な設計では、構成テーブル内の1つ以上の時間単位がアップリンク−ダウンリンク構成周期および第2の時間単位に基づいて決定されることは、具体的には、
構成テーブル内の1つ以上の時間単位は、アップリンク−ダウンリンク構成周期、第2の時間単位、および第3の時間単位に基づいて決定されることであり、第3の時間単位は、制御リソースセットのオプションの時間領域リソースである。
【００２８】
可能な設計では、構成テーブル内の1つ以上の時間単位がアップリンク−ダウンリンク構成周期および第2の時間単位に基づいて決定されることは、具体的には、
アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数６】
2021520719.tif 000083
個の時間単位と第2の時間単位に基づいて、構成テーブル内の時間単位を決定するステップと、である。
【００２９】
可能な設計では、各時間領域間隔内の最後の
【数７】
2021520719.tif 000084
個の時間単位および第2の時間単位に基づいて構成テーブル内の時間単位を決定するステップは、
各時間領域間隔内の最後の
【数８】
2021520719.tif 000085
個の時間単位、第2の時間単位、および第3の時間単位に基づいて構成テーブル内の時間単位を決定するステップを含み、
第3の時間単位は、制御リソースセットのオプションの時間領域リソースである。
【００３０】
可能な設計では、構成テーブル内の時間単位は、ランダムアクセスシステムフレーム内の第1の時間領域セットに配置され、構成テーブル内の時間単位は第2の時間単位とオーバーラップせず、
第1の時間領域セットは
【数９】
2021520719.tif 000086
であり、T0はランダムアクセスシステムフレームの開始時点を表し、TΔはアップリンク−ダウンリンク構成周期を表し、kは0より大きく
【数１０】
2021520719.tif 000087
より小さい奇数であり、Tframeはランダムアクセスシステムフレームの持続時間を表す。
【００３１】
可能な設計では、構成テーブル内の時間単位は、第1の時間領域セット内の奇数インデックスに対応する時間単位である。
【００３２】
第5の態様によれば、本出願の実施形態は、前述の方法のいずれか1つを実行することができる通信装置を提供する。
【００３３】
可能な設計では、装置は、1つ以上の処理ユニットおよび通信ユニットを含む。1つ以上の処理ユニットは、前述の方法で端末デバイスまたはネットワークデバイスの対応する機能を実行する際に装置をサポートするように構成されている。通信ユニットは、例えば、第1のメッセージを受信するといった、受信および／または送信機能を実装するために、他のデバイスと通信する際に装置をサポートするように構成されている。
【００３４】
装置は、端末デバイス、ネットワークデバイスなどであってもよく、通信ユニットは、通信インタフェースであってもよい。任意選択で、通信ユニットは、代替的に、入力／出力回路またはインタフェースであってもよい。
【００３５】
あるいは、装置は通信チップであってもよい。通信ユニットは、通信チップの入力／出力回路またはインタフェースであってもよい。
【００３６】
他の可能な設計では、装置は、通信インタフェースおよびプロセッサを含む。プロセッサは、信号を送受信するための通信インタフェースを制御するように構成されている。プロセッサは、コンピュータプログラムを実行するように構成され、その結果、装置は、第1の態様から第5の態様のいずれか1つまたはその可能な実装による通信方法を実行する。
【００３７】
任意選択で、装置は、メモリをさらに含んでもよく、メモリは、コンピュータプログラムを記憶するように構成され、プロセッサは、メモリ内のコンピュータプログラムを実行するように特に構成されてもよく、その結果、装置は、第1の態様から第6の態様のいずれか1つまたはその可能な実装による通信方法を実行する。
【００３８】
第8の態様によれば、本出願の実施形態は、読み取り可能な記憶媒体をさらに提供する。読み取り可能な記憶媒体は、プログラムまたは命令を記憶し、プログラムまたは命令がコンピュータ上で実行されるとき、上記の態様による通信方法が実行される。
【００３９】
第9の態様によれば、本出願の実施形態は、命令を含むコンピュータプログラム製品をさらに提供する。コンピュータプログラム製品がコンピュータ上で実行されるとき、コンピュータは、上記の態様での通信方法を実行できるようになる。
【００４０】
第10の態様によれば、信号検出方法が提供される。方法は、ユーザ機器によって、指示情報を受信するステップであって、指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである、ステップと、ユーザ機器によって、指示情報に基づいて制御リソースセットの構成情報を決定するステップであって、制御リソースセットおよび共通信号ブロックは、周波数分割多重され、制御リソースセットのサブキャリア間隔は120kHzである、ステップと、を含む。
【００４１】
第11の態様によれば、信号検出方法が提供される。方法は、ネットワークデバイスによって、指示情報を生成するステップであって、指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである、ステップと、ネットワークデバイスによって、指示情報を送信するステップであって、制御リソースセットおよび共通信号ブロックは、周波数分割多重され、制御リソースセットのサブキャリア間隔は120kHzである、ステップと、を含む。
【００４２】
第12の態様によれば、ユーザ機器が提供される。ユーザ機器は、受信ユニットおよび処理ユニットを含む。受信ユニットは、指示情報を受信するように構成されている。指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである。処理ユニットは、指示情報に基づいて制御リソースセットの構成情報を決定するように構成されている。制御リソースセットおよび共通信号ブロックは周波数分割多重されており、制御リソースセットのサブキャリア間隔は120kHzである。
【００４３】
第13の態様によれば、ネットワークデバイスが提供される。ネットワークデバイスは、処理ユニットおよび送信ユニットを含む。処理ユニットは、指示情報を生成するように構成されている。指示情報は、制御チャネルの制御リソースセットの構成情報を示すために使用され、構成情報は、時間領域リソースサイズ、周波数領域リソースサイズ、およびリソース位置を含み、周波数領域リソースサイズは、96リソースブロックおよび／または192リソースブロックである。送信ユニットは、指示情報を送信するように構成されている。制御リソースセットおよび共通信号ブロックは周波数分割多重されており、制御リソースセットのサブキャリア間隔は120kHzである。
【００４４】
第14の態様によれば、通信デバイスが提供される。通信デバイスは、プロセッサ、トランシーバ、およびメモリを含む。メモリは命令を記憶し、命令がプロセッサによって実行されるとき、通信デバイスは、第10の態様または第11の態様による方法を実行するように構成されている。
【００４５】
第15の態様によれば、読み取り可能な記憶媒体が提供される。読み取り可能な記憶媒体は命令を含み、命令が実行されるとき、命令は、第10の態様または第11の態様による方法を実行するために使用される。
【００４６】
第16の態様によれば、チップが提供される。命令が実行されるとき、命令は、第10の態様または第11の態様による方法を実行するために使用され得る。
【００４７】
第11の態様、第12の態様、第13の態様、第14の態様、第15の態様、または第16の態様のいずれかの可能な実装では、時間領域リソースサイズは2つのOFDMシンボルである。
【００４８】
第11の態様、第12の態様、第13の態様、第14の態様、第15の態様、または第16の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、−20リソースブロックまたは−21リソースブロックの周波数領域差分である。
【００４９】
第11の態様、第12の態様、第13の態様、第14の態様、第15の態様、または第16の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、96リソースブロックの周波数領域差分である。
【００５０】
第11の態様、第12の態様、第13の態様、第14の態様、第15の態様、または第16の態様のいずれかの可能な実装では、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義された、192リソースブロックの周波数領域差分である。
【００５１】
第17の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５２】
【表１】
2021520719.tif 000088
【００５３】
第18の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５４】
【表２】
2021520719.tif 000089
【００５５】
第19の態様によれば、信号検出方法が提供される。方法は、
ユーザ機器によって、指示情報を受信するステップであって、指示情報は、制御チャネルの制御リソースセットの構成情報を示すために使用される、ステップと、
ユーザ機器によって、構成テーブルおよび指示情報に基づいて、制御リソースセットの構成情報を決定するステップと、
を含み、
構成テーブルは次のとおりである。
【００５６】
【表３】
2021520719.tif 000090
【００５７】
第26の態様、第18の態様、および第19の態様は、代替的に、ユーザ機器、読み取り可能な記憶媒体、またはチップであり得る。
【図面の簡単な説明】
【００５８】
【図１】本出願の実施形態による通信システムの概略構造図である。
【図２】本出願の実施形態による通信方法の概略フローチャートである。
【図３】本出願の実施形態による第1の時間領域セットの概略フローチャートである。
【図４】本出願の実施形態による通信方法の概略フローチャートである。
【図５】本出願の実施形態による通信装置の概略構造図である。
【図６】本出願の実施形態による端末デバイスの概略構造図である。
【図７】本出願の実施形態による通信装置の概略構造図である。
【図８】本出願の実施形態によるネットワークデバイスの概略構造図である。
【図９】本出願の実施形態による制御リソースセット多重化パターンの概略図である。
【発明を実施するための形態】
【００５９】
理解を容易にするために、本出願に関連する概念の説明は、以下に示す例を使用して参照用に提供されている。
【００６０】
（1）ネットワークデバイス：ネットワークデバイスは、ネットワーク内にあり、端末デバイスをワイヤレスネットワークに接続するデバイスである。ネットワークデバイスは、無線アクセスネットワーク内のノードであり、基地局または無線アクセスネットワーク（radio access network、RAN）ノード（またはデバイス）と呼ばれることもある。現在、いくつかのネットワークデバイスは、例えば、gNB、送信受信ポイント（transmission reception point、TRP）、進化型ノードB（evolved Node B、eNB）、無線ネットワークコントローラ（radio network controller、RNC）、ノードB（Node B、NB）、基地局コントローラ（base station controller、BSC）、基地トランシーバ局（base transceiver station、BTS）、ホーム基地局（例えば、home evolved NodeBまたはhome NodeB、HNB）、ベースバンドユニット（base band unit、BBU）、およびワイヤレスフィデリティ（wireless fidelity、Wifi）アクセスポイント（access point、AP）である。さらに、ネットワーク構造では、ネットワークデバイスは、集中型ユニット（centralized unit、CU）ノードおよび分散型ユニット（distributed unit、DU）ノードを含み得る。この構造では、長期進化（long term evolution、LTE）システムのeNBのプロトコル層が分割され、プロトコル層の一部の機能はCUによって集中方式で制御され、プロトコル層の残りの機能またはすべての機能はDUに分散され、CUはDUを集中方式で制御する。
【００６１】
（2）端末デバイス：端末デバイスは、ユーザ機器（user equipment、UE）、移動局（mobile station、MS）、移動端末（mobile terminal、MT）等とも呼ばれ、ユーザに音声および／またはデータ接続を提供するデバイス、例えば、ハンドヘルドデバイスまたは無線接続機能を有する車載デバイスである。現在、一部の端末は、例えば、携帯電話（mobile phone）、タブレットコンピュータ、ノートブックコンピュータ、パームトップコンピュータ、モバイルインターネットデバイス（mobile internet device、MID）、ウェアラブル端末、仮想現実（virtual reality、VR）デバイス、拡張現実（augmented reality、AR）デバイス、産業用制御（industrial control）の無線端末、自走（self driving）の無線端末、遠隔手術（remote surgery）の無線端末、スマートグリッド（smart grid）の無線端末、輸送安全（transportation safety）の無線端末、スマートシティ（smart city）の無線端末、およびスマートホーム（smart home）の無線端末である。
【００６２】
（3）通信システム：通信システムは、さまざまな無線アクセス技術（radio access technology、RAT）システム、例えば、コード分割多元アクセス（code division multiple access、CDMA）システム、時分割多元アクセス（time division multiple access、TDMA）システム、周波数分割多元接続（frequency division multiple access、FDMA）システム、直交周波数分割多元アクセス（orthogonal frequency−division multiple access、OFDMA）システム、シングルキャリア周波数分割多元アクセス（single carrier FDMA、SC−FDMA）システム、および他のシステムである。「システム」および「ネットワーク」という用語は交換できる。CDMAシステムは、ユニバーサル地上無線アクセス（universal terrestrial radio access、UTRA）およびCDMA2000などの無線技術を実装することができる。UTRAは、広帯域CDMA（wideband CDMA、WCDMA（登録商標））技術およびCDMAの他の変形技術を含み得る。CDMA2000は、暫定規格（interim standard、IS）2000（IS−2000）、IS−95、およびIS−856規格をカバーし得る。TDMAシステムは、移動体通信のためのグローバルシステム（global system for mobile communication、GSM）などの無線技術を実装することができる。OFDMAシステムは、進化型ユニバーサル地上無線アクセス（evolved UTRA、E−UTRA）、ウルトラモバイルブロードバンド（ultra mobile broadband、UMB）、IEEE 802．11（Wi−Fi）、IEEE 802．16（WiMAX）、IEEE802．20およびフラッシュOFDMAなどの無線技術を実装できる。UTRAおよびE−UTRAはUMTSであり、UMTSの進化バージョンである。E−UTRAを使用するUMTSの新しいバージョンは、3GPP長期進化（long term evolution、LTE）で使用され、さまざまなバージョンがLTEに基づいて進化した。さらに、通信システムは、未来志向の通信技術にさらに適用され得る。新しい通信技術を使用する通信システムがベアラ確立を含むという条件で、本出願の実施形態で提供される技術的解決策は、通信システムに適用可能である。本出願の実施形態で説明されるシステムアーキテクチャおよびサービスシナリオは、本出願の実施形態の技術的解決策をより明確に説明することを意図しており、本出願の実施形態で提供される技術的解決策に対する制限を構成しない。当業者は、ネットワークアーキテクチャの進化および新しいサービスシナリオの出現により、本出願の実施形態で提供される技術的解決策が同様の技術的問題にも適用可能であることを知ることができる。
【００６３】
（4）同期信号ブロック（synchronization signal block、SSB）：SSBは4つの連続する直交周波数分割多重シンボルを占有し、SSBはNR−PSS、NR−SSS、およびNR−PBCHを含みうる。
【００６４】
（5）制御リソースセット（control resource set、CORESET）：CORESETの機能は、LTEのダウンリンク制御エリアの機能と同様である。CORESETは、周波数領域に複数の物理リソースブロックを含み、時間領域に複数の直交周波数分割多重シンボルを含む。
【００６５】
（6）時間単位：時間単位は本質的に時間領域リソースであり、これらに限定されないが、スロット、サブフレーム、シンボル、フレーム、送信時間間隔（transmission time interval、TTI）などと呼ばれうる。
【００６６】
また、本出願の説明において、「第1」、「第2」などの単語は、単に区他の説明のために使用されており、相対的な重要性を示すものまたは暗に意味するもの、あるいは順番を示すものまたは暗に意味するものとして理解することはできないことを理解されたい。
【００６７】
図1は、本出願の実施形態による通信システム100を示している。通信システム100は、主に無線通信シナリオに適用され、ネットワークデバイス101および端末デバイス102を含み得る。
【００６８】
本出願のこの実施形態では、端末デバイス102がネットワークデバイス101にアクセスするプロセスは、以下であり得る：最初に、端末デバイス102は、セルを検索して、セルのシステム情報を取得し、端末デバイス102は、セルのシステム情報を使用することによってセルとのダウンリンク同期を実現することができる。次に、端末デバイス102は、セルへの接続を確立し、ランダムアクセス手順（random access procedure、RAP）を使用することによってアップリンク同期を実現することができる。
【００６９】
本出願の例では、端末デバイス102のランダムアクセス手順は、以下であり得る：端末デバイス102は、ランダムアクセスシーケンスをネットワークデバイス101に送信し、ランダムアクセスシーケンスは、preambleシーケンスと呼ばれることもある。ランダムアクセスシーケンスを受信した後、ネットワークデバイス101は、ランダムアクセス応答（random access response、RAP）を端末デバイス102に送信することができ、端末デバイス102は、対応するRAPを受信するためにRAP時間ウィンドウで物理ダウンリンク制御チャネルを監視する。RAPを検出した後、端末デバイス102は、第3のメッセージをネットワークデバイス101に送信しうる。ネットワークデバイス101は、競合解決（contention resolution）解決策を端末デバイス102に送信する。本出願のこの実施形態では、前述のランダムアクセス手順は、本出願の単なる例であり、本出願のアプリケーションシナリオに対する制限を構成するものではない。
【００７０】
前述のシナリオでは、本出願は通信方法の手順を提供する。手順において、ネットワークデバイスは、図1のネットワークデバイス101に対応するものであってもよく、端末デバイスは、図1の端末デバイス102に対応するものであってもよい。図2に示されるように、手順は具体的には以下のとおりである。
【００７１】
ステップS201：ネットワークデバイスは、構成テーブルに基づいて第1の情報を決定する。
【００７２】
第1の情報は、X個のランダムアクセスシステムフレーム内の1つ以上の第1の時間単位を示すために使用され、1つ以上の第1の時間単位は、ランダムアクセスシーケンスのオプションの時間領域リソースであり、Xは1以上の整数である。
【００７３】
ステップS202：ネットワークデバイスは、第1の情報を端末デバイスに送信する。
【００７４】
本出願のこの実施形態では、構成テーブルは、複数のPRACH構成オプションを含んでもよく、第1の情報は、具体的には、PRACH構成オプションのインデックスであり得る。例えば、次の表1では、256個のPRACH構成オプションを構成テーブル全体で構成できる。第1の情報は、前述の256個のPRACH構成オプションのうちの1つ以上を具体的に示し得る。より具体的には、表1に示される以下の実施形態では、各PRACH構成オプションは、PRACH構成インデックスを含み、第1の情報は、PARCH構成インデックスを示すために特に使用され得る。
【００７５】
ステップS203：端末デバイスは、第1の情報および構成テーブルに基づいて、1つ以上の第1の時間単位を決定する。
【００７６】
本出願は、構成テーブル内の1つ以上の時間単位を決定する次の2つの方法を提供する。
【００７７】
第１の方式：構成テーブル内の1つ以上の時間単位は、アップリンク−ダウンリンク構成周期および第2の時間単位に基づいて決定され、第2の時間単位は、同期信号ブロック（synchronization signal block、SSB）のオプションの時間領域リソースである。
【００７８】
前述の第１の方式のために、本出願は、具体的な実装を提供し、具体的には、複数の時間領域間隔は、アップリンク−ダウンリンク構成周期に基づいて決定され得る。各時間領域間隔は、N個の時間単位を含むように設定され、Nは1以上の整数である。次に、第1の時間単位は、各時間領域間隔内の最後の
【数１１】
2021520719.tif 000091
個の時間単位および第2の時間単位に基づいて決定され得る。
【００７９】
具体的には、本出願のこの実施形態では、ランダムアクセスシステムフレームは、アップリンク−ダウンリンク構成周期に基づいて、複数の時間領域単位に分割され得る。各時間領域単位は、N個の時間単位を含むように設定されている。この場合、各時間領域単位内の最後の
【数１２】
2021520719.tif 000092
個の時間単位が、第1の時間領域セットを形成するために選択されてもよく、次に第2の時間単位が第1の時間領域セットから削除され、第1の時間単位が決定されうる。
【００８０】
本出願のこの実施形態では、例えば、図3に示されるように、ランダムアクセスシステムフレームの長さが10ミリ秒であり、アップリンク−ダウンリンク構成周期が2ミリ秒である場合、ランダムアクセスシステムフレームは5つの時間領域間隔に分割することができ、5つの時間領域間隔は、それぞれ、第1の時間領域間隔、第2の時間領域間隔、第3の時間領域間隔、第4の時間領域間隔、および第5の時間領域間隔である。RACHサブキャリア間隔が60kHzの場合、5つの時間領域間隔のそれぞれは、8個の時間単位を含む。図3から、第1の時間領域間隔に含まれる時間単位のインデックスは｛0、1、2、3、4、5、6、7｝であり、第2の時間領域間隔に含まれる時間単位のインデックスは｛8、9、10、11、12、13、14、15｝であり、第3の時間領域間隔に含まれる時間単位のインデックスは｛16、17、18、19、20、21、22、23｝であり、第4の時間領域間隔に含まれる時間単位のインデックスは｛24、25、26、27、28、29、30、31｝であり、第5の時間領域間隔に含まれる時間単位のインデックスは｛32、33、34、35、36、37、38、39｝であることが分かる。
【００８１】
本出願のこの実施形態では、第1の時間領域間隔の後半（すなわち、インデックスが4、5、6、および7である時間単位）、第2の時間領域間隔の後半（すなわち、インデックスが12、13、14、および15である時間単位）、第3の時間領域間隔の後半（すなわち、インデックスが20、21、22、および23である時間単位）、第4の時間領域間隔の後半（すなわち、インデックスが28、29、30、および31である時間単位）、および第5の時間領域間隔の後半（すなわち、インデックスが36、37、38、および39である時間単位）は、第1の時間領域セットを形成し得る。具体的には、第1の時間領域セットに含まれる時間単位のインデックスは、｛4、5、6、7、12、13、14、15、20、21、22、23、28、29、30、31、36、37、38、39｝である。次に、第2の時間単位（すなわち、SSBのオプションの時間領域リソース）が第1の時間領域セットから削除され、構成テーブルの時間単位を取得できるようになる。例えば、前述の例は引き続き使用される。第1の時間領域セットに含まれる時間単位のインデックスは、｛4、5、6、7、12、13、14、15、20、21、22、23、28、29、30、31、36、37、38、39｝であり、第2の時間単位のインデックスは｛5、6、7、20、21、22、23、28｝である。この場合、構成テーブルの時間単位のインデックスは｛4、12、13、14、15、29、30、31、36、37、38、39｝であり得る。構成テーブルは、具体的には1つの時間単位を含み得るか、または複数の時間単位を含み得る。これは本出願では限定されない。
【００８２】
前述の第１の方式は、代替的に、以下の方法で表現され得る。構成テーブル内の時間単位は、ランダムアクセスシステムフレーム内の第1の時間領域セットに配置され、第1の時間単位は第2の時間単位とオーバーラップせず、
第1の時間領域セットは具体的には
【数１３】
2021520719.tif 000093
であってもよく、T0はランダムアクセスシステムフレームの開始時点を表し、TΔはアップリンク−ダウンリンク構成周期を表し、kは0より大きく
【数１４】
2021520719.tif 000094
より小さい奇数であり、Tframeはランダムアクセスシステムフレームの持続時間を表す。
【００８３】
本出願のこの実施形態では、ランダムアクセスシステムフレームの開始時点がT0＝0ミリ秒であるとき、ランダムアクセスシステムフレームの持続時間はTframe＝10ミリ秒であり、アップリンク−ダウンリンク構成周期はTΔ＝2ミリ秒であり、kの値は1、3、5、7、または9である。同様に、第1の時間領域セットに含まれる時間領域間隔は、1ミリ秒から2ミリ秒、3ミリ秒から4ミリ秒、5ミリ秒から6ミリ秒、7ミリ秒から8ミリ秒、および9ミリ秒から10ミリ秒である。第1の時間領域セットに含まれる時間単位のインデックスは、｛4、5、6、7、12、13、14、15、20、21、22、23、28、29、30、31、36、37、38、39｝である。
【００８４】
本出願のこの実施形態では、前述の第１の方式で、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上であり、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上であり、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上であり、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上であり、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上であり、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上である、という条件のうちの1つ以上を満たす。
【００８５】
前述の第１の方式において、ランダムアクセスシーケンスのオプションの時間領域リソース（すなわち、第1の時間単位）は、アップリンク−ダウンリンク構成周期全体の後半の時間単位に位置し、SSBのオプションの時間領域リソースと衝突しないと決定されうる。
【００８６】
第２の方式：構成テーブルの時間単位は、アップリンク−ダウンリンク構成周期、第2の時間単位、および第3の時間単位に基づいて生成され、第2の時間単位は、SSBのオプションの時間領域リソースであり、第3の時間単位は、制御リソースセット（control resource set、CORESET）のオプションの時間領域リソースである。
【００８７】
前述の第２の方式のために、本出願は、特定の実装を提供する：複数の時間領域間隔は、アップリンク−ダウンリンク構成周期に基づいて決定され得る。各時間領域間隔は、N個の時間単位を含むように設定され、Nは1以上の整数である。次に、構成テーブル内の時間単位は、各時間領域間隔内の最後の
【数１５】
2021520719.tif 000095
個の時間単位、第2の時間単位、および第3の時間単位に基づいて決定され得る。
【００８８】
具体的には、本出願のこの実施形態では、ランダムアクセスシステムフレームは、アップリンク−ダウンリンク構成周期に基づいて、複数の時間領域単位に分割され得る。各時間領域単位は、N個の時間単位を含むように設定されている。この場合、各時間領域単位内の最後の
【数１６】
2021520719.tif 000096
個の時間単位が、第1の時間領域セットを形成するために選択されてもよく、次に奇数インデックスに対応する時間単位が第1の時間領域セットから選択され、最後に第2の時間単位が奇数インデックスを有する時間単位から削除されて、第1の時間単位が決定されうる。
【００８９】
前述の例は引き続き使用される。図3に示されるように、第1の時間領域セットが最初に決定される。どのように第1の領域セットを決定するかについては、第１の方式での説明を参照されたく、詳細は本明細書では再び説明しない。次に、奇数インデックスに対応する時間単位が、第1の時間領域セットで決定される。最後に、第2の時間単位（すなわち、SSBのオプションの時間領域リソース）が奇数インデックスの時間単位から削除され、構成テーブルの時間単位を決定されうる。奇数インデックスを有する時間単位は、第1の時間領域セットから選択されるため、ランダムアクセスシーケンスのオプションの時間領域リソースとCORESETのオプションの時間領域リソースとの間の衝突の可能性を減らすことができる。
【００９０】
例えば、前述の例は引き続き使用される。第1の時間領域セットに含まれる時間単位のインデックスは、｛4、5、6、7、12、13、14、15、20、21、22、23、28、29、30、31、36、37、38、39｝である。この場合、前述のインデックスでは、奇数インデックスは｛5、7、13、15、21、23、29、31、37、39｝であり得る。さらに、第2の時間単位のインデックス（すなわち、SSBのオプションの時間領域リソース）が｛5、7、21、23｝に設定されるため、構成テーブルで取得される時間単位のインデックスは、第2の時間単位のインデックス｛5、7、21、23｝が奇数インデックス｛5、7、13、15、21、23、29、31、37、39｝から削除された後、具体的には｛13、15、29、31、37、39｝であり得る。
【００９１】
本出願のこの実施形態では、第２の方式が使用される場合、構成テーブル内の1つ以上の時間単位の、ランダムアクセスシステムフレーム内の1つ以上のインデックスは、
アップリンク−ダウンリンク構成周期が0．5ミリ秒である場合、1つ以上の時間単位の、ランダムアクセスシステムフレーム内の1つ以上のインデックスは、｛9、11、13、15、17、19、29、31、33、35、37、39｝のうちの1つ以上であり、
アップリンク−ダウンリンク構成周期が1ミリ秒である場合、1つ以上の時間単位の、ランダムアクセスシステムフレーム内の1つ以上のインデックスは、｛11、15、19、31、35、39｝のうちの1つ以上であり、
アップリンク−ダウンリンク構成周期が1．25ミリ秒である場合、1つ以上の時間単位の、ランダムアクセスシステムフレーム内の1つ以上のインデックスは、｛9、13、19、29、33、39｝のうちの1つ以上であり、
アップリンク−ダウンリンク構成周期が2ミリ秒である場合、の1つ以上の時間単位の、ランダムアクセスシステムフレーム内の1つ以上のインデックスは、｛13、15、29、31、37、39｝のうちの1つ以上であり、
アップリンク−ダウンリンク構成周期が2．5ミリ秒である場合、1つ以上の時間単位の、ランダムアクセスシステムフレーム内の1つ以上のインデックスは、｛9、15、17、19、29、35、37、39｝のうちの1つ以上であり、または
アップリンク−ダウンリンク構成周期が5ミリ秒である場合、1つ以上の時間単位の、ランダムアクセスシステムフレーム内の1つ以上のインデックスは、｛11、13、15、17、19、31、33、35、37、39｝のうちの1つ以上である、
という条件のうちの1つ以上を満たす。
【００９２】
前述の第１の方式において、ランダムアクセスシーケンスのオプションの時間領域リソース（すなわち、第1の時間単位）は、アップリンク−ダウンリンク構成周期全体の後半の時間単位に位置し、SSBのオプションの時間領域リソースと衝突せず、制御リソースセットのオプションの時間領域リソースと衝突する可能性が比較的低いことを保証することができる。
【００９３】
本出願の他の例では、構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛9、11、13、15、17、19、29、31、33、35、37、39｝を含み、
アップリンク−ダウンリンク構成周期が1ミリ秒である場合、構成テーブル内の時間単位の、ランダムアクセスシステムフレーム内のインデックスは、｛10、11、14、15、18、19、30、31、34、35、38、39｝を含み、
アップリンク−ダウンリンク構成周期が2ミリ秒である場合、構成テーブル内の時間単位の、ランダムアクセスシステムフレーム内のインデックスは、｛13、14、15、29、30、31、37、38、39｝を含み、または
アップリンク−ダウンリンク構成周期が2．5ミリ秒または5ミリ秒である場合、構成テーブル内の時間単位の、ランダムアクセスシステムフレーム内のインデックスは、｛17、19、37、39｝を含む、
という条件のうちの1つ以上を満たすことができる。
【００９４】
本出願の他の例では、構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝を含み、
アップリンク−ダウンリンク構成周期が1ミリ秒である場合、構成テーブル内の時間単位の、ランダムアクセスシステムフレーム内のインデックスは、｛15、31、39｝を含み、
アップリンク−ダウンリンク構成周期が1．25ミリ秒である場合、構成テーブル内の時間単位の、ランダムアクセスシステムフレーム内のインデックスは、｛19、39｝を含み、または
アップリンク−ダウンリンク構成周期が2．5ミリ秒である場合、構成テーブル内の時間単位の、ランダムアクセスシステムフレーム内のインデックスは、｛15、17、19、35、37、39｝を含む、
という条件のうちの1つ以上を満たすことができる。
【００９５】
本出願の他の例では、ランダムアクセスシステムフレーム内の構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスは、｛15、39｝と｛9、11、13、17、19、29、31、33、35、37｝のうちの1つ以上とを含み、
アップリンク−ダウンリンク構成周期が1ミリ秒である場合、構成テーブル内の時間単位の、ランダムアクセスシステムフレーム内のインデックスは、｛15、31、39｝と｛10、11、14、18、19、30、34、35、38｝のうちの1つ以上とを含み、
アップリンク−ダウンリンク構成周期が1．25ミリ秒である場合、構成テーブル内の時間単位の、ランダムアクセスシステムフレーム内のインデックスは、｛19、39｝と｛4、9、13、14、18、29、33、34、38｝のうちの1つ以上とを含み、または
アップリンク−ダウンリンク構成周期が2．5ミリ秒である場合、構成テーブル内の時間単位の、ランダムアクセスシステムフレーム内のインデックスは、｛15、17、19、35、37、39｝と｛9、16、18、29、36、38｝のうちの1つ以上とを含む、
という条件のうちの1つ以上を満たすことができる。
【００９６】
本出願の他の例では、ランダムアクセスシステムフレーム内の構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝を含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝を含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝を含み、
アップリンク−ダウンリンク構成周期が1．25ミリ秒または2．5ミリ秒である場合、構成テーブル内の第1の時間単位の、ランダムアクセスシステムフレーム内のインデックスは、｛9、19、29、39｝を含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝を含み、または
アップリンク−ダウンリンク構成周期が0．5ミリ秒、1ミリ秒、2．5ミリ秒、または5ミリ秒である場合、構成テーブル内の第1の時間単位の、ランダムアクセスシステムフレーム内のインデックスは、｛15、19、35、39｝を含む、
という条件のうちの1つ以上を満たすことができる。
【００９７】
本出願の他の例では、ランダムアクセスシステムフレーム内の構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒または1ミリ秒である場合、構成テーブル内の時間単位の、ランダムアクセスシステムフレーム内のインデックスは、｛11、15、19、31、35、39｝と｛9、10、13、14、17、18、29、30、33、34、37、38｝のうちの1つ以上とを含み、
アップリンク−ダウンリンク構成周期が0．5ミリ秒、2．5ミリ秒、または5ミリ秒である場合、構成テーブル内の時間単位の、ランダムアクセスシステムフレーム内のインデックスは、｛15、17、19、35、37、39｝と｛9、10、11、12、13、14、16、18、29、30、31、32、33、34、36、38｝のうちの1つ以上とを含み、
アップリンク−ダウンリンク構成周期が0．5ミリ秒、1ミリ秒、2ミリ秒、または5ミリ秒である場合、構成テーブル内の時間単位の、ランダムアクセスシステムフレーム内のインデックスは、｛15、31、39｝と｛4、9、10、11、12、13、14、16、17、18、19、29、30、32、33、34、35、36、37、38｝のうちの1つ以上とを含み、
アップリンク−ダウンリンク構成周期が1．25ミリ秒または2．5ミリ秒である場合、構成テーブル内の時間単位の、ランダムアクセスシステムフレーム内のインデックスは、｛9、19、29、39｝と｛4、13、14、15、16、17、18、33、34、35、36、37、38｝のうちの1つ以上とを含み、
アップリンク−ダウンリンク構成周期が1．25ミリ秒、2．5ミリ秒、または5ミリ秒である場合、構成テーブル内の時間単位の、ランダムアクセスシステムフレーム内のインデックスは、｛19、39｝と｛4、9、10、11、12、13、14、15、16、17、18、29、30、31、32、33、34、35、36、37、38｝のうちの1つ以上とを含み、または
アップリンク−ダウンリンク構成周期が0．5ミリ秒、1ミリ秒、2．5ミリ秒、または5ミリ秒である場合、構成テーブル内の時間単位の、ランダムアクセスシステムフレーム内のインデックスは、｛15、19、35、39｝と｛9、10、11、12、13、14、16、17、18、29、30、31、32、33、34、36、37、38｝のうちの1つ以上とを含む、
という条件のうちの1つ以上を満たすことができる。
【００９８】
本出願の他の例では、ランダムアクセスシステムフレーム内の構成テーブル内の1つ以上の時間単位の、ランダムアクセスシステムフレーム内の、1つ以上のインデックスの解決策がさらに開示される。この例では、構成テーブル内の1つ以上の時間単位の、ランダムアクセスシステムフレーム内の1つ以上のインデックスは、
アップリンク−ダウンリンク構成周期が0．5ミリ秒である場合、構成テーブル内の時間単位の、ランダムアクセスシステムフレーム内のインデックスが、｛11、15、19、31、35、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、17、19、35、37、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、31、39｝と｛9、13、29、33｝のうちの1つ以上とを含み、
アップリンク−ダウンリンク構成周期が0．5ミリ秒である場合、構成テーブル内の時間単位の、ランダムアクセスシステムフレーム内のインデックスが、｛15、19、35、39｝と｛9、13、29、33｝のうちの1つ以上とを含むことを含み、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛11、15、19、31、35、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛15、31、39｝と｛10、14、18、30、34、38｝のうちの1つ以上とを含み、
アップリンク−ダウンリンク構成周期が1ミリ秒である場合、構成テーブル内の時間単位の、ランダムアクセスシステムフレーム内のインデックスが、｛15、19、35、39｝と｛10、14、18、30、34、38｝のうちの1つ以上とを含むことを含み、
アップリンク−ダウンリンク構成周期が1．25ミリ秒である場合、構成テーブル内の時間単位の、ランダムアクセスシステムフレーム内のインデックスが、｛9、19、29、39｝と｛4、13、14、18、33、34、38｝のうちの1つ以上とを含み、
アップリンク−ダウンリンク構成周期が1．25ミリ秒である場合、構成テーブル内の時間単位の、ランダムアクセスシステムフレーム内のインデックスが、｛19、39｝と｛4、13、14、18、33、34、38｝のうちの1つ以上とを含むことを含み、
アップリンク−ダウンリンク構成周期が2．5ミリ秒である場合、構成テーブル内の時間単位の、ランダムアクセスシステムフレーム内のインデックスが、｛15、17、19、35、37、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛9、19、29、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛19、39｝と｛16、18、36、38｝のうちの1つ以上とを含み、
アップリンク−ダウンリンク構成周期が2．5ミリ秒である場合、構成テーブル内の時間単位の、ランダムアクセスシステムフレーム内のインデックスが、｛15、19、35、39｝と｛16、18、36、38｝のうちの1つ以上とを含むことを含み、
アップリンク−ダウンリンク構成周期が5ミリ秒である場合、構成テーブル内の時間単位の、ランダムアクセスシステムフレーム内のインデックスが、｛15、17、19、35、37、39｝と｛10、11、12、13、14、16、18、30、32、33、34、36、38｝のうちの1つ以上とを含み、
アップリンク−ダウンリンク構成周期が5ミリ秒である場合、構成テーブル内の時間単位の、ランダムアクセスシステムフレーム内のインデックスが、｛15、31、39｝と｛10、11、12、13、14、16、18、30、32、33、34、36、38｝のうちの1つ以上とを含み、
アップリンク−ダウンリンク構成周期が5ミリ秒である場合、構成テーブル内の時間単位の、ランダムアクセスシステムフレーム内のインデックスが、｛19、39｝と｛10、11、12、13、14、16、18、30、32、33、34、36、38｝のうちの1つ以上とを含み、または
アップリンク−ダウンリンク構成周期が5ミリ秒である場合、構成テーブル内の時間単位の、ランダムアクセスシステムフレーム内のインデックスが、｛15、19、35、39｝と｛10、11、12、13、14、16、18、30、32、33、34、36、38｝のうちの1つ以上とを含むことを含む、
という条件のうちの1つ以上を満たすことができる。
【００９９】
構成テーブル内の1つ以上の時間単位の、ランダムアクセスシステムフレーム内の1つ以上のインデックスは、さらに次の条件を満たす。
【０１００】
時間単位の、ランダムアクセスシステムフレーム内の、インデックスは、少なくとも2つのインデックスサブセットに分割され、各インデックスサブセットは、第1の間隔を満たす少なくとも2つのインデックスを含み、さらに、2つのインデックスサブセットの対応する位置の要素は、第2の間隔を満たす2つのインデックスを含む。第2の間隔は、インデックスサブセットに含まれるインデックスの数と第1の間隔との積と等しくない。
【０１０１】
任意選択で、各インデックスサブセットに含まれるインデックスの数が3以上になりうる場合、構成テーブル内の1つ以上の時間単位の、ランダムアクセスシステムフレーム内の、1つ以上のインデックスは、時間単位の少なくとも4つのインデックスがあり、3つの隣接するインデックスの2つごとに一定の間隔があり、残りのインデックスと3つの隣接するインデックスの第1のインデックスまたは最後のインデックスの差が、均一な間隔と等しくないという条件を満たす。
【０１０２】
任意選択で、構成テーブル内の時間単位の、ランダムアクセスシステムフレーム内の、インデックスは、少なくとも2つのインデックスサブセットを含み、各インデックスサブセットは、第1の間隔を満たす少なくとも2つのインデックスを含む。例えば、｛15、17、19、35、37、39｝は、2つのインデックスサブセット｛15、17、19｝と｛35、37、39｝に分割でき、ここで、｛15、17、19｝内の第1の間隔は両方とも2であり、｛35、37、39｝内の第1の間隔はいずれも2である。さらに、任意選択で、2つのインデックスサブセットの対応する位置のインデックスは、第2の間隔を満たすインデックスを含む。第2の間隔は、インデックスサブセットに含まれるインデックスの数と第1の間隔との積と等しくない。例えば、｛15、17、19、35、37、39｝は、2つのインデックスサブセット｛15、17、19｝と｛35、37、39｝に分割でき、ここで、15と35との間の第2の間隔は20であり、17と37との間の第2の間隔は20であり、19と39との間の第2の間隔は20である。
【０１０３】
任意選択で、構成テーブル内の時間単位の、ランダムアクセスシステムフレーム内の、インデックスは、少なくとも2つのインデックスサブセットを含み、また、1つのインデックスサブセットでは、少なくとも3つの隣接するインデックスの2つごとに一定の間隔があり、残りのインデックスと3つの隣接するインデックスのいずれかとの間隔は、均一な間隔と等しくない。例えば、｛9、15、16、17、18、19、29、35、36、37、38、39｝には、2つのインデックスサブセット｛9、15、16、17、18、19｝と｛29、35、36、37、38、39｝がある。｛9、15、16、17、18、19｝では、15、16、17、18、および19のうちの2つごとの均一な間隔は1であり（15と16との間の間隔は1であり、16と17との間の間隔は1であり、17と18との間の間隔は1であり、18と19との間の間隔は1である）9と15、16、17、18、および19のいずれかとの間の間隔は1に等しくなく、具体的には、均一な間隔と等しくない。さらに、任意選択で、2つのインデックスサブセットの対応する位置のインデックスは、第2の間隔を満たすインデックスを含む。例えば、2つのインデックスサブセット｛9、15、16、17、18、19｝と｛29、35、36、37、38、39｝とでは、9と29の間の第2の間隔は20、15と35の間の第2の間隔は20であり、16と36の間の第2の間隔は20であり、17と37の間の第2の間隔は20であり、18と38の間の第2の間隔は20であり、19と39の間の第2の間隔は20である。
【０１０４】
図4に示されるように、本出願は、通信手順を提供する。図4に示す通信手順では、具体的に説明するために時間単位がスロット（slot）である例を使用する。図4に示す手順の物理ランダムアクセスチャネル（physical random access channel、PRACH）構成テーブルは、図2に示される手順の構成テーブルに対応することができ、図4に示す手順のインデックス指示情報は、図2に示される手順の第1のメッセージに対応することができ、図4に示される手順のRACH機会（RACH occasion、RO）は、図2に示される手順のランダムアクセスシーケンスのオプションの時間領域リソースに対応することができる。図4に示されるように、手順は具体的には以下のとおりである。
【０１０５】
ステップS401：ネットワークデバイスは、PRACH構成テーブルに基づいてインデックス指示情報を決定する。
【０１０６】
インデックス指示情報は、少なくとも、PRACH機会がシステムフレーム内に配置される可能性のあるスロットのインデックスを示すために使用される。PRACH機会が配置される可能性のあるスロットは、PARCHスロットと呼ばれる場合がある。PRACH構成テーブルにおいて、PRACHは、以下の特性を満たすように構成され得る：（1）PRACH機会は、アップリンク−ダウンリンク構成周期の後半に含まれるスロットに配置される。（2）PRACH機会は、SSBのオプションスロット以外のスロットに配置される。（3）CORESETのすべてのオプション構成において、PRACH機会は、CORESETのオプションの時間領域位置との衝突確率が最小である。
【０１０７】
ステップS402：ネットワークデバイスは、インデックス指示情報を端末デバイスに送信する。
【０１０８】
ステップS403：端末デバイスは、インデックス指示情報に基づいてRO機会を決定する。
【０１０９】
本出願のこの実施形態では、PRACH構成テーブルが提供される。PRACH構成テーブルは、以下のパラメータの1つ以上を含めることができる。
（1）PRACH構成シーケンス番号であって、オプションの値は0〜255である。
（2）ランダムアクセスプリアンブルシーケンスフォーマットであって、
本出願のこの実施形態では、ランダムアクセスシーケンスフォーマットは、ロングシーケンスフォーマットおよびショートシーケンスフォーマットを含んでもよく、ロングシーケンスフォーマットは、具体的には0から3であってもよく、ショートシーケンスフォーマットは、具体的にはA1、A2、A3、B1，B4、A1／B1、A2／B2、A3／B3、C0、またはC2であってもよい。
（3）PRACH構成周期パラメータであって、オプションの値は｛1、2、4、8、16｝であり
本出願のこの実施形態では、PRACH構成周期は、10ミリ秒、20ミリ秒、40ミリ秒、80ミリ秒、または160ミリ秒であり得る。
（4）RACHシステムフレーム番号（system frame number、SNF）。
（5）PRACHスロットの数であって、ここで
本出願のこの実施形態では、6GHz未満の通信周波数帯域の場合、PRACHスロットの数は、具体的には、1ミリ秒の持続時間粒度に含まれるPRACHスロットの数であり、6GHzを超える周波数帯域の場合、RACHスロットの数は、具体的には0．25ミリ秒の持続時間粒度に含まれるPRACHスロットの数である。
（6）PRACHスロット（slot）シーケンス番号。
（7）PRACH開始記号、そして
（8）各PRACHスロットに含まれるPRACH機会（PRACH occasion、RO）の数。
【０１１０】
前述の説明に基づいて、表1に示されるように、本出願はPRACH構成テーブルを提供する。PRACH構成テーブルは、256個のPRACH構成オプションを含んでもよく、各PRACH構成オプションは、5つのパラメータを含んでもよく、これらは、それぞれ、PRACH構成インデックス、プリアンブルシーケンスフォーマット、RACHシステムフレーム番号（SFN mod x＝y、ここで、SNFはシステムフレーム番号であり、xはPRACH構成周期パラメータである）、スロットインデックス、開始記号、60kHzのサブキャリア間隔に対応するスロットに含まれるPRACHスロットの数、およびRACHスロットに含まれる時間領域物理ランダムアクセスチャネル機会の数である。本出願の例では、表1に示されるように、PRACH構成テーブルが具体的に提供されている。
【０１１１】
【表４Ａ】
2021520719.tif 000097
【表４Ｂ】
2021520719.tif 000098
【表４Ｃ】
2021520719.tif 000099
【表４Ｄ】
2021520719.tif 000100
【表４Ｅ】
2021520719.tif 000101
【表４Ｆ】
2021520719.tif 000102
【表４Ｇ】
2021520719.tif 000103
【表４Ｈ】
2021520719.tif 000104
【表４Ｉ】
2021520719.tif 000105
【表４Ｊ】
2021520719.tif 000106
【表４Ｋ】
2021520719.tif 000107
【表４Ｌ】
2021520719.tif 000108
【表４Ｍ】
2021520719.tif 000109
【表４Ｎ】
2021520719.tif 000110
【表４Ｏ】
2021520719.tif 000111
【表４Ｐ】
2021520719.tif 000112
【表４Ｑ】
2021520719.tif 000113
【表４Ｒ】
2021520719.tif 000114
【０１１２】
本出願のこの実施形態では、表1の以下の項目（1）から（49）のいずれかにおけるスロットインデックスは、3つの要因を考慮して構成される。第1に、スロットインデックスによって識別されるスロットは、アップリンク−ダウンリンク構成周期の後半にある。次に、スロットインデックスで識別されるスロットは、SSBのオプションスロット以外のスロットである。第3に、CORESETのすべてのオプション構成において、スロットインデックスによって識別されるスロットは、CORESETのオプションの時間領域位置との衝突確率が最小のスロットである。以下の項目（1）〜（49）のスロットインデックスは次のとおりである。
（1）PRACH構成インデックス4のスロットインデックス｛17、19、37、39｝。
（2）PRACH構成インデックス5のスロットインデックス｛17、19、37、39｝。
（3）PRACH構成インデックス23のスロットインデックス｛13、15、21、23、29、31、37、39｝。
（4）PRACH構成インデックス25のスロットインデックス｛9、11、13、15、17、19、29、31、33、35、37、39｝。
（5）PRACH構成インデックス25のスロットインデックス｛10、11、14、15、18、19、30、31、34、35、38、39｝。
（6）PRACH構成インデックス26のスロットインデックス｛10、11、14、15、18、19、30、31、34、35、38、39｝。
（7）PRACH構成インデックス27のスロットインデックス｛13、14、15、29、30、31、37、38、39｝。
（8）PRACH構成インデックス32のスロットインデックス｛17、19、37、39｝。
（9）PRACH構成インデックス33のスロットインデックス｛17、19、37、39｝。
（10）PRACH構成インデックス51のスロットインデックス｛13、15、21、23、29、31、37、39｝。
（11）PRACH構成インデックス53のスロットインデックス｛9、11、13、15、17、19、29、31、33、35、37、39｝。
（12）PRACH構成インデックス54のスロットインデックス｛10、11、14、15、18、19、30、31、34、35、38、39｝。
（13）PRACH構成インデックス55のスロットインデックス｛13、14、15、29、30、31、37、38、39｝。
（14）PRACH構成インデックス60のスロットインデックス｛17、19、37、39｝。
（15）PRACH構成インデックス61のスロットインデックス｛17、19、37、39｝。
（16）PRACH構成インデックス79のスロットインデックス｛13、15、21、23、29、31、37、39｝。
（17）PRACH構成インデックス81のスロットインデックス｛9、11、13、15、17、19、29、31、33、35、37、39｝。
（18）PRACH構成インデックス82のスロットインデックス｛10、11、14、15、18、19、30、31、34、35、38、39｝。
（19）PRACH構成インデックス83のスロットインデックス｛13、14、15、29、30、31、37、38、39｝。
（20）PRACH構成インデックス88のスロットインデックス｛17、19、37、39｝。
（21）PRACH構成インデックス89のスロットインデックス｛17、19、37、39｝。
（22）PRACH構成インデックス107のスロットインデックス｛13、15、21、23、29、31、37、39｝。
（23）PRACH構成インデックス109のスロットインデックス｛9、11、13、15、17、19、29、31、33、35、37、39｝。
（24）PRACH構成インデックス110のスロットインデックス｛10、11、14、15、18、19、30、31、34、35、38、39｝。
（25）PRACH構成インデックス111のスロットインデックス｛13、14、15、29、30、31、37、38、39｝。
（26）PRACH構成インデックス116のスロットインデックス｛17、19、37、39｝。
（27）PRACH構成インデックス117のスロットインデックス｛17、19、37、39｝。
（28）PRACH構成インデックス135のスロットインデックス｛13、15、21、23、29、31、37、39｝。
（29）PRACH構成インデックス137のスロットインデックス｛9、11、13、15、17、19、29、31、33、35、37、39｝。
（30）PRACH構成インデックス138のスロットインデックス｛10、11、14、15、18、19、30、31、34、35、38、39｝。
（31）PRACH構成インデックス139のスロットインデックス｛13、14、15、29、30、31、37、38、39｝。
（32）PRACH構成インデックス144のスロットインデックス｛17、19、37、39｝。
（33）PRACH構成インデックス145のスロットインデックス｛17、19、37、39｝。
（34）PRACH構成インデックス164のスロットインデックス｛17、19、37、39｝。
（35）PRACH構成インデックス165のスロットインデックス｛17、19、37、39｝。
（36）PRACH構成インデックス184のスロットインデックス｛17、19、37、39｝。
（37）PRACH構成インデックス185のスロットインデックス｛17、19、37、39｝。
（38）PRACH構成インデックス204のスロットインデックス｛17、19、37、39｝。
（39）PRACH構成インデックス205のスロットインデックス｛17、19、37、39｝。
（40）PRACH構成インデックス223のスロットインデックス｛13、15、21、23、29、31、37、39｝。
（41）PRACH構成インデックス225のスロットインデックス｛9、11、13、15、17、19、29、31、33、35、37、39｝。
（42）PRACH構成インデックス226のスロットインデックス｛10、11、14、15、18、19、30、31、34、35、38、39｝。
（43）PRACH構成インデックス227のスロットインデックス｛13、14、15、29、30、31、37、38、39｝。
（44）PRACH構成インデックス232のスロットインデックス｛17、19、37、39｝。
（45）PRACH構成インデックス233のスロットインデックス｛17、19、37、39｝。
（46）PRACH構成インデックス251のスロットインデックス｛13、15、21、23、29、31、37、39｝。
（47）PRACH構成インデックス253のスロットインデックス｛9、11、13、15、17、19、29、31、33、35、37、39｝。
（48）PRACH構成インデックス254のスロットインデックス｛10、11、14、15、18、19、30、31、34、35、38、39｝。そして
（49）PRACH構成インデックス255のスロットインデックス｛13、14、15、29、30、31、37、38、39｝。
【０１１３】
表1では、PRACH構成インデックスとスロットインデックスとの間の対応は限定されないことに留意されたい。1つのPRACH構成インデックスは、表1の任意の行のスロットインデックスに対応しうる。例えば、表1のPRACH構成インデックス1は、表1の1行目のスロットインデックスに対応する場合もあれば、表1の2行目のスロットインデックスに対応する場合もあれば、表1の256行目のスロットインデックスに対応する場合すらある。
【０１１４】
さらに、構成テーブルは、主に6GHzを超える通信周波数帯域の使用に使用されるが、6GHz未満の通信周波数帯域の使用に限定されないことに留意されたい。本出願のこの実施形態では、6GHz未満の通信周波数帯域の場合、PRACHメッセージのサブキャリア間隔は、15kHzまたは30kHzであり得る。6GHzを超える通信周波数帯域の場合、PRACHメッセージのサブキャリア間隔は、60kHzまたは120kHzであり得る。
【０１１５】
本発明の解決策によれば、RACHの任意の時間領域位置と、優先度の高いSSBまたはRSMIなどのダウンリンクリソースの時間領域位置との間の競合を最大限に回避することができ、RACH構成周期の有効なROの数が増加し、UEによるRACHリソースの迅速な送信の成功率が向上し、ランダムアクセス効率が効果的に向上する。これにより、ROとSSBなどのダウンリンク信号間で特定の送信間隔を確保できるため、RACHのパフォーマンスが向上する。
【０１１６】
以下では、最初に、図9を参照して、現在のNRプロトコルに基づいてNRで定義された3つのSSBおよび制御チャネル制御リソースセット（例えば、RMSI CORESET）多重化パターン（pattern）について説明する。
【０１１７】
図9に示される3つのパターン（Pattern）が例として使用される。パターン1：SSBと制御チャネル制御リソースセット（例えば、RMSI CORESET）は異なる時点に配置され、SSBの送信帯域幅と制御チャネル制御リソースセット（例えば、RMSI CORESET）を含む送信帯域幅はオーバーラップする。パターン2：SSBと制御チャネル制御リソースセット（例えば、RMSI CORESET）は異なる時点に配置され、SSBの送信帯域幅と制御チャネル制御リソースセット（例えば、RMSI CORESET）を含む送信帯域幅はオーバーラップしない。パターン3：SSBと制御チャネル制御リソースセット（例えば、RMSI CORESET）は同じ時点に配置され、SSBの送信帯域幅と制御チャネル制御リソースセット（例えば、RMSI CORESET）を含む送信帯域幅はオーバーラップしない。
【０１１８】
現在のNRでは、6GHz未満の通信周波数帯域の場合、SSBおよび制御チャネル制御リソースセットに対応するサブキャリア間隔は、15kHzまたは30kHzである。6GHzを超える通信周波数帯域の場合、SSBに対応するサブキャリア間隔は、120kHzまたは240kHzであり、制御チャネル制御リソースセットに対応するサブキャリア間隔は、60kHzまたは120kHzである。
【０１１９】
SSBと制御チャネル制御リソースセットのものであり、NRによってサポートされるサブキャリア間隔（subcarrier spacing、SCS）の組み合わせは、次のものを含む。｛SSB SCS、CORESET SCS｝＝｛15、15｝、｛15、30｝、｛30、15｝、｛30、30｝、｛120、60｝、｛120、120｝、｛240、60｝、｛240、120｝kHz。
【０１２０】
従来技術で提供される制御チャネル制御リソースセットの構成テーブルは、システム情報データチャネル（例えば、RMSI PDSCH）の送信ブロックサイズの要件を満たすことができない。したがって、構成テーブルは再設計されなければならない。
【０１２１】
以下、添付の図面を参照して、本出願の技術的解決策を説明する。
【０１２２】
本出願では、チャネルと信号は、互いに交換可能に用いられることがあるが、チャネルと信号の意味は当業者には理解されうることを理解されたい。
【０１２３】
本出願に示されている表は、構成情報を示す方式にすぎず、表の各行は独立して存在する場合もあれば、任意の1つ以上の行と組み合わせられる場合もあり、本出願におけるインデックスと次の4つの列の対応は、変更される場合がある。例えば、構成テーブルは次のように示される。
【０１２４】
【表５】
2021520719.tif 000115
【０１２５】
または、
【０１２６】
【表６】
2021520719.tif 000116
【０１２７】
または、
【０１２８】
【表７】
2021520719.tif 000117
【０１２９】
本出願のネットワークデバイスは、端末デバイスと通信するように構成されたデバイスであってもよい。ネットワークデバイスは、LTEシステムにおける進化型ノードB（Evolved NodeB、eNBまたはeNodeB）であってもよく、またはクラウド無線アクセスネットワーク（Cloud Radio Access Network、CRAN）シナリオにおける無線コントローラであってもよい。あるいは、ネットワークデバイスは、リレーノード、アクセスポイント、車載デバイス、ウェアラブルデバイス、将来の5Gネットワークにおけるネットワークデバイス、将来の進化型PLMNネットワークにおけるネットワークデバイスなどであってもよい。これは、本出願の実施形態では限定されない。
【０１３０】
本出願の通信デバイスは、UEおよび／またはネットワークデバイスを含み得る。
【０１３１】
本出願における共通信号は、同期信号および／またはブロードキャストチャネルを含むことができ、共通信号は、SSB、すなわち、同期信号／ブロードキャストチャネルブロック（SS／BCHブロック）として設計され得る。さらに、同期信号は、一次同期信号および二次同期信号を含む。共通信号はさらに他の信号を含み得ることを理解されたい。本出願では、詳細はここでは説明しない。
【０１３２】
本出願の多重化パターンは、時間領域次元および／または周波数領域次元における少なくとも2つの信号の放出パターンであり、例えば、制御チャネル制御リソースセットおよび共通信号多重化パターンを含み得る、または、制御チャネル制御リソースセット、制御チャネルに対応するブロードキャストサービスチャネル、および共通信号を多重化するパターンを含み得る。本明細書において、制御チャネルに対応するブロードキャストサービスチャネルは、システム情報を伝送するサービスチャネル、ページング情報を伝送するサービスチャネル、およびランダムアクセス応答を伝送するサービスチャネルのうちの少なくとも1つであり得る。
【０１３３】
本出願の制御チャネルは、ネットワークデバイスとUEとの間で制御情報を送信するためのチャネルである。通常、ネットワークデバイスによって制御情報をUEに送信するためのチャネルは、ダウンリンク制御チャネルまたは物理ダウンリンク制御チャネルと呼ばれる。本出願の制御チャネルは、次の制御チャネル、すなわち、システム情報（送信）用の制御チャネル、ページング（送信）用の制御チャネル、およびランダムアクセス応答／要求（送信）用の制御チャネルのうちの1つ以上を含みうる。本出願は、他の制御チャネルをさらに含む場合があることを理解されたい。詳細はここでは説明しない。
【０１３４】
本出願で設定される制御リソースセットは、制御チャネルの時間周波数リソースセットであってもよく、制御チャネルでブラインド検出を実行するためにUEによって使用される時間周波数リソース範囲である。本明細書で設定される制御リソースセットは、RMSI CORESET、OSI CORESET、ページング（paging）CORESETなどを含み得る。
【０１３５】
本出願の時間領域リソースサイズは、信号またはチャネルが実際に送信されるときに占有される時間領域リソースであり、例えば、1つ以上のOFDMシンボルまたは1つ以上のスロットである。
【０１３６】
本出願の周波数領域リソースサイズは、信号またはチャネルが実際に送信されるときに占有される周波数領域リソースであり、例えば、1つ以上のRE（resource element）または1つ以上のリソースブロック（resource block、RB）である。RBは周波数領域の長さであり、12個のサブキャリアまたは12個の（物理）リソース要素（RE）を含む。
【０１３７】
本出願のリソース位置は、信号またはチャネルの実際の送信中の周波数領域の最小リソースブロックインデックスであり、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される周波数領域オフセットを使用して表される。
【０１３８】
本出願の送信ブロック（Transmission Block、TB）は、データチャネル（例えば、RMSI PDSCH）で伝送できる情報ビットの数である。
【０１３９】
本出願では、システム情報データチャネルでサポートする必要のある最大送信ブロックサイズは1700ビットである。SSBと制御チャネル制御リソースセットのパターン3の場合、SSBによって占有される時間領域の長さは、制御チャネル制御リソースセットによって占有される時間領域の長さ、データチャネルが占める時間領域の長さ、およびSSBによって占有される時間領域の長さの合計に等しくなり、合計は両方の4つのOFDMシンボルである。制御チャネル制御リソースセットの現在の構成テーブル（表1に示さす）に基づくと、パターン3の場合、制御チャネル制御リソースセットの時間領域リソースは2つのOFDMシンボルであり、最大周波数領域リソースは48（物理）リソースブロック（resource block、RB）である。DMRSによって占有されている288（物理）リソース要素（resource element、RE）が削除された後、データチャネルを伝送できる。例えば、物理ダウンリンク共有チャネルPDSCHの時間周波数リソースには、48×2×12−288＝1152−288＝864（物理）リソース要素（RE）しかない。直交位相偏移変調（Quadrature Phase Shift Keying、QPSK）変調が制御チャネルに使用される場合、サポートできる最大スペクトル効率は1．3262であり、対応するデータチャネルでサポートできる送信ブロックサイズ（例えば、PDSCH）はわずか1146ビットである。したがって、制御チャネル制御リソースセットの現在の構成テーブルは、制御チャネルの送信ブロックサイズの要件を満たすことができない。
【０１４０】
【表８】
2021520719.tif 000118
【０１４１】
SSBのサブキャリア間隔と制御リソースセットのサブキャリア間隔は120kHzであり、SS／PBCH block and control resource set multiplexing patternは、SSBおよび制御リソースセットの多重化パターンを示し、Number of RBsは、周波数領域のリソースサイズ、すなわち（物理）リソースブロックの数を示し、Number of Symbolsは、時間領域リソースサイズ、すなわちシンボル（例えば、OFDMシンボル）の数を示し、offsetは、周波数領域リソース位置、すなわち、制御リソースセットの最小リソースブロックインデックスと共通信号ブロックの第1のリソースブロックとオーバーラップする最小共通リソースブロックインデックスとの間の、制御リソースセットのサブキャリア間隔を使用して定義される周波数領域オフセットを示す。（The offset is defined with respect to the subcarrier spacing of the control resource set from the smallest RB index of the control resource set for Type0−PDCCH common search space to the smallest RB index of the common RB overlapping the first RB of the SS／PBCH block．）
【０１４２】
例1
表2、表3および表4を参照して、本出願は、信号検出方法を提供する。この方法は、次の手順を含む。
【０１４３】
S101．ユーザ機器は、ネットワークデバイスから送信された指示情報を受信する。指示情報は、制御チャネル制御リソースセットの構成情報を示すために使用される。ネットワークデバイスは、指示情報を共通信号に追加し、共通信号をユーザ機器に送信することができる。例えば、ネットワークデバイスは、SSB RMSI−PDCCH−ConFigの最も重要な4ビットに指示情報を追加する。指示情報は、表1および／または以下の表のいずれか1つのインデックス（index）であり得る。
【０１４４】
S102．ユーザ機器は、指示情報に基づいて、制御リソースセットの時間領域リソースサイズ、周波数領域リソースサイズ、およびリソース位置を決定する。周波数領域のリソースサイズは96リソースブロックおよび／または192リソースブロックであり、制御リソースセットと共通信号ブロックは周波数分割多重化されており、制御チャネルのサブキャリア間隔は120kHzである。
【０１４５】
表1から表4のいずれか1つを参照すると、表4を例として使用すると、指示情報が9の場合、制御チャネル制御リソースセットの構成情報は次のものを含む。SSBおよび制御リソースセットの多重化パターンは3、周波数領域のリソースサイズ（すなわち、リソースブロックの数）は96、時間領域リソースサイズ（すなわち、OFDMシンボルの数）は2、リソース位置（すなわち、周波数領域のオフセット）は96である。
【０１４６】
任意選択で、時間領域リソースサイズは2つのOFDMシンボルである。
【０１４７】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、−20リソースブロックまたは−21リソースブロックの周波数領域差分である。
【０１４８】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、96リソースブロックの周波数領域差分である。
【０１４９】
任意選択で、リソース位置は、制御リソースセットの最小リソースブロックインデックスと、共通信号ブロックの第1のリソースブロックとオーバーラップする最小共通リソースブロックインデックスとの間の、制御リソースセットのサブキャリア間隔を使用して定義される、192リソースブロックの周波数領域差分である。
【０１５０】
本出願は、信号検出方法を提供する。この方法は、次の手順を含む。
【０１５１】
S201．ユーザ機器は、ネットワークデバイスによって送信された指示情報を受信し、指示情報は、制御チャネル制御リソースセットの構成情報を示すために使用される。
【０１５２】
S202．ユーザ機器は、構成テーブルおよび指示情報に基づいて、制御リソースセットの構成情報を決定する。
【０１５３】
任意選択で、構成テーブルでは、表1の周波数領域リソースが24RBおよび／または48RBである構成は、例えば、表2に示すように、周波数領域リソースが96RBおよび／または192RBである構成に置き換えられる。
【０１５４】
【表９】
2021520719.tif 000119
【０１５５】
任意選択で、構成テーブルでは、例えば表3に示すように、周波数領域リソースが96RBである構成が表1に追加される。
【０１５６】
【表１０】
2021520719.tif 000120
【０１５７】
任意選択で、構成テーブルでは、例えば表4に示すように、周波数領域リソースが96RBである構成と、周波数領域リソースが192RBである構成が表1に追加される。
【０１５８】
【表１１】
2021520719.tif 000121
【０１５９】
条件Aはパラメータk0＝0を示し、条件Bはパラメータk0＞0を示す。パラメータk0の定義については、TS 38．211の第4章を参照されたい。k0＝0は、同期ラスター（Synchronization raster）がチャネルラスター（channel raster）と位置合わせされているケースを示す。k0＞0は、同期ラスター（Synchronization raster）がチャネルラスター（channel raster）と位置合わせされていないケースを示す。
【０１６０】
本出願の方法によれば、システム情報データチャネル（例えば、RMSI PDSCH）の送信ブロックサイズの要件が満たされている。具体的には、周波数領域リソースは96RBであり、時間領域リソースは2つのOFDMシンボルであり、DMRSによって占有されていた576の物理リソース要素（RE）が削除された後、データチャネルを伝送できる時間周波数リソースは96×2×12−576＝2304−576＝1728の物理リソース要素（RE）になり、QPSK変調が制御チャネルに使用される場合、サポートできる最大スペクトル効率は1．3262であり、対応するデータチャネル（例えば、RMSI CORESET）でサポートできる最大送信ブロックサイズは最大2292ビットであり、または
周波数領域リソースは192RBであり、時間領域リソースは2つのOFDMシンボルであり、DMRSによって占有されていた1152の物理リソース要素（RE）が削除された後、データチャネルを伝送できる時間周波数リソースは192×2×12−1152＝4608−1152＝3456の物理リソース要素（RE）であり、QPSK変調が制御チャネルに使用される場合、サポートできる最大スペクトル効率は1．3262であり、対応するデータチャネル（例えば、RMSI CORESET）でサポートできる最大送信ブロックサイズは最大4583ビットである。
【０１６１】
図5に示されるのと同じ本発明の概念に基づいて、本出願の実施形態は、通信装置500をさらに提供する。通信装置500は、端末デバイスに適用することができる。装置500は、端末デバイス内のプロセッサ、チップ、チップシステム、機能モジュールなどであり得る。装置500は、トランシーバユニット501および処理ユニット502を含み得る。処理ユニット502は、装置500の動作を制御および管理するように構成される。
【０１６２】
本出願の例では、トランシーバユニット501は、第1の情報を受信するように構成され得る。第1の情報は、ランダムアクセスシステムフレーム内の1つ以上の第1の時間単位を示すために使用され、1つ以上の第1の時間単位は、構成テーブル内の1つ以上の時間単位に基づいて決定され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである。処理ユニット502は、第1の情報に基づいて、ランダムアクセスシーケンスを送信するための時間領域リソースを決定するように構成され得る。
【０１６３】
本出願の他の例では、トランシーバユニット501は、第1の情報を受信するように構成され得る。処理ユニット502は、第1の情報に基づいて、ランダムアクセスシーケンスを送信するための時間領域リソースを決定するように構成され得る。
【０１６４】
第1の情報は、ランダムアクセスシステムフレーム内の1つ以上の第1の時間単位を示すために使用され、1つ以上の第1の時間単位は、構成テーブル内の1つ以上の時間単位に基づいて決定され、1つ以上の第1の時間単位は、ランダムアクセスシーケンスのオプションの時間領域リソースである。
【０１６５】
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【０１６６】
本出願の実施形態は、端末デバイス600の構造をさらに提供する。図6に示されるように、端末デバイス600は、通信インタフェース601およびプロセッサ602を含み得る。任意選択で、端末デバイス600は、メモリ603をさらに含み得る。メモリ603は、端末デバイスの内部に配置されてもよく、または端末デバイスの外部に配置されてもよい。図5に示されるように、処理ユニット502は、プロセッサ602を使用することによって実装され得る。トランシーバユニット501は、通信インタフェース601を使用することによって実施され得る。プロセッサ602は、通信インタフェース601を使用することによって情報またはメッセージを受信し、図2および図4に示される端末デバイスによって実行される方法を実施するように構成される。実装手順では、処理手順のステップは、プロセッサ602内のハードウェアの統合論理回路またはソフトウェアの形態の命令を使用することによって実装され、図2および図4の端末デバイスによって実行される方法を実装することができる。
【０１６７】
本出願のこの実施形態における通信インタフェース601は、回路、バス、トランシーバ、または情報を交換するために使用することができる任意の他の装置であり得る。
【０１６８】
本出願のこの実施形態では、通信インタフェース601、プロセッサ602、およびメモリ603の間の特定の接続媒体は限定されないことに留意されたい。本出願のこの実施形態では、図6では、メモリ603、プロセッサ602、および通信インタフェース601は、バスを使用することによって接続されている。バスは、図6の太い線を使用して表され、他の構成要素間の接続方法は、単に概略的な説明のために使用され、それに限定されない。バスは、アドレスバス、データバス、制御バスなどに分類されることができる。表現を簡単にするために、図6ではバスを表すために太い線が1本しか使用されていないが、これはバスが1つしかない、または1種類のバスしかないことを意味しない。
【０１６９】
図7に示されるのと同じ本発明の概念に基づいて、本出願の実施形態は、通信装置700をさらに提供する。通信装置700は、ネットワークデバイスに適用される。装置700は、具体的には、ネットワークデバイス内のプロセッサ、チップ、チップシステム、機能モジュールなどであり得る。装置700は、処理ユニット701およびトランシーバユニット702を含み得る。処理ユニット701は、装置700の動作を制御および管理するように構成される。
【０１７０】
本出願の例では、処理ユニット701は、第1の情報を決定するように構成され、トランシーバユニット702は、第1の情報を送信するように構成される。第1の情報は、ランダムアクセスシステムフレーム内の1つ以上の第1の時間単位を示すために使用され、1つ以上の第1の時間単位は、構成テーブル内の1つ以上の時間単位に基づいてネットワークデバイスによって決定され、構成テーブル内の1つ以上の時間単位は、アップリンク−ダウンリンク構成周期および第2の時間単位に基づいて決定され、1つ以上の第1の時間単位は、ランダムアクセスシーケンスのオプションの時間領域リソースであり、第2の時間単位は、同期チャネルブロックのオプションの時間領域リソースである。
【０１７１】
本出願の他の例では、処理ユニット701は、第1の情報を決定するように構成され得る。第1の情報は、ランダムアクセスシステムフレーム内の1つ以上の第1の時間単位を示すために使用され、1つ以上の第1の時間単位は、構成テーブル内の1つ以上の時間単位に基づいて決定され、1つ以上の第1の時間単位は、ランダムアクセスシーケンスのオプションの時間領域リソースである。トランシーバユニット702は、第1の情報を送信するように構成され得る。
【０１７２】
構成テーブル内の1つ以上の時間単位の、ランダムアクセスシステムフレーム内の1つ以上のインデックスは、
アップリンク−ダウンリンク構成周期が0．5ミリ秒である場合、構成テーブル内の1つ以上の時間単位の、ランダムアクセスシステムフレーム内の1つ以上のインデックスは、｛9、11、13、15、17、19、29、31、33、35、37、39｝のうちの1つ以上を含み、
アップリンク−ダウンリンク構成周期が1ミリ秒である場合、構成テーブル内の1つ以上の時間単位の、ランダムアクセスシステムフレーム内の1つ以上のインデックスは、｛10、11、14、15、18、19、30、31、34、35、38、39｝のうちの1つ以上を含み、
アップリンク−ダウンリンク構成周期が1．25ミリ秒である場合、構成テーブル内の1つ以上の時間単位の、ランダムアクセスシステムフレーム内の1つ以上のインデックスは、｛4、9、13、14、18、19、29、33、34、38、39｝のうちの1つ以上を含み、
アップリンク−ダウンリンク構成周期が2ミリ秒である場合、構成テーブル内の1つ以上の時間単位の、ランダムアクセスシステムフレーム内の1つ以上のインデックスは、｛4、12、13、14、15、29、30、31、36、37、38、39｝のうちの1つ以上を含み、
アップリンク−ダウンリンク構成周期が2．5ミリ秒である場合、構成テーブル内の1つ以上の時間単位の、ランダムアクセスシステムフレーム内の1つ以上のインデックスは、｛9、15、16、17、18、19、29、35、36、37、38、39｝のうちの1つ以上を含み、または
アップリンク−ダウンリンク構成周期が5ミリ秒である場合、構成テーブル内の1つ以上の時間単位の、ランダムアクセスシステムフレーム内の1つ以上のインデックスは、｛10、11、12、13、14、15、16、17、18、19、30、31、32、33、34、35、36、37、38、39｝のうちの1つ以上を含む、
という条件のうちの1つ以上を満たす。
【０１７３】
本出願の実施形態は、ネットワークデバイスの構造をさらに提供する。図8に示されるように、ネットワークデバイス800は、通信インタフェース801およびプロセッサ802を含み得る。任意選択で、ネットワークデバイス800は、メモリ803をさらに含み得る。メモリ803は、ネットワークデバイスの内部に配置されてもよく、またはネットワークデバイスの外部に配置されてもよい。図7に示されるように、処理ユニット701は、プロセッサ802を使用することによって実装され得る。トランシーバユニット702は、通信インタフェース801を使用することによって実施され得る。プロセッサ802は、通信インタフェース801を使用することによって情報またはメッセージを受信し、図2および図4に示されるネットワークデバイスによって実行される方法を実施するように構成される。実装手順では、処理プロセスのステップは、プロセッサ802内のハードウェアの統合論理回路またはソフトウェアの形態の命令を使用することによって実装され、図2および図4のネットワークデバイスによって実行される方法を実装することができる。
【０１７４】
本出願のこの実施形態における通信インタフェース801は、回路、バス、トランシーバ、または情報を交換するために使用することができる任意の他の装置であり得る。
【０１７５】
本出願のこの実施形態では、通信インタフェース801、プロセッサ802、およびメモリ803の間の特定の接続媒体は限定されないことに留意されたい。本出願のこの実施形態では、図8では、メモリ803、プロセッサ802、および通信インタフェース801は、バスを使用することによって接続されている。バスは、図8の太い線を使用して表され、他の構成要素間の接続方法は、制限ではなく単なる概略図である。バスは、アドレスバス、データバス、制御バスなどに分類されることができる。表現を簡単にするために、図8ではバスを表すために太い線が1本しか使用されていないが、これはバスが1つしかない、または1種類のバスしかないことを意味しない。
【０１７６】
前述の実施形態に基づいて、本出願の一実施形態は、コンピュータ記憶媒体をさらに提供する。記憶媒体は、ソフトウェアプログラムを格納し、ソフトウェアプログラムが1つ以上のプロセッサによって読み取られて実行されるとき、前述の実施形態のいずれか1つ以上による方法が実施され得る。コンピュータ記憶媒体は、リムーバブルハードディスク、読み取り専用メモリ、ランダムアクセスメモリ、磁気ディスク、または光ディスクなどのプログラムコードを格納できる任意の媒体を含み得る。
【０１７７】
前述の実施形態に基づいて、本出願の実施形態は、チップをさらに提供し、チップは、前述の実施形態のいずれか1つ以上の機能を実施するように構成されたプロセッサを含み、例えば、前述の方法で情報またはメッセージを取得または処理する。任意選択で、チップはさらにメモリを含み、メモリは、プロセッサによって実行されるために必要なプログラム命令およびデータを格納するように構成される。チップシステムは、チップを含んでもよく、チップと他の別個のデバイスを含んでもよい。
【０１７８】
前述の実施形態のすべてまたは一部は、ソフトウェア、ハードウェア、ファームウェア、またはそれらの任意の組み合わせを使用することによって実装されてもよい。実施形態を実装するためにソフトウェアが使用される場合、実施形態は、コンピュータプログラム製品の形で完全にまたは部分的に実装することができる。コンピュータプログラム製品は、1つ以上のコンピュータ命令を含む。コンピュータプログラム命令がコンピュータにロードされ実行されると、本出願による手順または機能がすべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよいし、コンピュータ可読記憶媒体から他のコンピュータ可読記憶媒体に送信されてもよい。例えば、コンピュータ命令は、有線（例えば、同軸ケーブル、光ファイバ、またはデジタル加入者回線）または無線（例えば、赤外線、無線、またはマイクロ波）方式で、1つのウェブサイト、コンピュータ、サーバ、またはデータセンタから他のウェブサイト、コンピュータ、サーバ、またはデータセンタに送信されてもよい。コンピュータ可読記憶媒体は、コンピュータによってアクセス可能な任意の使用可能な媒体、または1つ以上の使用可能な媒体を統合するサーバまたはデータセンタなどのデータ記憶デバイスであってもよい。使用可能な媒体は、磁気媒体（例えば、フロッピーディスク、ハードディスク、または磁気テープ）、光学媒体（例えば、DVD）、半導体媒体（例えば、ソリッドステートドライブSolid State Disk）などであってもよい。
【０１７９】
前述の実施形態のすべてまたは一部は、ソフトウェア、ハードウェア、ファームウェア、またはそれらの任意の組み合わせを使用することによって実装されてもよい。実施形態を実装するためにソフトウェアが使用される場合、実施形態は、コンピュータプログラム製品の形で完全にまたは部分的に実装することができる。コンピュータプログラム製品は、1つ以上のコンピュータ命令を含む。コンピュータプログラム命令がコンピュータにロードされ実行されると、本出願による手順または機能がすべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよいし、1つのコンピュータ可読記憶媒体から他のコンピュータ可読記憶媒体に送信されてもよい。例えば、コンピュータ命令は、有線（例えば、同軸ケーブル、光ファイバ、またはデジタル加入者回線）または無線（例えば、赤外線、無線、またはマイクロ波）方式で、1つのウェブサイト、コンピュータ、サーバ、またはデータセンタから他のウェブサイト、コンピュータ、サーバ、またはデータセンタに送信されてもよい。コンピュータ可読記憶媒体は、コンピュータによってアクセス可能な任意の使用可能な媒体、または1つ以上の使用可能な媒体を統合するサーバまたはデータセンタなどのデータ記憶デバイスであってもよい。使用可能な媒体は、磁気媒体（例えば、フロッピーディスク、ハードディスク、または磁気テープ）、光学媒体（例えば、DVD）、半導体媒体（例えば、ソリッドステートドライブSolid State Disk）などであってもよい。
【符号の説明】
【０１８０】
100  通信システム
101  ネットワークデバイス
102  端末デバイス
500  装置、通信装置
501  トランシーバユニット
502  処理ユニット
600  端末デバイス
601  通信インタフェース
602  プロセッサ
603  メモリ
700  装置、通信装置
701  処理ユニット
702  トランシーバユニット
800  ネットワークデバイス
801  通信インタフェース
802  プロセッサ
803  メモリ
【手続補正２】
【補正対象書類名】特許請求の範囲
【補正対象項目名】全文
【補正方法】変更
【補正の内容】
【特許請求の範囲】
【請求項１】
ランダムアクセス構成インデックスを受信するステップであって、前記ランダムアクセス構成インデックスとランダムアクセスシステムフレーム内のオプションの時間領域リソースとの間に対応関係があり、前記システムフレーム内の前記オプションの時間領域リソースのスロットインデックスは、｛17、19、37、39｝または｛13、14、15、29、30、31、37、38、39｝を含む、ステップと、
端末デバイスによって、前記ランダムアクセス構成インデックスおよび前記対応関係に基づいて前記オプションの時間領域リソースを決定するステップであって、
前記オプションの時間領域リソースは、1つ以上の第1の時間単位で構成される、ステップと、
前記オプションの時間領域リソースに基づいて、ネットワークデバイスと通信するステップと、
を含む、通信方法。
【請求項２】
ランダムアクセス構成インデックスを送信するステップであって、前記ランダムアクセス構成インデックスは、ランダムアクセスシステムフレーム内のオプションの時間領域リソースを示すために使用され、前記システムフレーム内の前記オプションの時間領域リソースのスロットインデックスは、｛17、19、37、39｝または｛13、14、15、29、30、31、37、38、39｝を含む、ステップと、
前記オプションの時間領域リソースに基づいて端末デバイスと通信するステップであって、
前記オプションの時間領域リソースは、1つ以上の第1の時間単位で構成される、ステップと、
を含む、通信方法。
【請求項３】
アップリンク−ダウンリンク構成周期が2．5ミリ秒または5ミリ秒である場合、前記システムフレーム内の前記オプションの時間領域リソースのスロットインデックスは、｛17、19、37、39｝を含む、請求項1または2に記載の方法。
【請求項４】
アップリンク−ダウンリンク構成周期が2ミリ秒である場合、前記システムフレーム内の前記オプションの時間領域リソースのスロットインデックスは、｛13、14、15、29、30、31、37、38、39｝を含む、請求項1または2に記載の方法。
【請求項５】
前記オプションの時間領域リソースは第2の時間単位とオーバーラップせず、前記第2の時間単位は同期チャネルブロックのオプションの時間領域リソースである、請求項1から4のいずれか一項に記載の方法。
【請求項６】
前記ランダムアクセス構成インデックスは、プリアンブルシーケンスフォーマット、構成周期パラメータ、システムフレーム番号、開始記号、スロットの数、または1つのスロットに含まれる物理ランダムアクセスチャネル機会ROの数の情報のうちの1つ以上に対応する、請求項1から5のいずれか一項に記載の方法。
【請求項７】
前記オプションの時間領域リソースは、前記アップリンク−ダウンリンク構成周期および前記第2の時間単位に基づいて決定される、請求項1から6のいずれか一項に記載の方法。
【請求項８】
前記オプションの時間領域リソースが前記アップリンク−ダウンリンク構成周期および前記第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数１】
2021520719.tif 000122
個の時間単位と前記第2の時間単位に基づいて、前記オプションの時間領域リソースを決定するステップと、
を含む、請求項1から7のいずれか一項に記載の方法。
【請求項９】
ランダムアクセス構成インデックスを受信するように構成されたトランシーバユニットであって、前記ランダムアクセス構成インデックスとランダムアクセスシステムフレーム内のオプションの時間領域リソースとの間に対応関係があり、前記システムフレーム内の前記オプションの時間領域リソースのスロットインデックスは、｛17、19、37、39｝または｛13、14、15、29、30、31、37、38、39｝を含む、トランシーバユニットと、
前記ランダムアクセス構成インデックスおよび前記対応関係に基づいて前記オプションの時間領域リソースを決定するように構成された処理ユニットであって、前記オプションの時間領域リソースは、1つ以上の第1の時間単位で構成される、処理ユニットと、
を含み、
前記トランシーバユニットは、前記オプションの時間領域リソースに基づいて、ネットワークデバイスと通信するようにさらに構成されている、
通信装置。
【請求項１０】
ランダムアクセス構成インデックスを送信するように構成されたトランシーバユニットであって、前記ランダムアクセス構成インデックスは、ランダムアクセスシステムフレーム内のオプションの時間領域リソースを示すために使用され、前記システムフレーム内の前記オプションの時間領域リソースのスロットインデックスは、｛17、19、37、39｝または｛13、14、15、29、30、31、37、38、39｝を含む、トランシーバユニット
を含み、
前記トランシーバユニットは、前記オプションの時間領域リソースに基づいて端末デバイスと通信するようにさらに構成され、
前記オプションの時間領域リソースは、1つ以上の第1の時間単位で構成される、
通信装置。
【請求項１１】
アップリンク−ダウンリンク構成周期が2．5ミリ秒または5ミリ秒である場合、前記システムフレーム内の前記オプションの時間領域リソースのスロットインデックスは、｛13、14、15、29、30、31、37、38、39｝を含む、請求項9または10に記載の装置。
【請求項１２】
アップリンク−ダウンリンク構成周期が2ミリ秒である場合、前記システムフレーム内の前記オプションの時間領域リソースのスロットインデックスは、｛13、14、15、29、30、31、37、38、39｝を含む、請求項9または10に記載の装置。
【請求項１３】
前記オプションの時間領域リソースは第2の時間単位とオーバーラップせず、前記第2の時間単位は同期チャネルブロックのオプションの時間領域リソースである、請求項9から12のいずれか一項に記載の装置。
【請求項１４】
前記ランダムアクセス構成インデックスは、プリアンブルシーケンスフォーマット、構成周期パラメータ、システムフレーム番号、開始記号、スロットの数、または1つのスロットに含まれる物理ランダムアクセスチャネル機会ROの数の情報のうちの1つ以上に対応する、請求項9から13のいずれか一項に記載の装置。
【請求項１５】
前記オプションの時間領域リソースは、前記アップリンク−ダウンリンク構成周期および前記第2の時間単位に基づいて決定される、請求項9から14のいずれか一項に記載の装置。
【請求項１６】
前記オプションの時間領域リソースが前記アップリンク−ダウンリンク構成周期および前記第2の時間単位に基づいて決定されることは、具体的には、
前記アップリンク−ダウンリンク構成周期に基づいて複数の時間領域間隔を決定するステップであって、各時間領域間隔はN個の時間単位を含み、Nは1以上の整数である、ステップと、
各時間領域間隔内の最後の
【数２】
2021520719.tif 000123
個の時間単位と前記第2の時間単位に基づいて、前記オプションの時間領域リソースを決定するステップと、
を含む、請求項15に記載の装置。
【請求項１７】
コンピュータ記憶媒体であって、前記コンピュータ記憶媒体は、プログラムを記憶するように構成され、前記プログラムは請求項1から8のいずれか一項に記載の方法を実行するように構成される、コンピュータ記憶媒体。
【国際調査報告】
2021520719.tif 000124
2021520719.tif 000125
2021520719.tif 000126
2021520719.tif 000127